(57)【特許請求の範囲】
【請求項１】
方法であって、前記方法は、
キャリアアグリゲーション動作の一部として複数のコンポーネントキャリアを識別することと、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断することと、ここで、前記複数のコンポーネントキャリア中の各コンポーネントキャリアは、前記タイミングアドバンスグループのうちの１つ中に含まれる、
前記複数のタイミングアドバンスグループから第１のタイミングアドバンスグループを識別することと、ここで、前記第１のタイミングアドバンスグループは、プライマリコンポーネントキャリアを含まない、
無線リソース制御（ＲＲＣ）構成に少なくとも部分的に基づいて前記第１のタイミングアドバンスグループのための基準ダウンリンクコンポーネントキャリアを判断することと、
少なくとも前記第１のタイミングアドバンスグループ内のタイミング調整のために前記判断された基準ダウンリンクコンポーネントキャリアを利用することと
を備える、方法。
【請求項２】
前記ＲＲＣ構成を通して前記プライマリコンポーネントキャリアの指示を受信することをさらに備える、
請求項１に記載の方法。
【請求項３】
前記プライマリコンポーネントキャリアは、前記判断された基準ダウンリンクコンポーネントキャリアである、
請求項２に記載の方法。
【請求項４】
前記複数のタイミングアドバンスグループからの第２のタイミングアドバンスグループ内のタイミング調整のために前記プライマリコンポーネントキャリアを利用することをさらに備え、前記プライマリコンポーネントキャリアは、前記第２のタイミングアドバンスグループ中に含まれる、
請求項２に記載の方法。
【請求項５】
前記１つまたは複数の識別されたダウンリンクキャリアのうちの１つまたは複数のダウンリンクコンポーネントキャリアが前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
請求項１に記載の方法。
【請求項６】
前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
請求項５に記載の方法。
【請求項７】
前記基準ダウンリンクコンポーネントキャリアは、アクティブにされたダウンリンクコンポーネントキャリアのセットから判断される、
請求項１に記載の方法。
【請求項８】
前記１つまたは複数のダウンリンクコンポーネントキャリアと前記２つ以上のアップリンクコンポーネントキャリアとは、２つ以上の帯域に関連する、
請求項１に記載の方法。
【請求項９】
前記第１のタイミングアドバンスグループのための前記基準ダウンリンクコンポーネントキャリアは、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
請求項８に記載の方法。
【請求項１０】
前記複数のタイミングアドバンスグループのうちの２つ以上に対して並列に複数のランダムアクセス手順を実行することをさらに備える、
請求項１に記載の方法。
【請求項１１】
前記複数のランダムアクセス手順を実行することは、
前記第１のタイミングアドバンスグループにリンクされた第１のランダムアクセス手順を実行することと、
前記複数のタイミングアドバンスグループのうちの第２のタイミングアドバンスグループにリンクされた第２のランダムアクセス手順を実行することと
を備え、前記第２のランダムアクセス手順の１つまたは複数の部分は、前記第１のランダムアクセス手順の１つまたは複数の部分と重複する、
請求項１０に記載の方法。
【請求項１２】
システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始することをさらに備える、
請求項１に記載の方法。
【請求項１３】
クロスキャリアスケジューリングを可能にするために前記ダウンリンク制御チャネル中にクロスキャリア指示フィールドが含まれる、
請求項１２に記載の方法。
【請求項１４】
前記第１のタイミングアドバンスグループのための前記基準ダウンリンクコンポーネントキャリアは、ダウンリンクリピータによる同様の遅延をもつダウンリンクコンポーネントキャリアのセットから判断される、
請求項１に記載の方法。
【請求項１５】
前記第１のタイミングアドバンスグループのための前記基準ダウンリンクコンポーネントキャリアが、同じタイプのキャリアをもつダウンリンクコンポーネントキャリアのセットから判断され、前記タイプのキャリアが少なくともレガシータイプのキャリアまたは新しいタイプのキャリアを含む、
請求項１に記載の方法。
【請求項１６】
前記第１のタイミングアドバンスグループのための前記基準ダウンリンクコンポーネントキャリアは、同様のアクティビティファクタをもつダウンリンクコンポーネントキャリアのセットから判断される、
請求項１に記載の方法。
【請求項１７】
ワイヤレス通信システムであって、前記システムは、
キャリアアグリゲーション動作の一部として複数のコンポーネントキャリアを識別するための手段と、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断するための手段と、ここで、前記複数のコンポーネントキャリア中の各コンポーネントキャリアは、前記タイミングアドバンスグループのうちの１つ中に含まれる、
前記複数のタイミングアドバンスグループから第１のタイミングアドバンスグループを識別するための手段と、ここで、前記第１のタイミングアドバンスグループは、プライマリコンポーネントキャリアを含まない、
無線リソース制御（ＲＲＣ）構成に少なくとも部分的に基づいて前記第１のタイミングアドバンスグループのための基準ダウンリンクコンポーネントキャリアを判断するための手段と、
少なくとも前記第１のタイミングアドバンスグループ内のタイミング調整のために前記判断された基準ダウンリンクコンポーネントキャリアを利用するための手段と
を備える、ワイヤレス通信システム。
【請求項１８】
前記ＲＲＣ構成を通して前記プライマリコンポーネントキャリアの指示を受信するための手段をさらに備える、
請求項１７に記載のワイヤレス通信システム。
【請求項１９】
前記プライマリコンポーネントキャリアは、前記判断された基準ダウンリンクコンポーネントキャリアである、
請求項１８に記載のワイヤレス通信システム。
【請求項２０】
前記複数のタイミングアドバンスグループからの第２のタイミングアドバンスグループ内のタイミング調整のために前記プライマリコンポーネントキャリアを利用するための手段をさらに備え、前記プライマリコンポーネントキャリアは、前記第２のタイミングアドバンスグループ中に含まれる、
請求項１８に記載のワイヤレス通信システム。
【請求項２１】
前記１つまたは複数の識別されたダウンリンクキャリアのうちの１つまたは複数のダウンリンクコンポーネントキャリアは、前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
請求項１７に記載のワイヤレス通信システム。
【請求項２２】
前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
請求項２１に記載のワイヤレス通信システム。
【請求項２３】
前記基準ダウンリンクコンポーネントキャリアは、アクティブにされたダウンリンクコンポーネントキャリアのセットから判断される、
請求項１７に記載のワイヤレス通信システム。
【請求項２４】
前記１つまたは複数のダウンリンクコンポーネントキャリアと前記２つ以上のアップリンクコンポーネントキャリアとは、２つ以上の帯域に関連する、
請求項１７に記載のワイヤレス通信システム。
【請求項２５】
前記第１のタイミングアドバンスグループのための前記基準ダウンリンクコンポーネントキャリアが、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
請求項２４に記載のワイヤレス通信システム。
【請求項２６】
前記複数のタイミングアドバンスグループのうちの２つ以上に対して並列に複数のランダムアクセス手順を実行するための手段をさらに備える、
請求項１７に記載のワイヤレス通信システム。
【請求項２７】
前記複数のランダムアクセス手順を実行するための前記手段は、
前記第１のタイミングアドバンスグループにリンクされた第１のランダムアクセス手順を実行するための手段と、
前記複数のタイミングアドバンスグループのうちの第２のタイミングアドバンスグループにリンクされた第２のランダムアクセス手順を実行するための手段と
を備え、前記第２のランダムアクセス手順の１つまたは複数の部分は、前記第１のランダムアクセス手順の１つまたは複数の部分と重複する、
請求項２６に記載のワイヤレス通信システム。
【請求項２８】
システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始するための手段をさらに備える、
請求項１７に記載のワイヤレス通信システム。
【請求項２９】
クロスキャリアスケジューリングを可能にするために前記ダウンリンク制御チャネル中にクロスキャリア指示フィールドが含まれる、
請求項２８に記載のワイヤレス通信システム。
【請求項３０】
前記第１のタイミングアドバンスグループのための前記基準ダウンリンクコンポーネントキャリアは、ダウンリンクリピータによる同様の遅延をもつダウンリンクコンポーネントキャリアのセットから判断される、
請求項１７に記載のワイヤレス通信システム。
【請求項３１】
前記第１のタイミングアドバンスグループのための前記基準ダウンリンクコンポーネントキャリアは、同じタイプのキャリアをもつダウンリンクコンポーネントキャリアのセットから判断され、前記タイプのキャリアが少なくともレガシータイプのキャリアまたは新しいタイプのキャリアを含む、
請求項１７に記載のワイヤレス通信システム。
【請求項３２】
前記第１のタイミングアドバンスグループのための前記基準ダウンリンクコンポーネントキャリアは、同様のアクティビティファクタをもつダウンリンクコンポーネントキャリアのセットから判断される、
請求項１７に記載のワイヤレス通信システム。
【請求項３３】
コンピュータプログラムであって、
キャリアアグリゲーション動作の一部として複数のコンポーネントキャリアを識別するためのコードと、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断するためのコードと、ここで、前記複数のコンポーネントキャリア中の各コンポーネントキャリアが前記タイミングアドバンスグループのうちの１つ中に含まれる、
前記複数のタイミングアドバンスグループから第１のタイミングアドバンスグループを識別するためのコードと、ここで、前記第１のタイミングアドバンスグループは、プライマリコンポーネントキャリアを含まない、
無線リソース制御（ＲＲＣ）構成に少なくとも部分的に基づいて前記第１のタイミングアドバンスグループのための基準ダウンリンクコンポーネントキャリアを判断するためのコードと、
少なくとも前記第１のタイミングアドバンスグループ内のタイミング調整のために前記判断された基準ダウンリンクコンポーネントキャリアを利用するためのコードと
を備えるコンピュータプログラム。
【請求項３４】
前記ＲＲＣ構成を通して前記プライマリコンポーネントキャリアの指示を受信するためのコードをさらに備える、
請求項３３に記載のコンピュータプログラム。
【請求項３５】
前記プライマリコンポーネントキャリアは、前記判断された基準ダウンリンクコンポーネントキャリアである、請求項３４に記載のコンピュータプログラム。
【請求項３６】
前記複数のタイミングアドバンスグループからの第２のタイミングアドバンスグループ内のタイミング調整のために前記プライマリコンポーネントキャリアを利用するためのコードをさらに備え、前記プライマリコンポーネントキャリアが前記第２のタイミングアドバンスグループ中に含まれる、
請求項３４に記載のコンピュータプログラム。
【請求項３７】
前記１つまたは複数の識別されたダウンリンクキャリアのうちの１つまたは複数のダウンリンクコンポーネントキャリアは、前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
請求項３３に記載のコンピュータプログラム。
【請求項３８】
前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
請求項３７に記載のコンピュータプログラム。
【請求項３９】
前記基準ダウンリンクコンポーネントキャリアは、アクティブにされたダウンリンクコンポーネントキャリアのセットから判断される、
請求項３３に記載のコンピュータプログラム。
【請求項４０】
前記１つまたは複数のダウンリンクコンポーネントキャリアと前記２つ以上のアップリンクコンポーネントキャリアとが２つ以上の帯域に関連する、
請求項３３に記載のコンピュータプログラム。
【請求項４１】
前記第１のタイミングアドバンスグループのための前記基準ダウンリンクコンポーネントキャリアは、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
請求項４０に記載のコンピュータプログラム。
【請求項４２】
前記複数のタイミングアドバンスグループのうちの２つ以上に対して並列に複数のランダムアクセス手順を実行するためのコードをさらに備える、
請求項３３に記載のコンピュータプログラム。
【請求項４３】
前記複数のランダムアクセス手順を実行するための前記コードは、
前記第１のタイミングアドバンスグループにリンクされた第１のランダムアクセス手順を実行するためのコードと、
前記複数のタイミングアドバンスグループのうちの第２のタイミングアドバンスグループにリンクされた第２のランダムアクセス手順を実行するためのコードと
を備え、前記第２のランダムアクセス手順の１つまたは複数の部分は、前記第１のランダムアクセス手順の１つまたは複数の部分と重複する、
請求項４２に記載のコンピュータプログラム。
【請求項４４】
システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始するためのコードをさらに備える、
請求項３３に記載のコンピュータプログラム。
【請求項４５】
クロスキャリアスケジューリングを可能にするために前記ダウンリンク制御チャネル中にクロスキャリア指示フィールドが含まれる、
請求項４３に記載のコンピュータプログラム。
【請求項４６】
前記第１のタイミングアドバンスグループのための前記基準ダウンリンクコンポーネントキャリアが、ダウンリンクリピータによる同様の遅延をもつダウンリンクコンポーネントキャリアのセットから判断される、
請求項３３に記載のコンピュータプログラム。
【請求項４７】
前記第１のタイミングアドバンスグループのための前記基準ダウンリンクコンポーネントキャリアは、同じタイプのキャリアをもつダウンリンクコンポーネントキャリアのセットから判断され、前記タイプのキャリアが少なくともレガシータイプのキャリアまたは新しいタイプのキャリアを含む、
請求項３３に記載のコンピュータプログラム。
【請求項４８】
前記第１のタイミングアドバンスグループのための前記基準ダウンリンクコンポーネントキャリアは、同様のアクティビティファクタをもつダウンリンクコンポーネントキャリアのセットから判断される、
請求項３３に記載のコンピュータプログラム。
【請求項４９】
ワイヤレス通信デバイスであって、前記デバイスは、
少なくとも１つのプロセッサであって、
キャリアアグリゲーション動作の一部として複数のコンポーネントキャリアを識別することと、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断することと、ここで、前記複数のコンポーネントキャリア中の各コンポーネントキャリアは、前記タイミングアドバンスグループのうちの１つ中に含まれる、
前記複数のタイミングアドバンスグループから第１のタイミングアドバンスグループを識別することと、ここで、前記第１のタイミングアドバンスグループは、プライマリコンポーネントキャリアを含まない、
無線リソース制御（ＲＲＣ）構成に少なくとも部分的に基づいて前記第１のタイミングアドバンスグループのための基準ダウンリンクコンポーネントキャリアを判断することと、
少なくとも前記第１のタイミングアドバンスグループ内のタイミング調整のために前記判断された基準ダウンリンクコンポーネントキャリアを利用することと
を行うように構成される少なくとも１つのプロセッサと、
前記少なくとも１つのプロセッサに結合された少なくとも１つのメモリと
を備える、ワイヤレス通信デバイス。
【請求項５０】
前記少なくとも１つのプロセッサは、
前記ＲＲＣ構成を通して前記プライマリコンポーネントキャリアの指示を受信するようにさらに構成される、
請求項４９に記載のワイヤレス通信デバイス。
【請求項５１】
前記プライマリコンポーネントキャリアは、前記判断された基準ダウンリンクコンポーネントキャリアである、
請求項５０に記載のワイヤレス通信デバイス。
【請求項５２】
前記少なくとも１つのプロセッサは、
前記複数のタイミングアドバンスグループからの第２のタイミングアドバンスグループ内のタイミング調整のために前記プライマリコンポーネントキャリアを利用するようにさらに構成され、前記プライマリコンポーネントキャリアが前記第２のタイミングアドバンスグループ中に含まれる、
請求項５０に記載のワイヤレス通信デバイス。
【請求項５３】
前記１つまたは複数の識別されたダウンリンクキャリアのうちの１つまたは複数のダウンリンクコンポーネントキャリアは、前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
請求項４９に記載のワイヤレス通信デバイス。
【請求項５４】
前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
請求項５３に記載のワイヤレス通信デバイス。
【請求項５５】
前記基準ダウンリンクコンポーネントキャリアは、アクティブにされたダウンリンクコンポーネントキャリアのセットから判断される、
請求項４９に記載のワイヤレス通信デバイス。
【請求項５６】
前記１つまたは複数のダウンリンクコンポーネントキャリアと前記２つ以上のアップリンクコンポーネントキャリアとは、２つ以上の帯域に関連する、
請求項４９に記載のワイヤレス通信デバイス。
【請求項５７】
前記第１のタイミングアドバンスグループのための前記基準ダウンリンクコンポーネントキャリアは、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
請求項５６に記載のワイヤレス通信デバイス。
【請求項５８】
前記少なくとも１つのプロセッサは、
前記複数のタイミングアドバンスグループのうちの２つ以上に対して並列に複数のランダムアクセス手順を実行するようにさらに構成される、
請求項４９に記載のワイヤレス通信デバイス。
【請求項５９】
前記複数のランダムアクセス手順を実行するように構成される前記少なくとも１つのプロセッサは、
前記第１のタイミングアドバンスグループにリンクされた第１のランダムアクセス手順を実行することと、
前記複数のタイミングアドバンスグループのうちの第２のタイミングアドバンスグループにリンクされた第２のランダムアクセス手順を実行することと
を行うように構成され、前記第２のランダムアクセス手順の１つまたは複数の部分が前記第１のランダムアクセス手順の１つまたは複数の部分と重複する、
請求項５８に記載のワイヤレス通信デバイス。
【請求項６０】
前記少なくとも１つのプロセッサは、
システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始するようにさらに構成される、
請求項４９に記載のワイヤレス通信デバイス。
【請求項６１】
クロスキャリアスケジューリングを可能にするために前記ダウンリンク制御チャネル中にクロスキャリア指示フィールドが含まれる、
請求項６０に記載のワイヤレス通信デバイス。
【請求項６２】
前記第１のタイミングアドバンスグループのための前記基準ダウンリンクコンポーネントキャリアは、ダウンリンクリピータによる同様の遅延をもつダウンリンクコンポーネントキャリアのセットから判断される、
請求項４９に記載のワイヤレス通信デバイス。
【請求項６３】
前記第１のタイミングアドバンスグループのための前記基準ダウンリンクコンポーネントキャリアは、同じタイプのキャリアをもつダウンリンクコンポーネントキャリアのセットから判断され、前記タイプのキャリアが少なくともレガシータイプのキャリアまたは新しいタイプのキャリアを含む、
請求項４９に記載のワイヤレス通信デバイス。
【請求項６４】
前記第１のタイミングアドバンスグループのための前記基準ダウンリンクコンポーネントキャリアは、同様のアクティビティファクタをもつダウンリンクコンポーネントキャリアのセットから判断される、
請求項４９に記載のワイヤレス通信デバイス。
【発明の詳細な説明】
【関連出願】
【０００１】
相互関連出願
本特許出願は、本出願の譲受人に譲渡され、すべての目的のために参照により本明細書に明確に組み込まれる、２０１１年９月１２日に出願された「SUPPORT OF MULTIPLE TIMING ADVANCE GROUPS FOR USER EQUIPMENT IN CARRIER AGGREGATION IN LTE」と題する仮出願第６１／５３３，６１４号の優先権を主張する。本特許出願はまた、２０１２年３月１３日に出願された「SUPPORT OF MULTIPLE TIMING ADVANCE GROUPS FOR USER EQUIPMENT IN CARRIER AGGREGATION IN LTE」と題する仮出願第６１／６１０，１５１号の優先権を主張する。本特許出願はまた、本出願の譲受人に譲渡され、すべての目的のために参照により本明細書に明確に組み込まれる、２０１２年９月１１日に出願された「SUPPORT OF MULTIPLE TIMING ADVANCE GROUPS FOR USER EQUIPMENT IN CARRIER AGGREGATION IN LTE」と題する実用新案出願第１３／６１０，１３９号の優先権を主張する。
【背景技術】
【０００２】
ワイヤレス通信システムは、ボイス、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
概して、ワイヤレス多元接続通信システムは、各々が複数のモバイル端末のための通信を同時にサポートする、いくつかの基地局を含み得る。基地局は、ダウンストリームリンクとアップストリームリンクとの上でユーザ機器と通信し得る。各基地局は、セルのカバレージエリアと呼ばれ得るカバレージ範囲を有する。いくつかのワイヤレス多元接続通信システムは、複数のコンポーネントキャリアがアグリゲートされ、基地局とユーザ機器との間の送信のために一緒に使用される、キャリアアグリゲーションを利用し得る。これらの異なるキャリア上で送信および受信のための適切なタイミングを達成するために、異なるキャリア上の伝搬遅延および／または他のファクタ（たとえば、リピータ）による遅延をデバイスがなくすことを可能にするためのタイミングアドバンス情報が基地局からユーザ機器に配信され得る。タイミングアドバンス情報は、複数のモバイル端末から送信されるアップリンクストリームリンクの同期された受信タイミングを保証するのを助けることができる。複数のコンポーネントキャリアは異なるタイミングアドバンスグループにアグリゲートされ得る。場合によっては、複数のコンポーネントキャリアは、同様の遅延特性を有することに基づいて異なるタイミングアドバンスグループにアグリゲートされ得る。しかしながら、所与のタイミングアドバンスグループ内のコンポーネントキャリアの性質に応じてタイミングアドバンスグループの同期問題が起こり得る。
【発明の概要】
【０００４】
いくつかの実施形態は、複数のタイミングアドバンスグループにわたるタイミングアドバンスグループ同期情報を利用するための方法、システム、およびデバイスが提供される。キャリアアグリゲーション動作の一部として複数のコンポーネントキャリアの中で基準ダウンリンクコンポーネントキャリアが判断され得る。基準ダウンリンクコンポーネントキャリアは、ユーザ機器の無線リソース制御（ＲＲＣ：Radio Resource Control）構成に基づいて判断され得る。たとえば、（１つまたは複数の）ＲＲＣ構成メッセージがユーザ機器に送信され、ユーザ機器は、１つのキャリアをプライマリコンポーネントキャリア（ＰＣＣ：primary component carrier）として識別し、追加のキャリアをセカンダリコンポーネントキャリア（ＳＣＣ：secondary component carrier）として識別し得る。ＰＣＣとして識別されたキャリアは、ＰＣＣを含み得ずＳＣＣのみを含み得るタイミングアドバンスグループを含む、複数のタイミングアドバンスグループのための基準ダウンリンクキャリアとして働き得る。
【０００５】
いくつかの設計は、たとえば、ＳＣＣのアクティブ化ステータスが時間ごとに変化するときに利点を提供し得る。ＳＣＣを含んでいるがＰＣＣを含んでいないタイミングアドバンスグループは、対応するセカンダリセルの非アクティブ化のために同期問題に直面し得る。対照的に、ＰＣＣに対応するプライマリセルをもつタイミングアドバンスグループは、プライマリセルが非アクティブにされ得ないので同じ問題に直面し得ない。いくつかの態様はまた、ＳＩＢ２リンケージを通してなど、ＳＣＣを含むがＰＣＣを含まないタイミングアドバンスグループのタイミング情報を提供し得るいくつかの他の技法に勝る利点を提供する。たとえば、セカンダリセルダウンリンクコンポーネントキャリアがアクティブにされるかまたは非アクティブにされるとき、概して、ＳＩＢ２リンク化アップリンクコンポーネントキャリアもアクティブにされるかまたは非アクティブにされる。別の例として、基準ダウンリンクコンポーネントキャリアを判断する際にコンポーネントキャリアの特性が考慮に入れられ得る（アクティブ化ステータス、それがリピータを備えるかどうか、それが常時オンであるか周期的にオフにされるか、レガシーキャリアタイプであるか新しいキャリアタイプであるか、など）。
【０００６】
いくつかの態様は、複数のタイミングアドバンスグループにわたるタイミングアドバンスグループ同期情報を利用するための方法を含む。本方法は、キャリアアグリゲーション動作の一部として複数のコンポーネントキャリアを識別することを含み得る。複数のコンポーネントキャリアは、１つまたは複数のダウンリンクコンポーネントキャリアと、２つ以上のアップリンクコンポーネントキャリアとを含み得る。複数のタイミングアドバンスグループを判断し得る。複数のコンポーネントキャリア中の各コンポーネントキャリアは、タイミングアドバンスグループのうちの１つ中に含まれ得る。複数のタイミングアドバンスグループから第１のタイミングアドバンスグループを識別し得る。無線リソース制御（ＲＲＣ）構成に少なくとも部分的に基づいて第１のタイミングアドバンスグループのための基準ダウンリンクコンポーネントキャリアを判断し得る。少なくとも第１のタイミングアドバンスグループ内のタイミング調整のために、判断された基準ダウンリンクコンポーネントキャリアを利用し得る。
【０００７】
本方法は、ＲＲＣ構成を通してプライマリダウンリンクコンポーネントキャリアの指示を受信することをさらに含み得る。プライマリダウンリンクコンポーネントキャリアは、判断された基準ダウンリンクコンポーネントキャリアであり得る。いくつかの実施形態は、複数のタイミングアドバンスグループからの第２のタイミングアドバンスグループ内のタイミング調整のためにプライマリダウンリンクコンポーネントキャリアを利用することを含む。プライマリダウンリンクコンポーネントキャリアは第２のタイミングアドバンスグループ中に含まれ得る。
【０００８】
１つまたは複数の識別されたダウンリンクキャリアのうちの１つまたは複数のダウンリンクコンポーネントキャリアが第１のタイミングアドバンスグループ中に含まれ得る。基準ダウンリンクコンポーネントキャリアを判断することは、第１のタイミングアドバンスグループ中の１つまたは複数のダウンリンクコンポーネントキャリアのＲＲＣ構成に基づき得る。第１のタイミングアドバンスグループのための基準ダウンリンクコンポーネントキャリアは、第１のタイミングアドバンスグループ中の１つまたは複数のダウンリンクコンポーネントキャリアのうちの各々のために構成される複数のセルインデックスのうちの最小セルインデックスをもつダウンリンクコンポーネントキャリアであると判断され得る。
【０００９】
基準ダウンリンクコンポーネントキャリアは、アクティブにされたダウンリンクコンポーネントキャリアのセットから判断され得る。１つまたは複数のダウンリンクコンポーネントキャリアと２つ以上のアップリンクコンポーネントキャリアとは２つ以上の帯域に関連し得る。第１のタイミングアドバンスグループのための基準ダウンリンクコンポーネントキャリアは、同じ帯域または同様の帯域のダウンリンクコンポーネントキャリアのセットから判断され得る。一例として、基準ダウンリンクコンポーネントキャリアは、第１のタイミングアドバンスグループのためのランダムアクセス試行に関連するアップリンクコンポーネントキャリアと同じであるか同様の帯域のダウンリンクコンポーネントキャリアであると判断され得る。
【００１０】
いくつかの設計は、複数のタイミングアドバンスグループのうちの２つ以上に対して並列に複数のランダムアクセス手順を実行することを含む。複数のランダムアクセス手順を実行することは、第１のタイミングアドバンスグループにリンクされた第１のランダムアクセス手順を実行すること、および／または複数のタイミングアドバンスグループのうちの第２のタイミングアドバンスグループにリンクされた第２のランダムアクセス手順を実行することを含み得、第２のランダムアクセス手順の１つまたは複数の部分は第１のランダムアクセス手順の１つまたは複数の部分と重複する。
【００１１】
いくつかの態様は、システム情報ブロックブロードキャストを介してアップリンクコンポーネントキャリアにリンクされないダウンリンクコンポーネントキャリア上で送信されるダウンリンク制御チャネルを利用することを通して、第１のタイミングアドバンスグループ内のアップリンクコンポーネントキャリア上で非競合ベースランダムアクセス手順を開始することを含む。クロスキャリアスケジューリングを可能にするためにダウンリンク制御チャネル中にクロスキャリア指示フィールドが含まれ得る。
【００１２】
第１のタイミングアドバンスグループのための基準ダウンリンクコンポーネントキャリアは、ダウンリンクリピータによる同様の遅延をもつダウンリンクコンポーネントキャリアのセットから判断され得る。第１のタイミングアドバンスグループのための基準ダウンリンクコンポーネントキャリアは、同じキャリアタイプをもつダウンリンクコンポーネントキャリアのセットから判断され得、キャリアタイプは少なくともレガシーキャリアタイプまたは新しいキャリアタイプを含む。第１のタイミングアドバンスグループのための基準ダウンリンクコンポーネントキャリアは、同様のアクティビティファクタをもつダウンリンクコンポーネントキャリアのセットから判断され得る。
【００１３】
ＬＴＥのキャリアアグリゲーションにおけるユーザ機器のための複数のタイミングアドバンスグループをサポートするための方法、システム、およびデバイスが提供される。いくつかの実施形態は、プライマリコンポーネントキャリアなしのタイミングアドバンスグループのためのランダムアクセスのサポートを行う。いくつかの実施形態は、クロスキャリアランダムアクセス手順管理を可能にするためにタイミングアドバンスグループインデックスを利用する。他の実施形態は、複数のタイミングアドバンスグループにわたる並列ランダムアクセス手順をサポートする。いくつかの実施形態は、タイミングアドバンスグループ内のタイミングのための基準ダウンリンクコンポーネントキャリアを提供する。
【００１４】
複数のタイミングアドバンスグループのクロスキャリア管理のための方法、システム、および／またはデバイスが提供される。いくつかの実施形態では、複数のタイミングアドバンスグループのクロスキャリア管理のための方法が提供される。本方法は、タイミングアドバンスグループインデックスを生成することを含み得る。タイミングアドバンスグループインデックスは、複数のタイミングアドバンスグループからあるタイミングアドバンスグループを識別し得る。各グループはコンポーネントキャリアの異なるセットを含み得る。タイミングアドバンスグループインデックスはランダムアクセス手順の一部として送信され得る。
【００１５】
いくつかの実施形態では、複数のタイミングアドバンスグループからの第１のタイミングアドバンスグループはプライマリコンポーネントキャリアを含み、第２のタイミングアドバンスグループは少なくとも１つのセカンダリコンポーネントキャリアを含む。第１のタイミングアドバンスグループは１つまたは複数のセカンダリコンポーネントキャリアをも含み得るが、第２のタイミングアドバンスグループはプライマリコンポーネントキャリアを含まない。いくつかの実施形態は、第１のタイミングアドバンスグループと第２のタイミングアドバンスグループとのほかに追加のタイミングアドバンスグループをも含み得る。タイミングアドバンスグループの数は、限定はしないが、伝搬遅延特性、チャネル特性、ユーザ機器デバイス特性、および／またはコンポーネントキャリアの帯域幅特性を含む様々なファクタに依存し得る。
【００１６】
いくつかの実施形態では、タイミングアドバンスグループインデックスは情報のシングルビットとして送信される。情報のシングルビットの第１のビット構成は、タイミングアドバンスグループがプライマリコンポーネントキャリアを含むことを示し得、シングルビットの第２のビット構成は、タイミングアドバンスグループがプライマリコンポーネントキャリアなしに１つまたは複数のセカンダリコンポーネントキャリアを含むことを示し得る。いくつかの実施形態は、それらの情報を搬送するために追加のビットを利用し得るタイミングアドバンスインデックスを含み得る。ビット数はタイミングアドバンスグループの数に依存し得る。
【００１７】
タイミングアドバンスグループインデックスは、いくつかの実施形態ではＭＡＣペイロードの一部として送信され得る。タイミングアドバンスグループインデックスはＰＤＣＣＨペイロードの一部として送信され得る。いくつかの実施形態はまた、特定のタイミングアドバンスグループインデックスに関連するタイミングアドバンスグループ内のコンポーネントキャリアを識別するために無線リソース制御（ＲＲＣ）構成の一部としてコンポーネントキャリア識別子を送信することを含み得る。識別されたコンポーネントキャリアはランダムアクセス試行のために利用され得る。
【００１８】
いくつかの実施形態は、タイミングアドバンスグループインデックスの利用を通してクロスキャリアランダムアクセス応答手順管理を可能にし得る。いくつかの実施形態は、タイミングアドバンスグループインデックスの利用を通してクロスキャリアＰＤＣＣＨ命令を可能にし得る。
【００１９】
複数のタイミングアドバンスグループのためのクロスキャリア管理を行うための方法、システム、および／またはデバイスが提供される。いくつかの実施形態では、複数のタイミングアドバンスグループのためのクロスキャリア管理を行うための方法が提供される。本方法は、ランダムアクセス手順の一部としてタイミングアドバンスグループインデックスを受信することを含み得る。タイミングアドバンスグループインデックスは、データを送信するためのタイミングアドバンスグループを判断するために利用され得る。いくつかの実施形態は、クロスキャリアランダムアクセス手順管理を可能にするためにタイミングアドバンスグループインデックスを利用することをさらに含み得る。いくつかの実施形態は、クロスキャリアＰＤＣＣＨ命令管理を可能にするためにタイミングアドバンスグループインデックスを利用することをさらに含み得る。いくつかの実施形態は、特定のタイミングアドバンスグループインデックスに関連するタイミングアドバンスグループ内のコンポーネントキャリアを識別するために無線リソース制御（ＲＲＣ）構成の一部としてコンポーネントキャリア識別子を受信することをさらに含み得、識別されたコンポーネントキャリアはランダムアクセス手順のために利用される。
【００２０】
複数の並列ランダムアクセス手順を実行するための方法、システム、および／またはデバイスが提供される。いくつかの実施形態では、複数の並列ランダムアクセス手順を実行するための方法が提供される。本方法は、コンポーネントキャリアの第１のタイミングアドバンスグループに関連する第１のランダムアクセス手順を実行することを含み得る。コンポーネントキャリアの第２のタイミングアドバンスグループに関連する第２のランダムアクセス手順が実行され得、第２のランダムアクセス手順の１つまたは複数の部分は第１のランダムアクセス手順の１つまたは複数の部分と重複する。
【００２１】
いくつかの実施形態は、第１のランダムアクセス手順と第２のランダムアクセス手順とに関して電力優先順位付けを実行することを含み得る。電力優先順位付けを実行することは、第１のランダムアクセス手順と第２のランダムアクセス手順とに関して等電力スケーリングを実行することを含み得る。いくつかの実施形態では、電力優先順位付けを実行することは、コンポーネントキャリアの第２のタイミングアドバンスグループに関して第２のランダムアクセス試行を送信するより前に、コンポーネントキャリアの第１のタイミングアドバンスグループに関して第１のランダムアクセス試行を送信することを含み得、コンポーネントキャリアの第１のタイミングアドバンスグループはプライマリコンポーネントキャリアを含む。
【００２２】
いくつかの実施形態では、第１のランダムアクセス手順は非競合ベースランダムアクセス手順を含み得、第２のランダムアクセス手順は競合ベースランダムアクセス手順を含み得る。この場合に電力優先順位付けを実行することは、コンポーネントキャリアの第２のタイミングアドバンスグループに関して第２のランダムアクセス試行を送信するより前に、コンポーネントキャリアの第１のタイミングアドバンスグループに関して第１のランダムアクセス試行を送信することを含み得る。
【００２３】
いくつかの実施形態は、第１のランダムアクセス手順の一部として第１のランダムアクセス応答を含む第１のサブフレームを構成することを含み得る。第２のランダムアクセス応答を含む第２のサブフレームが、第２のランダムアクセス手順の一部として構成され得る。第１のサブフレームおよび第２のサブフレームは送信され得る。その結果、第１のランダムアクセス応答と第２のランダムアクセス応答とは同じサブフレーム中で送信されないことがある。いくつかの実施形態は、非周期チャネル品質インジケータ（Ａ−ＣＱＩ：aperiodic channel quality indicator）をトリガすることを含み得る。
【００２４】
タイミングアドバンスグループ同期情報を利用するための方法、システム、および／またはデバイスが提供される。いくつかの実施形態では、タイミングアドバンスグループ同期情報を利用するための方法が提供される。本方法は、基準ダウンリンクコンポーネントキャリアを判断することを含み得る。基準ダウンリンクコンポーネントキャリアは、複数のタイミングアドバンスグループからの第１のタイミングアドバンスグループ内のタイミング調整のために利用され得る。各タイミングアドバンスグループは少なくとも１つのダウンリンクコンポーネントキャリアを含み得る。
【００２５】
いくつかの実施形態では、第２のタイミングアドバンスグループがプライマリコンポーネントキャリアを含む。いくつかの実施形態では、基準ダウンリンクコンポーネントキャリアを判断することは、基準ダウンリンクコンポーネントキャリアを判断するためにランダムアクセス試行に関連するアップリンクコンポーネントキャリアにリンクされたダウンリンクコンポーネントキャリアを利用することを含む。ダウンリンクコンポーネントキャリアは、ＳＩＢ２リンケージを通してアップリンクコンポーネントキャリアにリンクされ得る。いくつかの実施形態では、基準ダウンリンクコンポーネントキャリアを判断することは、無線リソース制御（ＲＲＣ）構成から基準ダウンリンクコンポーネントキャリアを判断することを含み得る。基準ダウンリンクキャリアは、ＲＲＣ構成においてプライマリコンポーネントキャリア（ＰＣＣ）として示され得る。ＰＣＣは、複数のタイミングアドバンスグループからの第２のタイミングアドバンスグループ内のタイミング基準として利用され得る。
【００２６】
マルチキャリアユーザ機器（ＵＥ）によってランダムアクセスを実行するための方法、システム、および／またはデバイスが提供される。いくつかの実施形態では、ＵＥは、ランダムアクセス手順を開始するように構成されたダウンリンク制御メッセージを受信する。ＵＥは、物理ランダムアクセスチャネル（ＰＲＡＣＨ）上でダウンリンク制御メッセージに対する応答を送信する。ＵＥは、プライマリコンポーネントキャリア上でアクセス許可を受信し得、ランダムアクセス許可に基づいてセカンダリコンポーネントキャリア（ＳＣＣ）のセットを判断し得る。ＵＥは、ＳＣＣのセットに適用可能なタイミングアドバンス情報を取得するためにＳＣＣのセット中のキャリアを使用してランダムアクセス手順を完了し得る。ダウンリンク制御メッセージを受信することは、ＵＥ固有探索空間において物理ダウンリンク制御チャネル（ＰＤＣＣＨ）メッセージを検出することを含み得る。ランダムアクセス許可を受信することは、ＰＣＣの共通探索空間においてＰＤＣＣＨメッセージを検出することを含み得る。
【００２７】
いくつかの実施形態では、本方法は、ランダムアクセス許可とともに媒体アクセス制御（ＭＡＣ）プロトコルデータユニット（ＰＤＵ：protocol data unit）を取得することをさらに含み得る。ＭＡＣ  ＰＤＵに基づいてＳＣＣのセットに対応するタイミングアドバンス（ＴＡ：timing advance）グループインデックスが判断され得る。いくつかの実施形態は、ＵＥのために構成されたコンポーネントキャリアに対応するＴＡグループの構成を受信することをさらに含み得る。ＴＡグループの構成は、少なくとも、ＰＣＣを含む第１のＴＡグループと、（ＰＣＣでない）セカンダリＣＣのセットを含む第２のＴＡグループとを含み得る。いくつかの実施形態は、ＴＡグループインデックスに基づいてランダムアクセス手順を完了するために基準ダウンリンクＣＣを判断することをさらに含み得る。いくつかの実施形態では、本方法は、ＰＤＣＣＨペイロードの一部としてＳＣＣのセットに対応するＴＡグループインデックスを判断することをさらに含み得る。
【００２８】
いくつかの実施形態では、ランダムアクセス手順を開始するように構成されたダウンリンク制御メッセージは、ＳＣＣのセットに対応する識別子を備え、ダウンリンク制御メッセージに対する応答を送信することは、その識別子に基づいてＰＲＡＣＨを送信するためにＳＣＣを判断することをさらに含む。
【００２９】
ランダムアクセス手順は、ＵＥの第１のランダムアクセス手順を含み得る。本方法は、第１のランダムアクセス手順と同時に第２のランダムアクセス手順を開始することをさらに含み得る。いくつかの実施形態は、第１のランダムアクセス手順と第２のランダムアクセス手順との間で電力を割り振るための優先順位を判断することを含み得る。いくつかの実施形態は、第１のランダムアクセス手順が競合なしランダムアクセス手順を備え、第２のランダムアクセス手順が競合ベースランダムアクセス手順を備えるとき、第２のランダムアクセス手順よりも高い優先順位で第１のランダムアクセス手順に電力を割り振ることをさらに含み得る。いくつかの実施形態は、第２のランダムアクセス手順が、ＵＥのプライマリコンポーネントキャリアを備えるキャリアのグループに対して実行されるとき、第１のランダムアクセス手順よりも高い優先順位で第２のランダムアクセス手順に電力を割り振ることをさらに含み得る。優先順位を判断することは、各ＣＣについて等電力スケーリングを実行することを含み得る。
【００３０】
基地局によってランダムアクセスを実行するための方法、システム、および／またはデバイスが提供される。いくつかの実施形態では、基地局は、ユーザ機器においてランダムアクセス手順を開始するように構成されたダウンリンク制御メッセージを送信し得る。基地局は、ＰＲＡＣＨ上でダウンリンク制御メッセージに対する応答を受信し得る。その後、基地局は、ユーザ機器のＰＣＣ上でアクセス許可を送信し得、アクセス許可はＳＣＣのセットに関する情報を含む。また、ＳＣＣのセットに適用可能なＴＡ情報が、ＳＣＣのセット中のキャリアを使用して送信され得る。
【００３１】
ダウンリンク制御メッセージを送信することは、ＵＥ固有探索空間においてＰＤＣＣＨメッセージを送信することを含み得る。ランダムアクセス許可を送信することは、ＰＣＣの共通探索空間においてＰＤＣＣＨメッセージを送信することを含み得る。
【００３２】
いくつかの実施形態では、基地局によってランダムアクセスを実行するための方法は、ランダムアクセス許可とともにＭＡＣ  ＰＤＵを送信することをさらに含み得る。ランダムアクセス許可とともにＳＣＣのセットに対応するＴＡグループインデックスが送信され得る。基地局は、ＵＥのために構成されるコンポーネントキャリアを複数のＴＡグループに構成し得、ＴＡグループ構成をＵＥに送信し得る。基地局は、ランダムアクセス手順中にＭＡＣ  ＰＤＵの一部としてＴＡグループインデックスを含み得る。ＴＡグループの構成は、少なくとも、ＰＣＣを含む第１のＴＡグループと、セカンダリＣＣのセットを含む第２のＴＡグループとを含み得る。ＴＡグループインデックスに基づいてランダムアクセス手順を完了するために基準ダウンリンクＣＣが送信され得る。
【００３３】
いくつかの実施形態では、基地局によってランダムアクセスを実行するための方法は、ＰＤＣＣＨペイロードの一部としてＳＣＣのセットに対応するＴＡグループインデックスを送信することをさらに含み得る。いくつかの実施形態では、ランダムアクセス手順を開始するように構成されるダウンリンク制御メッセージは、ＳＣＣのセットに対応する識別子を含み得る。ダウンリンク制御メッセージに対する応答を受信することは、識別子に基づいてＳＣＣ上でＰＲＡＣＨを受信することをさらに含み得る。
【００３４】
上記の方法は、方法のうちの１つまたは複数を実行するための手段、方法のうちの１つまたは複数を実行するように構成されるプロセッサを含み得るワイヤレス通信デバイス、および／または方法のうちの１つまたは複数を実行するためのコードを含み得るコンピュータ可読記憶媒体を含むコンピュータプログラム製品を含み得る、様々なワイヤレス通信システムを利用して実装され得る。
【００３５】
上記では、以下の詳細な説明がより良く理解され得るように、開示による例についてやや広く概説した。以下で、追加の特徴について説明する。開示する特定の例は、本開示の同じ目的を実行するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【図面の簡単な説明】
【００３６】
以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】様々な実施形態によるワイヤレス通信システムを示すブロック図。
【図２】様々な実施形態によるワイヤレス通信システムを示すブロック図。
【図３Ａ】様々な実施形態によるタイミングアドバンスグループの構成を示す図。
【図３Ｂ】様々な実施形態によるタイミングアドバンスグループのさらなる構成を示す図。
【図４Ａ】様々な実施形態によるランダムアクセス手順の一例を示す図。
【図４Ｂ】様々な実施形態によるランダムアクセス手順の一例を示す図。
【図４Ｃ】様々な実施形態によるランダムアクセス手順の一例を示す図。
【図５】様々な実施形態によるタイミングアドバンスグループインデックステーブルの一例を示す図。
【図６】様々な実施形態による並列ランダムアクセス手順の一例を示す図。
【図７Ａ】様々な実施形態による、キャリアアグリゲーションにおけるユーザ機器のための複数のタイミングアドバンスグループのサポートを行い得るデバイスを示すブロック図。
【図７Ｂ】様々な実施形態による、キャリアアグリゲーションにおけるユーザ機器のための複数のタイミングアドバンスグループのサポートを行い得るユーザ機器を示すブロック図。
【図８Ａ】様々な実施形態による、キャリアアグリゲーションにおけるユーザ機器のための複数のタイミングアドバンスグループのサポートを行い得るデバイスを示すブロック図。
【図８Ｂ】様々な実施形態による、キャリアアグリゲーションにおけるユーザ機器のための複数のタイミングアドバンスグループのサポートを行い得るユーザ機器を示すブロック図。
【図９Ａ】様々な実施形態による、キャリアアグリゲーションにおけるユーザ機器のための複数のタイミングアドバンスグループのサポートを行い得るデバイスを示すブロック図。
【図９Ｂ】様々な実施形態による、キャリアアグリゲーションにおけるユーザ機器のための複数のタイミングアドバンスグループをサポートするように構成され得る通信システムを示すブロック図。
【図１０Ａ】様々な実施形態による、複数のタイミングアドバンスグループのためのクロスキャリア管理を行うための方法を示すフローチャート。
【図１０Ｂ】様々な実施形態による、複数のタイミングアドバンスグループのためのクロスキャリア管理を行うための方法を示すフローチャート。
【図１１Ａ】様々な実施形態による、複数のタイミングアドバンスグループのためのクロスキャリア管理を行うための方法を示すフローチャート。
【図１１Ｂ】様々な実施形態による、複数のタイミングアドバンスグループのためのクロスキャリア管理を行うための方法を示すフローチャート。
【図１２Ａ】様々な実施形態による、複数の並列ランダムアクセス手順を実行するための方法を示すフローチャート。
【図１２Ｂ】様々な実施形態による、複数の並列ランダムアクセス手順を実行するための方法を示すフローチャート。
【図１３】タイミングアドバンスグループ同期情報を利用するための方法のフローチャート。
【図１４】マルチキャリアユーザ機器によってランダムアクセスを実行するための方法のフローチャート。
【図１５】基地局によってランダムアクセスを実行するための方法のフローチャート。
【図１６】様々な実施形態による、タイミングアドバンスグループ同期情報を利用するための方法のフローチャート。
【発明を実施するための形態】
【００３７】
マルチキャリアユーザ機器のための複数のタイミングアドバンスグループをサポートするための方法、システム、およびデバイスについて説明する。複数のタイミングアドバンスグループにわたるタイミングアドバンスグループ同期情報が提供され得る。いくつかの設計では、プライマリコンポーネントキャリアを含まないことがあるタイミングアドバンスグループに関してランダムアクセス手順を実行するためのサポートが行われ得る。クロスキャリアランダムアクセス手順管理を可能にするためにタイミングアドバンスグループインデックスが利用され得る。他の態様は、複数のタイミングアドバンスグループにわたる並列ランダムアクセス手順をサポートし得る。場合によっては、タイミングアドバンスグループ内のタイミングのための基準ダウンリンクコンポーネントキャリアが与えられ得る。
【００３８】
以下の説明は、例を与えるものであり、特許請求の範囲に記載される範囲、適用性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３９】
本明細書で説明する様々な技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のシステムおよび無線技術、ならびに他のシステムおよび無線技術に使用され得る。ただし、上記の説明では、例としてＬＴＥおよび／またはＬＴＥ−Ａｄｖａｎｃｅｄシステムについて説明し、上記の説明の大部分においてＬＴＥ用語が使用されるが、本技法はＬＴＥ適用例以外に適用可能である。
【００４０】
最初に図１を参照すると、ブロック図に、ワイヤレス通信システム１００の一例が示されている。システム１００は、セル１１０中に配設されたトランシーバ基地局１０５と、モバイルユーザ機器１１５（ＵＥ）と、コントローラ１２０と、コアネットワーク１２５とを含む。ユーザ機器（ＵＥ）、モバイルデバイス、アクセス端末などのような用語は、本明細書では互換的に使用され、特定のネットワークトポロジーまたは実装形態を暗示するものではないことは注目に値する。
【００４１】
システム１００は、複数のキャリア（異なる周波数の波形信号）および／またはキャリアアグリゲーション上での動作をサポートし得る。キャリアアグリゲーションでは、ユーザ機器１１５は、複数のコンポーネントキャリア（ＣＣ：component carrier）を使用して通信するようにサービング基地局１０５によって構成され得る。ＵＥ１１５のために構成されるＣＣはアップリンクＣＣとダウンリンクＣＣをと含み得、それらはさらにプライマリコンポーネントキャリア（ＰＣＣ）またはセカンダリコンポーネントキャリア（ＳＣＣ）として記述され得る。システム１００の一例では、各ＵＥ１１５について、１つのＣＣがアップリンク送信およびダウンリンク送信のためのＰＣＣとして指定され、追加のＣＣがＳＣＣとして指定される。以下でより詳細に説明するように、これらの異なるＣＣは、それらの遅延特性など、異なるファクタに基づいて異なるタイミングアドバンスグループにアグリゲートされ得る。異なる実施形態は、所与のタイミングアドバンスグループ内のコンポーネントキャリアの性質に応じてタイミングアドバンスグループについて起こり得る異なる同期問題に対処し得る。
【００４２】
基地局１０５は、基地局アンテナを介してユーザ機器１１５とワイヤレス通信することができる。基地局１０５は、複数のキャリアを介してコントローラ１２０の制御下でユーザ機器１１５と通信するように構成され得る。基地局１０５の各々は、それぞれの地理的エリア、ここでは、セル１１０ａ、１１０ｂ、または１１０ｃに通信カバレージを与えることができる。システム１００は、異なるタイプの基地局１０５、たとえば、マクロ基地局、ピコ基地局、および／またはフェムト基地局を含み得る。基地局１０５は、ノードＢ、ホームノードＢ、ｅノードＢおよび／またはホームｅノードＢ基地局を含み得る。
【００４３】
ユーザ機器１１５はセル１１０全体に分散され得る。ユーザ機器１１５は、移動局、モバイルデバイス、ユーザ機器（ＵＥ）、または加入者ユニットと呼ばれることがある。ここで、ユーザ機器１１５は、セルラーフォンおよびワイヤレス通信デバイスを含むが、携帯情報端末（ＰＤＡ）、他のハンドヘルドデバイス、ネットブック、ノートブックコンピュータなどをも含むことができる。
【００４４】
以下の説明のために、ユーザ機器１１５は、複数のマクロ基地局１０５によって可能にされるマクロネットワークまたは同様のネットワーク上で動作し得る（そのネットワークに「とどまる」）。各マクロ基地局１０５は、比較的大きい地理的エリア（たとえば、半径数キロメートル）をカバーし得、サービスに加入している端末による無制限のアクセスを可能にし得る。
【００４５】
システム１００は、キャリアアグリゲーションにおいてユーザ機器１１５のための複数のタイミングアドバンスグループをサポートするＬＴＥシステムであり得る。キャリアアグリゲーションでは、複数のコンポーネントキャリアがアグリゲートされ、基地局１０５とＵＥ１１５との間の送信のために一緒に使用され得る。これらの異なるキャリア上で送信および受信のための適切なタイミングを達成するために、異なるキャリア上の伝搬遅延および／または他のファクタ（たとえば、リピータ）による遅延をＵＥ１１５がなくすことを可能にするためのタイミングアドバンス情報が基地局１０５からＵＥ１１５に配信され得る。タイミングアドバンス情報は、複数のＵＥ１１５から送信されるアップリンクストリームリンクの同期された受信タイミングを保証するのを助けることができる。複数のコンポーネントキャリア（ＣＣ）は異なるタイミングアドバンスグループにアグリゲートされ得る。場合によっては、複数のコンポーネントキャリアは、同様の遅延特性を有することに基づいて異なるタイミングアドバンスグループにアグリゲートされ得る。しかしながら、所与のタイミングアドバンスグループ内のコンポーネントキャリアの性質に応じてタイミングアドバンスグループの同期問題が起こり得る。システム１００は、様々な実施形態によるこれらの問題に対して異なる解決策を与え得る。
【００４６】
たとえば、異なるＣＣは、ＵＥ１１５について異なる遅延特性を有し得る。複数のＣＣは、同様の遅延特性を有することに基づいて異なるタイミングアドバンスグループにアグリゲートされ得る。複数のＵＥ１１５からのアップリンク送信は、概して、適切に整合される必要がある。これは、概して、タイミング調整のために１つまたは複数の基準を利用することを伴う。１つの自然的な手法は、アップリンクＣＣとダウンリンクＣＣとの間のＳＩＢ２リンケージを利用することを伴い得る。
【００４７】
タイミングアドバンスグループを用いて、同様の特性をもつＣＣが互いにグループ化され得る。異なるタイミングアドバンスグループは、したがって、基準ＣＣなどのタイミング基準に関して異なる考慮事項を伴い得る。たとえば、セカンダリＣＣはアクティブおよび非アクティブにされ得るが、プライマリＣＣは概して常にアクティブにされる。場合によっては、システムは、基準ＣＣを選択する際に自律性をＵＥ１１５に与えないことを通して恩恵を受け得る。代わりに、ＰＣＣは概して基準ＣＣとして利用され得る。ＰＣＣは異なるタイミングアドバンスグループにわたって基準ＣＣとして利用され得るが、異なる実装形態は、異なるタイミングアドバンスグループ中のＣＣのためのＰＣＣに関して異なるオフセットを利用し得る。以下でより詳細に説明するように、ＰＣＣなどの基準ダウンリンクＣＣを判断することは、ユーザ機器１１５による無線リソース制御（ＲＲＣ）構成に部分的に基づき得る。
【００４８】
たとえば、いくつかの実施形態では、ユーザ機器１１５は、複数のタイミングアドバンスグループにわたってタイミングアドバンスグループ同期情報を利用するために構成され得る。ユーザ機器１１５は、キャリアアグリゲーション動作の一部として複数のコンポーネントキャリアを識別するように構成され得る。複数のコンポーネントキャリアは、１つまたは複数のダウンリンクコンポーネントキャリアと、２つ以上のアップリンクコンポーネントキャリアとを含み得る。複数のタイミングアドバンスグループがユーザ機器１１５によって判断され得る。複数のコンポーネントキャリア中の各コンポーネントキャリアは、タイミングアドバンスグループのうちの１つ中に含まれ得る。複数のタイミングアドバンスグループからの第１のタイミングアドバンスグループがユーザ機器１１５によって識別され得る。ユーザ機器１１５によるＲＲＣ構成に少なくとも部分的に基づいて第１のタイミングアドバンスグループのための基準ダウンリンクコンポーネントキャリアが判断され得る。判断された基準ダウンリンクコンポーネントキャリアは、少なくとも第１のタイミングアドバンスグループ内のタイミング調整のためにユーザ機器１１５によって利用され得る。
【００４９】
いくつかの実施形態では、ユーザ機器１１５は、ＲＲＣ構成を通してプライマリダウンリンクコンポーネントキャリアの指示を基地局１０５から受信し得る。プライマリダウンリンクコンポーネントキャリアは、判断された基準ダウンリンクコンポーネントキャリアであり得る。
【００５０】
ユーザ機器１１５は、複数のタイミングアドバンスグループからの第２のタイミングアドバンスグループ内のタイミング調整のためにプライマリダウンリンクコンポーネントキャリアを利用し得る。プライマリダウンリンクコンポーネントキャリアは第２のタイミングアドバンスグループ中に含まれ得る。
【００５１】
いくつかの実施形態では、１つまたは複数の識別されたダウンリンクキャリアのうちの１つまたは複数のダウンリンクコンポーネントキャリアが第１のタイミングアドバンスグループ中に含まれる。ユーザ機器１１５によって基準ダウンリンクコンポーネントキャリアを判断することは、第１のタイミングアドバンスグループ中の１つまたは複数のダウンリンクコンポーネントキャリアのＲＲＣ構成に基づき得る。第１のタイミングアドバンスグループのための基準ダウンリンクコンポーネントキャリアは、第１のタイミングアドバンスグループ中の１つまたは複数のダウンリンクコンポーネントキャリアのうちの各々のために構成される複数のセルインデックスのうちの最小セルインデックスをもつダウンリンクコンポーネントキャリアであるとユーザ機器１１５によって判断され得る。
【００５２】
ユーザ機器１１５は、アクティブにされたダウンリンクコンポーネントキャリアのセットから基準ダウンリンクコンポーネントキャリアを判断し得る。１つまたは複数のダウンリンクコンポーネントキャリアと２つ以上のアップリンクコンポーネントキャリアとは２つ以上の帯域に関連し得る。第１のタイミングアドバンスグループのための基準ダウンリンクコンポーネントキャリアは、同じ帯域または同様の帯域のダウンリンクコンポーネントキャリアのセットから判断され得る。一例として、基準ダウンリンクコンポーネントキャリアは、第１のタイミングアドバンスグループのためのランダムアクセス試行に関連するアップリンクコンポーネントキャリアと同じであるか同様の帯域のダウンリンクコンポーネントキャリアであると判断され得る。
【００５３】
ユーザ機器１１５は、複数のタイミングアドバンスグループのうちの２つ以上に対して並列に複数のランダムアクセス手順を実行し得る。複数のランダムアクセス手順を実行することは、第１のタイミングアドバンスグループにリンクされた第１のランダムアクセス手順を実行すること、および／または複数のタイミングアドバンスグループのうちの第２のタイミングアドバンスグループにリンクされた第２のランダムアクセス手順を実行することを含み得、第２のランダムアクセス手順の１つまたは複数の部分は第１のランダムアクセス手順の１つまたは複数の部分と重複する。
【００５４】
ユーザ機器１１５は、システム情報ブロックブロードキャストを介してアップリンクコンポーネントキャリアにリンクされないダウンリンクコンポーネントキャリア上で送信されるダウンリンク制御チャネルを利用することを通して、第１のタイミングアドバンスグループ内のアップリンクコンポーネントキャリア上で非競合ベースランダムアクセス手順を開始し得る。クロスキャリアスケジューリングを可能にするためにダウンリンク制御チャネル中にクロスキャリア指示フィールドが含まれ得る。
【００５５】
第１のタイミングアドバンスグループのための基準ダウンリンクコンポーネントキャリアは、ダウンリンクリピータによる同様の遅延をもつダウンリンクコンポーネントキャリアのセットからユーザ機器１１５によって判断され得る。第１のタイミングアドバンスグループのための基準ダウンリンクコンポーネントキャリアは、同じキャリアタイプをもつダウンリンクコンポーネントキャリアのセットからユーザ機器１１５によって判断され得、キャリアタイプは少なくともレガシーキャリアタイプまたは新しいキャリアタイプを含む。第１のタイミングアドバンスグループのための基準ダウンリンクコンポーネントキャリアは、同様のアクティビティファクタをもつダウンリンクコンポーネントキャリアのセットからユーザ機器１１５によって判断され得る。
【００５６】
システム１００は、ユーザ機器１１５および／または基地局１０５を通してなど、基準ダウンリンクコンポーネントキャリアを判断する際にコンポーネントキャリアの異なる特性を考慮に入れ得る（たとえば、それがリピータを備えるかどうか、それが常時オンであるか周期的にオフにされるか、それが新しいキャリアタイプであるかレガシーキャリアタイプであるか、など）。あるコンポーネントキャリアはリピータを備え得るが、別のコンポーネントキャリアはリピータを備えない。所与のタイミングアドバンスグループのための基準ダウンリンクコンポーネントキャリアを判断する際に、リピータ（ダウンリンクリピータ、またはアップリンクリピータ、またはそれらの組合せのいずれか）による同じであるか同様の遅延特性のコンポーネントキャリアは、所与のタイミングアドバンスグループのための基準ダウンリンクコンポーネントキャリアの考えられる候補であると判断され得る。異なるコンポーネントキャリアは異なるアクティビティファクタを有し得る。コンポーネントキャリアは、周期的にオンにされ得、標準キャリアと比較してはるかに低い頻度のダウンリンク情報を搬送する。その場合、基準ダウンリンクコンポーネントキャリアとしてこのコンポーネントキャリアを使用することを回避することが好ましいことがある。あるコンポーネントキャリアはレガシーキャリアタイプであり得、別のコンポーネントキャリアは新しいキャリアタイプであり得る。同じタイプのキャリアは、所与のタイミングアドバンスグループのための基準ダウンリンクコンポーネントキャリアの考えられる候補であると判断され得る。
【００５７】
いくつかの実施形態では、基地局１０５および／またはユーザ機器１１５は、ランダムアクセス手順に関して複数のタイミングアドバンス（ＴＡ）グループをサポートするように構成され得る。たとえば、異なるタイミングアドバンス情報が、ランダムアクセスプロセスの一部としてアップリンクキャリアの異なるグループについてユーザ機器１１５に送信され得る。第１のタイミングアドバンス情報はアップリンクキャリアの第１のサブセットに適用可能であり得るが、第２のタイミングアドバンス情報は、特定のユーザ機器１１５のために構成される（たとえば、リピータによる）アップリンクキャリアの第２の異なるサブセットに適用可能であり得る。ユーザ機器１１５は２つ以上のタイミングアドバンスグループをサポートし得、いくつかの態様では、ユーザ機器１１５は、各グループ中のキャリアに適用可能なタイミング調整情報を取得するために並列ランダムアクセス手順を行い得る。いくつかのタイミングアドバンスグループはプライマリコンポーネントキャリアを含まないことがあり、そのようなグループには異なる指定が適用可能であり得る。
【００５８】
本明細書で説明するように、システム１００は、プライマリコンポーネントキャリアなしにタイミングアドバンスグループのためのランダムアクセス手順をサポートすることができる。いくつかの態様では、基地局１０５とユーザ機器１１５との間のランダムアクセス手順は、異なる探索空間および／または異なるコンポーネントキャリア中でメッセージを利用し得る。いくつかのメッセージは、ユーザ機器固有探索空間（user equipment-specific search space）（「ＵＥＳＳ」）中で送信され得る。他のメッセージは、プライマリコンポーネントキャリア上の共通探索空間（common search space）（「ＣＳＳ」）中で送信され得る。追加の実施形態は、セカンダリコンポーネントキャリア上の共通探索空間を利用し得る。いくつかの実施形態は非競合ベースランダムアクセス手順を利用し得るが、他の実施形態は競合ベースランダムアクセス手順を利用し得る。プライマリキャリアコンポーネントなしのタイミングアドバンスグループのためのランダムアクセスのサポートを行うことに関するさらなる詳細について本明細書で説明する。
【００５９】
いくつかの実施形態は、クロスキャリアランダムアクセス手順管理を可能にするためにタイミングアドバンスグループインデックスを利用する。たとえば、ランダムアクセス手順の一部として、基地局１０５は、タイミングアドバンスグループインデックスを含むランダムアクセス応答をユーザ機器１１５に送信し得る。ＴＡグループインデックスを使用して、ユーザ機器１１５は、ランダムアクセス手順をそれで完了すべきキャリアを判断し得る。ランダムアクセス応答管理を含むクロスキャリア管理の異なる態様は、タイミングアドバンスグループインデックス情報を使用して可能にされ得る。クロスキャリアランダムアクセス手順管理を可能にするためにタイミングアドバンスグループインデックスを利用することに関するさらなる詳細について本明細書で説明する。
【００６０】
いくつかの実施形態は、複数のタイミングアドバンスグループにわたる並列ランダムアクセス手順をサポートする。たとえば、基地局１０５とユーザ機器１１５との間で複数の並列ランダムアクセス手順が行われ得る。いくつかの実施形態は、これらの重複するアクセス手順を可能にするために電力優先順位付けを利用し得る。いくつかの実施形態は、これらの並列ランダムアクセス手順内でトリガされる非周期チャネル品質インジケータ（Ａ−ＣＱＩ）を提供し得る。複数のタイミングアドバンスグループにわたって並列ランダムアクセス手順をサポートすることに関するさらなる詳細について本明細書で説明する。
【００６１】
いくつかの実施形態は、タイミングアドバンスグループ内のタイミングのための基準ダウンリンクコンポーネントキャリアを提供する。たとえば、ユーザ機器１１５は、タイミングアドバンスグループ内のタイミングのために基地局１０５から基準ダウンリンクコンポーネントキャリアを利用し得る。タイミングアドバンスグループ内のタイミングのための基準ダウンリンクコンポーネントキャリアを提供することに関するさらなる詳細について本明細書で説明する。
【００６２】
図２は、基地局１０５ａとユーザ機器１１５ａとを含むワイヤレス通信システム２００のブロック図である。このシステム２００は、図１のシステム１００の一例であり得る。基地局１０５ａはアンテナ２３４ａ〜２３４ｘを装備し得、ユーザ機器１１５ａはアンテナ２５２ａ〜２５２ｎを装備し得る。基地局１０５において、送信プロセッサ２２０がデータソースからデータを受信し得る。
【００６３】
送信プロセッサ２２０および／またはプロセッサ２４０は、データを処理および／または送信し得る。送信プロセッサ２２０はまた、基準シンボルとセル固有基準信号とを生成し得る。送信（ＴＸ）ＭＩＭＯプロセッサ２３０が、適用可能な場合、データシンボル、制御シンボル、および／または基準シンボルに対して空間処理（たとえば、プリコーディング）を実行し得、出力シンボルストリームを送信変調器２３２ａ〜２３２ｘに与え得る。各変調器２３２は、（たとえば、ＯＦＤＭなどのために）それぞれの出力シンボルストリームを処理して、出力サンプルストリームを取得し得る。各変調器２３２はさらに、出力サンプルストリームを処理（たとえば、アナログへの変換、増幅、フィルタ処理、およびアップコンバート）して、ダウンリンク信号を取得し得る。一例では、変調器２３２ａ〜２３２ｘからのＤＬ信号は、それぞれアンテナ２３４ａ〜２３４ｘを介して送信され得る。
【００６４】
プロセッサ２４０、ＴＸ  ＭＩＭＯプロセッサ２３０、および／または送信プロセッサ２２０は、いくつかの実施形態では、プライマリコンポーネントキャリアなしにタイミングアドバンスグループ（たとえば、セカンダリコンポーネントキャリアのみを含むＴＡグループ）のためのランダムアクセス手順をサポートするように構成され得る。特に、これらのプロセッサは、ユーザ機器１１５ａが基地局１０５ａとのアップリンク同期をそれによって達成するランダムアクセス手順を行うように構成され得る。ランダムアクセス手順は、異なるキャリアおよび／または異なるチャネル上での一連のメッセージの交換を伴い得る。基地局１１５ａは、セル中のすべてのＵＥ１１５によってモニタされる共通探索空間（または制御領域）中でメッセージを送り得、あるいは、基地局１１５ａは、特定のＵＥのために定義された探索空間中でメッセージを送り得る。たとえば、ＵＥ固有探索空間が、ＰＤＣＣＨ中のブラインド復号のための開始オフセットによって定義され得る。
【００６５】
本明細書で説明するように、ランダムアクセス手順は、競合なしまたは競合ベースとして分類され得る。競合なし手順では、たとえば、基地局１０５ａは、物理アップリンク共有チャネル上（ＰＵＳＣＨ）でシグナリングおよびデータを送るためにＵＥ１１５ａのためのランダムアクセスプリアンブルおよび物理ランダムアクセスチャネル（ＰＲＡＣＨ）リソースを示す物理ダウンリンク制御チャネル（ＰＤＣＣＨ）命令を送信し得る。代替的に、競合ベースランダムアクセス手順では、ＵＥはランダムアクセスプリアンブルおよびＰＲＡＣＨリソースを選択し得る。
【００６６】
プロセッサ２４０、ＴＸ  ＭＩＭＯプロセッサ２３０、および／または送信プロセッサ２２０は、クロスキャリアランダムアクセス手順管理を可能にするように構成され得る。たとえば、プロセッサ２４０、ＴＸ  ＭＩＭＯプロセッサ２３０、および／または送信プロセッサ２２０は、ランダムアクセス手順の一部としてタイミングアドバンスグループインデックスを含むランダムアクセス応答をユーザ機器１１５ａに送信し得る。競合なしランダムアクセス手順の一例では、基地局１０５ａは、特定のＴＡグループ中に含まれるセカンダリコンポーネントキャリアのＵＥ固有探索空間中でＰＤＣＣＨメッセージを送信する。ＵＥ１１５ａからのＰＲＡＣＨ送信に応答して、基地局１０５ａは、ＰＣＣの共通探索空間中でランダムアクセス応答（ＲＡＲ：random access response）ＰＤＣＣＨを送信する。ＰＤＣＣＨに関連するＲＡＲメッセージが、タイミングアドバンスグループに対応するインデックスを搬送し得る。タイミングアドバンスグループは、（ランダムアクセス手順を開始するために利用されるＳＣＣを含む）ＳＣＣのみを含み得る。タイミングアドバンスグループインデックスは、ランダムアクセス手順の一部としてセカンダリＳＣＣに対するクロスキャリアＲＡＲを可能にし得る。ランダムアクセス応答管理を含むクロスキャリア管理の異なる態様は、タイミングアドバンスグループインデックス情報を使用して可能にされ得る。
【００６７】
プロセッサ２４０、ＴＸ  ＭＩＭＯプロセッサ２３０、および／または送信プロセッサ２２０はまた、いくつかの実施形態では、タイミングアドバンスグループ内のタイミングのための基準ダウンリンクコンポーネントキャリア情報をユーザ機器１１５ａに送信するように構成され得る。
【００６８】
ユーザ機器１１５ａにおいて、ユーザ機器アンテナアンテナ２５２ａ〜２５２ｎは、基地局１０５ａからＤＬ信号を受信し、受信した信号をそれぞれ復調器２５４ａ〜２５４ｎに与え得る。各復調器２５４は、それぞれの受信信号を調整（たとえば、フィルタ処理、増幅、ダウンコンバート、およびデジタル化）して、入力サンプルを取得し得る。各復調器２５４は、（たとえば、ＯＦＤＭなどのために）入力サンプルをさらに処理して、受信シンボルを取得し得る。ＭＩＭＯ検出器２５６は、すべての復調器２５４ａ〜２５４ｎから受信シンボルを取得し、適用可能な場合は受信シンボルに対してＭＩＭＯ検出を実行し、検出シンボルを与え得る。受信プロセッサ２５８が、検出シンボルを処理（たとえば、復調、デインターリーブ、および復号）し、ユーザ機器１１５ａの復号されたデータをデータ出力に与え、復号された制御情報をプロセッサ２８０、またはメモリ２８２に与え得る。
【００６９】
基地局１０５ａからのユーザ１１５ａにおける受信信号は、異なる実施形態に関して様々な目的のために利用され得る。たとえば、受信プロセッサ２５８および／またはプロセッサ２８０は、異なる実施形態に従って情報を処理し得る。いくつかの実施形態は、プライマリコンポーネントキャリアなしにタイミングアドバンスグループのためのランダムアクセスをサポートするように受信プロセッサ２５８および／またはプロセッサ２８０を構成し得る。これらの実施形態は、ランダムアクセス手順中に利用され得る情報を判断するために受信プロセッサ２５８および／またはプロセッサ２８０が検査し得る異なる探索空間を利用し得る。概して、受信プロセッサ２５８および／またはプロセッサ２８０は、異なる探索空間を利用する異なるランダムアクセス応答（ＲＡＲ）許可からの情報を受信し、判断するように構成され得る。これらの探索空間は、限定はしないが、ＰＣＣおよびＳＣＣ上のＵＥ固有探索空間、ＰＣＣ上の共通探索空間、および／またはセカンダリコンポーネントキャリア上の共通探索空間を含む。
【００７０】
いくつかの実施形態は、クロスキャリアランダムアクセス手順管理を可能にするためにタイミングアドバンスグループインデックスを利用するように受信プロセッサ２５８および／またはプロセッサ２８０を構成することを伴い得る。たとえば、受信プロセッサ２５８および／またはプロセッサ２８０は、ランダムアクセス手順の一部としてタイミングアドバンスグループインデックスを含むランダムアクセス応答を基地局１０５ａから受信し得る。受信プロセッサ２５８および／またはプロセッサ２８０は、次いで、ランダムアクセス応答管理を含むクロスキャリア管理のためにこのインデックス情報を利用し得る。
【００７１】
受信プロセッサ２５８および／またはプロセッサ２８０はまた、基地局１０５ａから基準ダウンリンクコンポーネントキャリア情報を受信するように構成され得る。受信プロセッサ２５８および／またはプロセッサ２８０は、タイミングアドバンスグループ内のタイミングのためのこの基準ダウンリンクコンポーネントキャリア情報を利用し得る。
【００７２】
アップリンク（ＵＬ）上で、ユーザ機器１１５ａにおいて、送信プロセッサ２６４がデータソースからデータを受信し、処理し得る。送信プロセッサ２６４はまた、基準信号のための基準シンボルを生成し得る。送信プロセッサ２６４からのシンボルは、適用可能な場合は送信ＭＩＭＯプロセッサ２６６によってプリコードされ、さらに（たとえば、ＳＣ−ＦＤＭＡなどのために）復調器２５４ａ〜２５４ｎによって処理され、基地局１０５ａから受信した送信パラメータに従って基地局１０５ａに送信され得る。基地局１０５ａにおいて、ユーザ機器１１５ａからのＵＬ信号は、アンテナ２３４によって受信され、復調器２３２によって処理され、適用可能な場合はＭＩＭＯ検出器２３６によって検出され、さらに受信プロセッサによって処理され得る。受信プロセッサ２３８は、復号されたデータをデータ出力とプロセッサ２４０とに与え得る。
【００７３】
いくつかの実施形態では、ユーザ機器１１５ａのプロセッサ２８０および／または他の構成要素は、複数のタイミングアドバンスグループにわたってタイミングアドバンスグループ同期情報を利用するために構成され得る。ユーザ機器１１５ａのプロセッサ２８０および／または他の構成要素は、キャリアアグリゲーション動作の一部として複数のコンポーネントキャリアを識別するように構成され得る。複数のコンポーネントキャリアは、１つまたは複数のダウンリンクコンポーネントキャリアと、２つ以上のアップリンクコンポーネントキャリアとを含み得る。複数のタイミングアドバンスグループは、ユーザ機器１１５ａのプロセッサ２８０および／または他の構成要素によって判断され得る。複数のコンポーネントキャリア中の各コンポーネントキャリアは、タイミングアドバンスグループのうちの１つ中に含まれ得る。複数のタイミングアドバンスグループからの第１のタイミングアドバンスグループが、ユーザ機器１１５ａのプロセッサ２８０および／または他の構成要素によって識別され得る。ユーザ機器１１５ａのユーザ機器プロセッサ２８０および／または他の構成要素によるＲＲＣ構成に少なくとも部分的に基づいて第１のタイミングアドバンスグループのための基準ダウンリンクコンポーネントキャリアが判断され得る。判断された基準ダウンリンクコンポーネントキャリアは、少なくとも第１のタイミングアドバンスグループ内のタイミング調整のためにユーザ機器１１５によって利用され得る。
【００７４】
いくつかの実施形態では、ユーザ機器１１５ａのプロセッサ２８０および／または他の構成要素は、ＲＲＣ構成は、ＲＲＣ構成を通してプライマリダウンリンクコンポーネントキャリアの指示を基地局１０５ａから受信し得る。プライマリダウンリンクコンポーネントキャリアは、判断された基準ダウンリンクコンポーネントキャリアであり得る。
【００７５】
ユーザ機器１１５ａのプロセッサ２８０および／または他の構成要素は、複数のタイミングアドバンスグループからの第２のタイミングアドバンスグループ内のタイミング調整のためにプライマリダウンリンクコンポーネントキャリアを利用し得る。プライマリダウンリンクコンポーネントキャリアは第２のタイミングアドバンスグループ中に含まれ得る。
【００７６】
いくつかの実施形態では、１つまたは複数の識別されたダウンリンクキャリアのうちの１つまたは複数のダウンリンクコンポーネントキャリアが第１のタイミングアドバンスグループ中に含まれる。ユーザ機器１１５ａのプロセッサ２８０および／または他の構成要素によって基準ダウンリンクコンポーネントキャリアを判断することは、第１のタイミングアドバンスグループ中の１つまたは複数のダウンリンクコンポーネントキャリアのＲＲＣ構成に基づき得る。第１のタイミングアドバンスグループのための基準ダウンリンクコンポーネントキャリアは、第１のタイミングアドバンスグループ中の１つまたは複数のダウンリンクコンポーネントキャリアのうちの各々のために構成された複数のセルインデックスのうちの最小セルインデックスをもつダウンリンクコンポーネントキャリアであるとユーザ機器１１５ａのプロセッサ２８０および／または他の構成要素によって判断され得る。
【００７７】
ユーザ機器１１５ａのプロセッサ２８０および／または他の構成要素は、アクティブにされたダウンリンクコンポーネントキャリアのセットから基準ダウンリンクコンポーネントキャリアを判断し得る。１つまたは複数のダウンリンクコンポーネントキャリアと２つ以上のアップリンクコンポーネントキャリアとは２つ以上の帯域に関連し得る。第１のタイミングアドバンスグループのための基準ダウンリンクコンポーネントキャリアは、同じ帯域または同様の帯域のダウンリンクコンポーネントキャリアのセットから判断され得る。一例として、基準ダウンリンクコンポーネントキャリアは、第１のタイミングアドバンスグループのためのランダムアクセス試行に関連するアップリンクコンポーネントキャリアと同じであるか同様の帯域のダウンリンクコンポーネントキャリアであると判断され得る。
【００７８】
ユーザ機器１１５ａのプロセッサ２８０および／または他の構成要素は、複数のタイミングアドバンスグループのうちの２つ以上に対して並列に複数のランダムアクセス手順を実行し得る。複数のランダムアクセス手順を実行することは、第１のタイミングアドバンスグループにリンクされた第１のランダムアクセス手順を実行すること、および／または複数のタイミングアドバンスグループのうちの第２のタイミングアドバンスグループにリンクされた第２のランダムアクセス手順を実行することを含み得、第２のランダムアクセス手順の１つまたは複数の部分は第１のランダムアクセス手順の１つまたは複数の部分と重複する。
【００７９】
ユーザ機器１１５ａのプロセッサ２８０および／または他の構成要素は、システム情報ブロックブロードキャストを介してアップリンクコンポーネントキャリアにリンクされないダウンリンクコンポーネントキャリア上で送信されるダウンリンク制御チャネルを利用することを通して、第１のタイミングアドバンスグループ内のアップリンクコンポーネントキャリア上で非競合ベースランダムアクセス手順を開始し得る。クロスキャリアスケジューリングを可能にするためにダウンリンク制御チャネル中にクロスキャリア指示フィールドが含まれ得る。
【００８０】
第１のタイミングアドバンスグループのための基準ダウンリンクコンポーネントキャリアは、ダウンリンクリピータによる同様の遅延をもつダウンリンクコンポーネントキャリアのセットからユーザ機器１１５ａのプロセッサ２８０および／または他の構成要素によって判断され得る。第１のタイミングアドバンスグループのための基準ダウンリンクコンポーネントキャリアは、同じキャリアタイプをもつダウンリンクコンポーネントキャリアのセットからユーザ機器１１５ａのプロセッサ２８０および／または他の構成要素によって判断され得、キャリアタイプは少なくともレガシーキャリアタイプまたは新しいキャリアタイプを含む。第１のタイミングアドバンスグループのための基準ダウンリンクコンポーネントキャリアは、同様のアクティビティファクタをもつダウンリンクコンポーネントキャリアのセットからユーザ機器１１５ａのプロセッサ２８０および／または他の構成要素によって判断され得る。
【００８１】
送信プロセッサ２６４および／またはプロセッサ２８０は、いくつかの実施形態では、複数のタイミングアドバンスグループにわたって並列ランダムアクセス手順をサポートするように構成され得る。たとえば、基地局１０５ａとユーザ機器１１５ａとの間で複数の並列ランダムアクセス手順が行われ得る。送信プロセッサ２６４および／またはプロセッサ２８０は、これらの重複するアクセス手順を可能にするために電力優先順位付けを利用するように構成され得る。送信プロセッサ２６４および／またはプロセッサ２８０は、これらの並列ランダムアクセス手順内でトリガされる非周期チャネル品質インジケータ（Ａ−ＣＱＩ）を提供するように構成され得る。
【００８２】
図３Ａに、様々な実施形態によるタイミングアドバンスグループの構成３００ａの一例を示す。様々な実施形態では２つ以上のタイミングアドバンスグループが構成され得る。構成３００は、２つのタイミングアドバンスグループ３１０ａおよび３１０ｂを示している。いくつかの実施形態では、サービングｅノードＢなどの基地局は、専用シグナリングを利用してタイミングアドバンスグループを構成し得る。一般に、タイミングアドバンスグループのうちの１つはプライマリセル３２０を含む。この例では、タイミングアドバンスグループ３１０ａがプライマリセル３２０を含む。プライマリセル３２０は、アップリンクプライマリコンポーネントキャリアおよびダウンリンクプライマリコンポーネントキャリア、すなわち、それぞれＵＬ１およびＤＬ１を含む。タイミンググループ３１０ａはまた、アップリンクコンポーネントキャリアＵＬ２とダウンリンクコンポーネントキャリアＤＬ２とを含むセカンダリセル３３０ａを含む。この例では、第２のタイミングアドバンスグループ３１０ｂは、ダウンリンクコンポーネントキャリアＤＬ３とアップリンクコンポーネントキャリアＵＬ３とをもつ、３３０ｂと標示された別のセカンダリセルを含む。この例は２つのタイミングアドバンスグループを示しているが、他の実施形態はより多くのタイミングアドバンスグループを含み得る。さらに、異なるタイミングアドバンスグループはより多いまたはより少ないセカンダリセル３３０を含み得る。以下でより詳細に説明するように、タイミングアドバンスグループ３１０ｂなど、プライマリセルを含まないタイミングアドバンスグループは、タイミングアドバンスグループ中のアクティブなセカンダリセルにアドレス指定されたＰＤＣＣＨ命令などの命令によってタイミングアドバンスグループのためにトリガされるランダムアクセスプロセスを有し得る。
【００８３】
図３Ｂに、様々な実施形態による図３Ａの構成３００ａに基づくタイミングアドバンスグループの構成３００ｂの一例を示す。構成３００ｂは、ＲＲＣ構成プライマリダウンリンクコンポーネントキャリア（ＤＬ１）が、２つのタイミングアドバンスグループ３１０ａ、３１０ｂの各々中のコンポーネントキャリアのための基準キャリアとして働き得る例を示している。このＲＲＣベース手法は、セカンダリダウンリンクコンポーネントキャリア（ＤＬ２、ＤＬ３）のアクティブ化ステータスが時間ごとに変化するときに有利であり得る。場合によっては、基準ダウンリンクコンポーネントキャリアが、ユーザ機器１１５のＲＲＣ構成に基づいて判断され得る。たとえば、キャリアアグリゲーションについて前に説明したように、他の図の基地局１０５など、基地局は、（１つまたは複数の）ＲＲＣ構成メッセージをユーザ機器１１５に送り、ユーザ機器１１５は、１つのキャリアをプライマリコンポーネントキャリア（ＰＣＣ）として識別し、追加のキャリアをセカンダリコンポーネントキャリア（ＳＣＣ）として識別し得る。ＰＣＣとして識別されたキャリアは、１つまたは複数のタイミングアドバンスグループ３１０のための基準ダウンリンクキャリアとして働き得る。
【００８４】
たとえば、構成３００ｂは、図１、図２、図４、図７Ｂ、図８Ｂ、および／または図９Ｂのユーザ機器１１５などのユーザ機器が複数のタイミングアドバンスグループにわたってタイミングアドバンスグループ同期情報を利用する一例であり得る。構成３００ｂでは、キャリアアグリゲーション動作の一部として、ＵＬ１、ＵＬ２、ＵＬ３、ＤＬ１、ＤＬ２、および／またはＤＬ３など、複数のコンポーネントキャリアが識別され得る。複数のコンポーネントキャリアは、１つまたは複数のダウンリンクコンポーネントキャリア（たとえば、ＤＬ１、ＤＬ２、および／またはＤＬ３）と、２つ以上のアップリンクコンポーネントキャリア（たとえば、ＵＬ１、ＵＬ２、および／またはＵＬ３）とを含み得る。タイミングアドバンスグループ３１０ａおよび３１０ｂなど、複数のタイミングアドバンスグループが判断され得る。複数のコンポーネントキャリア中の各コンポーネントキャリアは、タイミングアドバンスグループのうちの１つ中に含まれ得る。複数のタイミングアドバンスグループから、タイミングアドバンスグループ３１０ｂなど、第１のタイミングアドバンスグループが識別され得る。ＤＬ１などの基準ダウンリンクコンポーネントキャリアが、ＲＲＣに少なくとも部分的に基づいて第１のタイミングアドバンスグループについて判断され得る。判断された基準ダウンリンクコンポーネントキャリアは、少なくとも第１のタイミングアドバンスグループ内のタイミング調整のために利用され得る。判断された基準ダウンリンクコンポーネントキャリアはまた、タイミングアドバンスグループ３１０ａなど、他のタイミングアドバンスグループのために利用され得る。場合によっては、異なるタイミングアドバンスグループのためのタイミング情報を判断するために、判断されたダウンリンクコンポーネントキャリアからタイミング情報とともにタイミングオフセット情報が利用され得る。
【００８５】
いくつかの実施形態では、ＲＲＣ構成を通してプライマリダウンリンクコンポーネントキャリア（たとえば、ＤＬ１）の指示が受信され得る。プライマリダウンリンクコンポーネントキャリアは、判断された基準ダウンリンクコンポーネントキャリアであり得る。プライマリダウンリンクコンポーネントキャリアは、複数のタイミングアドバンスグループからの第２のタイミングアドバンスグループ（たとえば、タイミングアドバンスグループ３１０ａ）内のタイミング調整のために利用され得る。プライマリダウンリンクコンポーネントキャリアは第２のタイミングアドバンスグループ中に含まれ得る。
【００８６】
いくつかの実施形態では、１つまたは複数の識別されたダウンリンクキャリアのうちの１つまたは複数のダウンリンクコンポーネントキャリアが、タイミングアドバンスグループ３１０ｂのＤＬ３など、第１のタイミングアドバンスグループ中に含まれる。基準ダウンリンクコンポーネントキャリアを判断することは、第１のタイミングアドバンスグループ中の１つまたは複数のダウンリンクコンポーネントキャリアのＲＲＣ構成に基づき得る。第１のタイミングアドバンスグループのための基準ダウンリンクコンポーネントキャリアは、プライマリコンポーネントキャリアである、第１のタイミングアドバンスグループ中の最小セルインデックスをもつダウンリンクコンポーネントキャリアであると判断され得る。別の例として、図示されていないが、第２のタイミングアドバンスグループは２つ以上のセカンダリコンポーネントキャリアを有し得、第２のタイミングアドバンスグループのための基準ダウンリンクコンポーネントは、第２のタイミングアドバンスグループ内の最小セルインデックスをもつダウンリンクコンポーネントキャリアであると判断され得る。
【００８７】
基準ダウンリンクコンポーネントキャリアは、アクティブにされたダウンリンクコンポーネントキャリアのセットから判断され得る。１つまたは複数のダウンリンクコンポーネントキャリアと２つ以上のアップリンクコンポーネントキャリアとは２つ以上の帯域に関連し得る。第１のタイミングアドバンスグループのための基準ダウンリンクコンポーネントキャリアは、同じ帯域または同様の帯域のダウンリンクコンポーネントキャリアのセットから判断され得る。一例として、基準ダウンリンクコンポーネントキャリアは、第１のタイミングアドバンスグループのためのランダムアクセス試行に関連するアップリンクコンポーネントキャリアと同じであるか同様の帯域のダウンリンクコンポーネントキャリアであると判断され得る。第１のタイミングアドバンスグループのための基準ダウンリンクコンポーネントキャリアは、ダウンリンクリピータによる同様の遅延をもつダウンリンクコンポーネントキャリアのセットから判断され得る。第１のタイミングアドバンスグループのための基準ダウンリンクコンポーネントキャリアは、同じキャリアタイプをもつダウンリンクコンポーネントキャリアのセットから判断され得、キャリアタイプは少なくともレガシーキャリアタイプまたは新しいキャリアタイプを含む。第１のタイミングアドバンスグループのための基準ダウンリンクコンポーネントキャリアは、同様のアクティビティファクタをもつダウンリンクコンポーネントキャリアのセットから判断され得る。
【００８８】
基準ダウンリンクコンポーネントキャリアを判断する際にコンポーネントキャリアの他の特性が考慮に入れられ得る（たとえば、それがリピータを備えるかどうか、それが常時オンであるか周期的にオフにされるか、それが新しいキャリアタイプであるかレガシーキャリアタイプであるか、など）。あるコンポーネントキャリアはリピータを備え得るが、別のコンポーネントキャリアはリピータを備えない。所与のタイミングアドバンスグループのための基準ダウンリンクコンポーネントキャリアを判断する際に、リピータ（ダウンリンクリピータ、またはアップリンクリピータ、またはそれらの組合せのいずれか）による同じであるか同様の遅延特性のコンポーネントキャリアは、所与のタイミングアドバンスグループのための基準ダウンリンクコンポーネントキャリアの考えられる候補であると判断され得る。異なるコンポーネントキャリアは異なるアクティビティファクタを有し得る。コンポーネントキャリアは、周期的にオンにされ得、標準キャリアと比較してはるかに低い頻度のダウンリンク情報を搬送する。その場合、基準ダウンリンクコンポーネントキャリアとしてこのコンポーネントキャリアを使用することを回避することが好ましいことがある。あるコンポーネントキャリアはレガシーキャリアタイプであり得、別のコンポーネントキャリアは新しいキャリアタイプであり得る。同じタイプのキャリアは、所与のタイミングアドバンスグループのための基準ダウンリンクコンポーネントキャリアの考えられる候補であると判断され得る。
【００８９】
いくつかの実施形態では、タイミングアドバンスグループ３１０ａおよび３１０ｂなど、複数のタイミングアドバンスグループのうちの２つ以上に対して並列に複数のランダムアクセス手順が実行され得る。複数のランダムアクセス手順を実行することは、タイミングアドバンスグループ３１０ｂなど、第１のタイミングアドバンスグループにリンクされた第１のランダムアクセス手順を実行すること、および／または、複数のタイミングアドバンスグループのうちの、タイミングアドバンスグループ３１０ａなど、第２のタイミングアドバンスグループにリンクされた第２のランダムアクセス手順を実行することを含み得、第２のランダムアクセス手順の１つまたは複数の部分は第１のランダムアクセス手順の１つまたは複数の部分と重複する。
【００９０】
いくつかの実施形態は、システム情報ブロックブロードキャストを介してアップリンクコンポーネントキャリアにリンクされないダウンリンクコンポーネントキャリア（たとえば、プライマリコンポーネントキャリア（ＤＬ１））上で送信されるダウンリンク制御チャネルを利用することを通して、タイミングアドバンスグループ３１０ａなどの第１のタイミングアドバンスグループ内の、ＵＬ３などのアップリンクコンポーネントキャリア上で非競合ベースランダムアクセス手順を利用することを含む。クロスキャリアスケジューリングを可能にするためにダウンリンク制御チャネル中にクロスキャリア指示フィールドが含まれ得る。
【００９１】
いくつかの実施形態は、たとえば、ＳＣＣのアクティブ化ステータスが時間ごとに変化するときに利点を提供し得る。ＳＣＣを含んでいるがＰＣＣを含んでいないタイミングアドバンスグループは、対応するセカンダリセルの非アクティブ化のために同期問題に直面し得る。対照的に、ＰＣＣに対応するプライマリセルをもつタイミングアドバンスグループは、プライマリセルが非アクティブにされ得ないので同じ問題に直面し得ない。実施形態はまた、ＳＩＢ２リンケージを通してなど、ＳＣＣを含むがＰＣＣを含まないタイミングアドバンスグループのタイミング情報を提供し得るいくつかの他の技法に勝る利点を提供し得る。たとえば、セカンダリセルダウンリンクコンポーネントキャリアがアクティブにされるかまたは非アクティブにされるとき、概して、ＳＩＢ２リンク化アップリンクコンポーネントキャリアもアクティブにされるかまたは非アクティブにされる。別の例として、基準ダウンリンクコンポーネントキャリアを判断する際にコンポーネントキャリアの特性が考慮に入れられ得る（アクティブ化ステータス、それがリピータを備えるかどうか、それが常時オンであるか周期的にオフにされるか、レガシーキャリアタイプであるか新しいキャリアタイプであるか、など）。
【００９２】
図４Ａ、図４Ｂ、および／または図４Ｃに、様々な実施形態によるランダムアクセス手順４００ａ、４００ｂ、および４００ｃの例を示す。これらの実施形態は、タイミングアドバンスグループとともに利用され得る探索空間設計の例を与える。特に、これらの実施形態は、プライマリコンポーネントキャリアなしにタイミングアドバンスグループのためのランダムアクセスをサポートする様々な方法を与える。
【００９３】
ランダムアクセス手順４００ａ、４００ｂ、および／または４００ｃは非競合ベースランダムアクセスを含み得る。これらのランダムアクセス手順のうちのいくつかはまた、ランダムアクセス手順４００ｂおよび／または４００ｃなど、競合ベースランダムアクセスのために構成され得る。
【００９４】
概して、ダウンリンク制御情報（ＤＣＩ：Downlink Control Information）を利用して手順４００ａ、４００ｂ、および／または４００ｃのいずれかのために非競合ベースランダムアクセス手順が開始され得る。ＬＴＥシステムの一例では、ランダムアクセス手順を開始するためにＤＣＩフォーマット１Ａの様々なフィールドが構成され得る。図に示すように、ｅＮＢ１０５ｉが、物理ダウンリンク制御チャネル（ＰＤＣＣＨ）上でＵＥ１１５ｊにＤＣＩフォーマット１Ａメッセージを送信し得る。フォーマット１Ａ巡回冗長検査（ＣＲＣ）がセル無線ネットワーク一時識別子（Ｃ−ＲＮＴＩ：Cell Radio-Network Temporary Identifier）とスクランブルされ得る。フォーマット１Ａの残りのフィールドは、以下の方法で、すなわち、局所／分散ＶＲＢ割当てフラグ（１ビットが「０」に設定される）と、リソースブロック割当て（すべてのビットが「１」に設定される）と、プリアンブルインデックス（６ビット）と、物理ランダムアクセスチャネル（ＰＲＡＣＨ）マスクインデックス（４ビット）とで構成され得る。１つの物理ダウンリンク共有チャネル（ＰＤＳＣＨ）コードワードのコンパクトスケジューリング割当てのためのフォーマット１Ａにおける残りのビットは０に設定され得る。他の実施形態は他のフィールド設定を利用することができる。さらに、いくつかの実施形態は他のＤＣＩフォーマットを利用し得る。
【００９５】
いくつかの実施形態では、ＰＤＣＣＨはＵＥ固有探索空間（ＵＥＳＳ）中で送信され得る。たとえば、いくつかの実施形態は、フォーマット１Ａを使用したダウンリンクデータ到着のためのＰＤＣＣＨが共通探索空間（ＣＳＳ）から送信されることを可能にしないことがある。ＵＥＳＳは、キャリアインジケータフィールド（ＣＩＦ：carrier indicator field）が使用可能であるとき、ターゲットタイミングアドバンスグループ中の１つのＳＣＣまたは任意の他のコンポーネントキャリア上にあり得る。
【００９６】
ランダムアクセス手順４００に示す実施形態は、ランダムアクセス応答（ＲＡＲ）許可を処理するための異なる方法を提供し得る。概して、ＲＡＲ許可は、ＰＵＳＣＨ上のアップリンク許可と、ユーザ機器によって適用されるべきタイミング調整の量を制御するためのタイミングアドバンスコマンドなどのタイミング情報とを含み得る。手順４００は、アクセス手順のための探索空間のいくつかの異なる例を与える。特に、手順４００は、（手順４００ではメッセージ２として示される）ＲＡＲ許可のためにＰＤＣＣＨをどのように送るべきかの例を与える。
【００９７】
図４Ａを参照すると、ランダムアクセス手順４００ａは、ＲＡＲ許可のためのＰＤＣＣＨを送るためにＵＥ固有探索空間が利用され得る例を示している。手順４００ａは、ｅＮＢ１０５ｉからＵＥＳＳ４１０ａ中でＤＣＩフォーマット１Ａ（メッセージ０）としてユーザ機器１１５ｉに送信されるＰＤＣＣＨを示している。ユーザ機器１１５ｉは、ＰＲＡＣＨ（メッセージ１）としてランダムアクセスプリアンブルをｅＮＢ１０５ｉに送ることによってランダムアクセス試行を行い得る。この例では、ＲＡＲ許可（メッセージ２）のためのＰＤＣＣＨがｅＮＢ１０５ｉからＵＥＳＳ４２０ａ中で送られ得る。いくつかの実施形態では、これは、ＣＩＦがユーザ機器１１５ｉのために使用可能であるかどうかに応じて、メッセージ０と同じＳＣＣまたは異なるＣＣ上で行われ得る。手順４００ａはまた、物理アップリンク共有チャネル（ＰＵＳＣＨ）（メッセージ３）と、物理ダウンリンク共有チャネル（ＰＤＳＣＨ）（メッセージ４）とを示している。これらのメッセージは、ｅＮＢ１０５ｉとユーザ機器１１５ｉとの間でシグナリングおよび／またはユーザデータを送信することを伴い得る。ＰＤＳＣＨをスケジュールするＰＤＣＣＨは、場合によってはＵＥＳＳ４３０ａを利用し得る。
【００９８】
いくつかの実施形態は、ユーザ機器１１５ｉのためにＵＥＳＳ中でランダムアクセス無線ネットワーク一時識別子（ＲＡ−ＲＮＴＩ：Random Access Radio-Network Temporary Identifier）を利用し得る。ＰＤＣＣＨブラインド復号の数は、それらが異なるサイズを有するようにＣＳＳ  ＤＣＩフォーマットが使用されるかＵＥＳＳ  ＤＣＩフォーマットが使用されるかに応じて、および／またはＤＣＩフォーマット１Ｃが使用されるかどうかに応じて、場合によっては増加され得る。いくつかの実施形態では、ＤＣＩフォーマット１Ａのみが利用され得る。場合によっては、ＤＣＩフォーマット１ＡはＵＥＳＳフォーマットに準拠し得る。これにより、ＰＤＣＣＨブラインド復号の数は増加しなくなり得る。手順４００ａなどの実施形態は非競合ベースタイミングアドバンスグループに適用され得る。
【００９９】
図４Ｂを参照すると、ランダムアクセス手順４００ｂは、ＲＡＲ許可のためのＰＤＣＣＨを送るためにＰＣＣ上のＣＳＳが利用され得る例を示している。実施形態は、手順４００ｂが物理レイヤベース処理および／またはＭＡＣレイヤベース処理を伴い得るように構成され得る。手順４００ｂは、ｅＮＢ１０５ｊからＵＥＳＳ４１０ｂ中でＤＣＩフォーマット１Ａ（メッセージ０）としてユーザ機器１１５ｊに送信されるＰＤＣＣＨを示している。ユーザ機器１１５ｊは、ＰＲＡＣＨ（メッセージ１）としてランダムアクセスプリアンブルをｅＮＢ１０５ｊに送ることによってランダムアクセス試行を行い得る。この例では、ＲＡＲ許可（メッセージ２）のためのＰＤＣＣＨは、ｅＮＢ１０５ｊから共通探索空間からプライマリキャリアコンポーネント４２０ｂ上で送られ得る。手順４００ｂはまた、ＲＡＲ許可に続く物理アップリンク共有チャネル（ＰＵＳＣＨ）（メッセージ３）と、物理ダウンリンク共有チャネル（ＰＤＳＣＨ）（メッセージ４）とを示している。これらのメッセージは、ｅノードＢ１０５ｊとユーザ機器１１５ｊとの間でシグナリングおよび／またはユーザデータを送信することを伴い得る。ＰＤＳＣＨをスケジュールするＰＤＣＣＨは、場合によってはＵＥＳＳ４３０ｂを利用し得る。
【０１００】
手順４００ｂのいくつかの実施形態は物理レイヤベース手法を利用し得る。たとえば、キャリアインジケータフィールド（ＣＩＦ）が、ＣＳＳ中のあるＤＣＩのために使用可能であり得る。ＣＩＦは、たとえば、ＤＣＩフォーマット１Ａで追加され得、ＲＡＲ許可におけるクロスキャリアスケジューリングを可能にし得る。追加として、または別個に、ＣＩＦはＤＣＩフォーマット１Ｃで追加され得る。これらの手法の組合せにより、またはＰＤＣＣＨ復号候補を分割することにより、ＣＳＳにおける復号候補の数が増加し得る。ＰＤＣＣＨブラインド復号の数を増加させることを回避することが望ましくなり得る場合、いくつかの実施形態は、ＣＩＦをＤＣＩフォーマット１Ｃのために使用可能にし、および／またはそれをメッセージ２のために使用し得る。この場合、ＤＣＩフォーマット１ＡのためのクロスキャリアＲＡＲ許可がないことがあるが、ＤＣＩフォーマット１Ｃでのみ可能にされ得る。
【０１０１】
手順４００ｂのいくつかの実施形態はＭＡＣレイヤベース手法を利用し得る。ＭＡＣレイヤベース手法の場合、クロスキャリアランダムアクセス手順を可能にするため、コンポーネントキャリアインデックスおよび／またはタイミングアドバンスグループインデックスが利用され得る。一例として、コンポーネントキャリアインデックスおよび／またはタイミングアドバンスグループインデックスは、特にＣＩＦがＵＥのために構成されたときにメッセージ０中に導入され得る。この場合におけるＣＣインデックスおよび／またはＴＡグループインデックスのシグナリングは、ＤＣＩフォーマット１Ａメッセージ０中の（１つまたは複数の）予約ビットのうちのいくつかを解釈し直すことによって行われ得る。ＣＣインデックスおよび／またはＴＡグループインデックスはまた、ＭＡＣペイロード中でＲＡＲとともに含まれ得る。ＣＣインデックスおよび／またはＴＡグループインデックスは、ＰＣＣからＳＣＣへのクロスキャリアＲＡＲ管理を可能にするために導入され得る。ＣＣインデックスは、クロスキャリアＲＡＲにおいて利用され得る特定のコンポーネントキャリアを識別するために利用され得る。ＴＡグループインデックスは、コンポーネントキャリアまたはセルの異なるグループを識別するために利用され得る。ＴＡグループインデックスについて以下でより詳細に説明する。場合によっては、タイミングアドバンスグループインデックスは、タイミングアドバンスグループ内でＲＡＣＨ手順においてどのコンポーネントキャリアがＰＲＡＣＨおよび／または他のメッセージを送信すべきかを識別するためにＲＲＣを必要とし得る。
【０１０２】
手順４００ｂを用いてＴＡグループインデックスを利用する一例では、ｅＮＢ１０５ｊが、適切に構成されたＰＤＣＣＨメッセージ（メッセージ０）をＵＥ１１５ｊに送信したとき、競合なしランダムアクセス手順が開始される。競合なしランダムアクセス手順は、ターゲットＴＡグループ中のセカンダリコンポーネントキャリアのグループに適用可能なタイミング調整を確立するために使用され得る。たとえば、ｅＮＢ１０５ｊは、ターゲットグループ中のＳＣＣ上でＰＤＣＣＨメッセージを送信し得る。代替または追加として、ＰＤＣＣＨは、ＳＣＣのグループに対応するＴＡグループインデックスを含み得る。
【０１０３】
ＰＤＣＣＨが受信されたとき、ＵＥ１１５ｊは物理ランダムアクセスチャネル（ＰＲＡＣＨ）上でメッセージ１を送信する。ＰＲＡＣＨが送信されるＣＣは、ランダムアクセス手順を開始するＰＤＣＣＨ命令とともに含まれるＴＡグループインデックスによって識別され得、および／または、ＰＲＡＣＨが送信されるＣＣは、ＰＤＣＣＨが受信されたＳＣＣに従って判断され得る。ＰＲＡＣＨ送信は、指定されたサブフレーム中で行われ得、所定のプリアンブルシーケンスを含み得る。ｅＮＢ１０５ｊがＰＲＡＣＨ送信を検出したとき、ｅＮＢ１０５ｊは、物理レイヤにおいてＲＡＲ許可（メッセージ２）と呼ばれることがあるランダムアクセス応答メッセージを生成し得る。図示のように、ＲＡＲのためのＰＤＣＣＨは、それのプライマリコンポーネントキャリア上でＵＥ１１５ｊのために定義された共通探索において送信され得る。
【０１０４】
この例では、ＲＡＲ許可は、（対応するＰＤＣＣＨが受信される）ＰＣＣからターゲットＴＡグループ中のＳＣＣへのクロスキャリア動作を可能にする。前述のように、ＰＤＣＣＨに対応するＰＤＳＣＨ送信は、タイミング調整（ＴＡ：timing adjustment）値およびアップリンク許可を含むＲＡＲメッセージを搬送し得る。ＲＡＲメッセージのＭＡＣペイロードはまた、ＴＡグループインデックスを含み得る。それのＴＡグループ構成に基づいて、ＵＥ１１５ｊは、タイミング調整のターゲットにされるＳＣＣのセットと、ランダムアクセス手順を完了するために使用すべき特定のＣＣとを識別し得る。その後、ＵＥ１１５ｊは、ＲＡＲメッセージ中に含まれる許可に従ってＣＣ上でＰＵＳＣＨ（メッセージ３）を送信し得る。本明細書で説明するように、ＰＣＣなしのＴＡグループを含む、複数のＴＡグループが、ＵＥ１１５ｊのために構成され得る。
【０１０５】
図４Ｃを参照すると、ランダムアクセス手順４００ｃは、ＲＡＲ許可のためのＰＤＣＣＨを送るためにＳＣＣ上の共通探索空間が利用され得る例を示している。手順４００ｃは、ｅノードＢ１０５ｋからＵＥＳＳまたはＳＣＣ上のＣＳＳ４１０ｃ中でＤＣＩ１Ａメッセージ０としてユーザ機器１１５ｋに送信されるＰＤＣＣＨを示している。ユーザ機器１１５ｋは、ＰＲＡＣＨメッセージ１としてランダムアクセスプリアンブルをｅＮＢ１０５ｋに送ることによってランダムアクセス試行を行い得る。この例では、ＲＡＲ許可メッセージ２のためのＰＤＣＣＨは、ｅＮＢ１０５ｋから共通探索空間からセカンダリキャリアコンポーネント４２０ｃ上で送られ得る。手順４００ｃはまた、物理アップリンク共有チャネル（ＰＵＳＣＨ）メッセージ３と、物理ダウンリンク共有チャネル（ＰＤＳＣＨ）メッセージ４とを示している。これらのメッセージは、概してｅＮＢ１０５ｋとユーザ機器１１５ｋとの間でシグナリングおよび／またはユーザデータを送信することを伴い得る。ＰＤＳＣＨをスケジュールするＰＤＣＣＨは、場合によってはＳＣＣ上のＣＳＳおよび／またはＵＥＳＳ４３０ｃを利用し得る。
【０１０６】
ユーザ機器１１５ｋのためにＳＣＣ上のＣＳＳを利用することは、グループ電力制御など、他の有用な特徴を提供し得る。手順４００ｃはまた、競合ベースＳＣＣタイミングアドバンスグループのために利用され得る。
【０１０７】
図５に、様々な実施形態によるタイミングアドバンスグループインデクシング情報を含むテーブル５００の一例を示す。異なるＣＣまたはセルが異なるタイミングアドバンスグループにグループ化され得る。この例では、プライマリセルＰｃｅｌｌと２つのセカンダリセルＳｃｅｌｌ１およびＳｃｅｌｌ２とが一緒にグループ化され、この場合では「０」のＴＡグループインデックスによって識別され得る。２つのセカンダリセルＳｃｅｌｌ３およびＳｃｅｌｌ４を含む第２のグループが一緒にグループ化され、この場合では「１」の別のＴＡグループインデックスを利用して識別され得る。この例では、各タイミングアドバンスグループを識別するために情報のシングルビットが利用され得るが、異なる実施形態では異なる情報の量が使用され得る。この情報は、基地局１０５によってユーザ機器１１５のために構成され得、１つまたはＲＲＣメッセージ中でＵＥ１１５にシグナリングされ得る。
【０１０８】
場合によっては、ＴＡグループインデックスは、概して、「０」インデックスを通してプライマリセルまたはＰＣＣを含むタイミングアドバンスグループを示し得る。いくつかの実施形態は、それらの情報を搬送するために追加のビットを利用し得るタイミングアドバンスインデックスを含み得る。利用されるビット数はタイミングアドバンスグループの数に依存し得る。したがって、２つのタイミングアドバンスグループの使用は一例として与えるものにすぎず、他の例は３つ以上のタイミングアドバンスグループを含み得、各グループは０個以上のセカンダリセルまたはセカンダリコンポーネントキャリアを含み得る。関連するタイミングアドバンスグループインデックスをもつタイミングアドバンスグループの数は、限定はしないが、伝搬遅延特性、チャネル特性、ユーザ機器デバイス特性、および／またはコンポーネントキャリアの帯域幅特性を含む様々なファクタに依存し得る。
【０１０９】
テーブル５００において見られるものなど、タイミングアドバンスグループインデックスは、いくつかの実施形態ではＭＡＣペイロード中に含まれ得る。テーブル５００において見られるものなど、ＴＡグループインデックスは、いくつかの実施形態ではＰＤＣＣＨペイロードの一部として送信され得る。いくつかの実施形態は、特定のタイミングアドバンスグループインデックスに関連するタイミングアドバンスグループ内のコンポーネントキャリアを識別するためにＲＲＣ構成の一部としてコンポーネントキャリア識別子などの追加の情報を利用し得る。識別されたコンポーネントキャリアは、ＲＡＣＨ手順においてランダムアクセス試行および／または他のメッセージのために利用され得る。
【０１１０】
図６に、様々な実施形態による、並列ランダムアクセス手順を利用し得る複数のタイミングアドバンスグループの例示的な構成６００を示す。例示的な構成６００は、２つのタイミングアドバンスグループ６１０ａおよび６１０ｂを示している。タイミングアドバンスグループ６１０ａは、プライマリコンポーネントキャリア６２０とセカンダリコンポーネントキャリア６３０ａとを含む。タイミングアドバンスグループ６１０ｂは、セカンダリコンポーネントキャリア６３０ｂとセカンダリコンポーネントキャリア６３０ｃとを含む。他の実施形態は、より多いまたはより少ないコンポーネントキャリアを含むタイミングアドバンスグループを含み得る。この例では、タイミングアドバンスグループ６１０ａのためのランダムアクセス手順６４０ａは、タイミングアドバンスグループ６１０ｂのランダムアクセス手順６４０ｂと並列に行われるかまたは重複し得る。以下でより詳細に説明するように、異なる実施形態は、これらの並列ランダムアクセス手順を様々な方法で処理し得る。
【０１１１】
次に図７Ａを参照すると、ブロック図が、キャリアアグリゲーションにおけるユーザ機器のための複数のタイミングアドバンスグループをサポートするデバイス７００ａを示している。いくつかの実施形態では、デバイス７００ａは、図１、図２、図４Ａ、図４Ｂ、図４Ｃ、図７Ｂ、および／または図９を参照しながら説明するユーザ機器１１５であり得る。デバイス７００ａはプロセッサでもあり得る。デバイス７００ａは、受信機モジュール７０５、ランダムアクセスモジュール７１５、タイミングアドバンスグループインデックスモジュール７２０、基準ダウンリンクコンポーネントキャリアモジュール７２５、および／または送信機モジュール７３０を含み得る。これらの構成要素の各々は互いに通信していることがある。
【０１１２】
デバイス７００ａのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１１３】
受信機モジュール７０５は、異なるソースから異なるチャネル上で情報を受信し、デバイス７００ａの他のモジュールに配信し得る。送信機モジュール７３０は、送信機モジュール７３０がデバイス７００ａの他のモジュールから受信し得る情報を送信し得る。
【０１１４】
タイミングアドバンスグループインデックス受信モジュール７２０は、複数のタイミングアドバンスグループのための様々なクロスキャリア管理機能を提供し得る。たとえば、タイミングアドバンスグループインデックス受信モジュール７２０はタイミングアドバンスグループインデックスを受信し得る。タイミングアドバンスグループインデックスは、複数のタイミングアドバンスグループからあるタイミングアドバンスグループを識別し得る。各グループはコンポーネントキャリアの異なるセットを含み得る。いくつかの実施形態は、タイミングアドバンスグループインデックスの利用を通してクロスキャリアランダムアクセス手順を可能にすることを含み得る。
【０１１５】
いくつかの実施形態では、ＴＡグループ受信モジュール７２０は、ＰＣＣを含む複数のタイミングアドバンスグループからの第１のタイミングアドバンスグループのためのＴＡグループインデックスを受信し得、第２のタイミングアドバンスグループは少なくとも１つのＳＣＣを含む。第１のタイミングアドバンスグループは１つまたは複数のセカンダリコンポーネントキャリアをも含み得るが、第２のタイミングアドバンスグループはＰＣＣを含まない。タイミングアドバンスグループインデックス受信モジュール７２０はまた、第１のタイミングアドバンスグループおよび第２のタイミングアドバンスグループのほかに追加のタイミングアドバンスグループをも含むタイミングアドバンスグループとともに動作し得る。
【０１１６】
いくつかの実施形態では、ＴＡグループインデックスモジュール７２０は、情報のシングルビットを含むＴＡグループインデックスを受信し得る。情報のシングルビットの第１の構成は、タイミングアドバンスグループがプライマリコンポーネントキャリアを含むことを示し得、シングルビットの第２の構成は、タイミングアドバンスグループがプライマリコンポーネントキャリアなしに１つまたは複数のセカンダリコンポーネントキャリアを含むことを示し得る。いくつかの実施形態は、それらの情報を搬送するために追加のビットを利用し得るタイミングアドバンスインデックスを含み得る。タイミングアドバンスグループモジュール７２０が利用し得るビット数はタイミングアドバンスグループの数に依存し得る。
【０１１７】
ＴＡグループインデックスは、いくつかの実施形態ではＭＡＣペイロードの一部として受信機モジュール７０５によって受信され得る。いくつかの実施形態はまた、特定のタイミングアドバンスグループインデックスに関連するタイミングアドバンスグループ内のコンポーネントキャリアを識別するために無線リソース制御（ＲＲＣ）構成の一部として受信機モジュール７０５を通してコンポーネントキャリア識別子を受信することを含み得る。識別されたコンポーネントキャリアはランダムアクセス手順から利用され得る。
【０１１８】
ランダムアクセスモジュール７１５は、複数の並列ランダムアクセス手順を実行するために利用され得る。たとえば、ランダムアクセスモジュール７１５は、コンポーネントキャリアの第１のタイミングアドバンスグループに関連する第１のランダムアクセス手順を実行するために利用され得る。ランダムアクセスモジュール７１５は、コンポーネントキャリアの第２のタイミングアドバンスグループに関連する第２のランダムアクセス手順を実行するために利用され得、第２のランダムアクセス手順の１つまたは複数の部分は第１のランダムアクセス手順の１つまたは複数の部分と重複する。
【０１１９】
ランダムアクセスモジュール７１５は、第１のランダムアクセス手順と第２のランダムアクセス手順とに関して電力優先順位付けを実行するために利用され得る。電力優先順位付けを実行することは、第１のランダムアクセス手順と第２のランダムアクセス手順とに関して等電力スケーリングを実行することを含み得る。いくつかの実施形態では、電力優先順位付けを実行することは、コンポーネントキャリアの第２のタイミングアドバンスグループに関して第２のランダムアクセス試行を送信するより前に、コンポーネントキャリアの第１のタイミングアドバンスグループに関して第１のランダムアクセス試行を送信することを含み得、コンポーネントキャリアの第１のタイミングアドバンスグループはプライマリコンポーネントキャリアを含む。
【０１２０】
ランダムアクセスモジュール７１５は、非競合ベースランダムアクセス手順を含み得る第１のランダムアクセス手順を実行するために利用され得、第２のランダムアクセス手順は競合ベースランダムアクセス手順を含む。この場合に電力優先順位付けを実行することは、コンポーネントキャリアの第２のタイミングアドバンスグループに関して第２のランダムアクセス試行を送信するより前に、コンポーネントキャリアの第１のタイミングアドバンスグループに関して第１のランダムアクセス試行を送信することを含み得る。これらの送信は送信機モジュール７３０をも利用し得る。
【０１２１】
いくつかの実施形態では、電力優先順位付けを実行することは、グループのタイプ（プライマリもしくはセカンダリ）、ＲＡＣＨ手順のタイプ（競合ベースもしくは非競合ベース）、および／または単純な等電力スケーリングの何らかの組合せを考慮に入れ得る。一例として、プライマリグループは最高優先順位を与えられ得、２つ以上のセカンダリタイミングアドバンスグループがある場合、続いて、すべての残りのセカンダリグループについて等電力スケーリングが行われ得る。別の例として、プライマリグループは最高優先順位を与えられ得、続いて、非競合ベースＲＡＣＨ手順を含んでいるセカンダリグループについて等電力スケーリングが行われ得、最後に、続いて、競合ベースＲＡＣＨ手順を含んでいるセカンダリグループについて等電力スケーリングが行われ得る。
【０１２２】
いくつかの実施形態は、ランダムアクセスモジュール７１５を使用して非周期チャネル品質インジケータ（Ａ−ＣＱＩ）をトリガすることを含み得る。概して、デバイス７００ａおよび特にランダムアクセスモジュール７１５は、所与のサブフレームについて２つ以上の非周期チャネル状態情報（ＣＳＩ：Channel-State Information）報告要求を受信することを予想しないことがある。２つ以上の並列非競合ベースＲＡＲ許可トリガＰＵＳＣＨがデバイス７００ａによって受信された場合、多くても１つの並列非競合ベースＲＡＲ許可トリガＰＵＳＣＨがＡ−ＣＱＩビットセットを有し得る。いくつかの実施形態では、並列メッセージ３ＰＵＳＣＨが利用され得る。たとえば、遅延ビットが１に設定されたサブフレームｎ中のコンポーネントキャリア１ＲＡＲ許可は、サブフレームｎ＋７中でメッセージ３ＰＵＳＣＨを利用し得る。遅延ビットが０に設定されたサブフレームｎ＋１中のコンポーネントキャリア２ＲＡＲ許可は、サブフレームｎ＋７中でメッセージ３ＰＵＳＣＨを利用し得る。その結果、サブフレームｎ＋７中の並列メッセージ３ＰＵＳＣＨが利用され得るが、ＲＡＲ許可のうちの１つのみがＡ−ＣＱＩを１に設定し得る。Ａ−ＣＱＩが１に設定されたＲＡＲ許可に対応するＰＵＳＣＨはＡ−ＣＱＩフィードバックを搬送する。
【０１２３】
基準ダウンリンクコンポーネントキャリア受信機モジュール７２５は、タイミングアドバンスグループ同期情報を受信するために利用され得る。たとえば、基準ダウンリンクコンポーネントキャリア受信機モジュール７２５は基準ダウンリンクコンポーネントキャリア情報を受信し得る。基準ダウンリンクコンポーネントキャリア情報は、複数のタイミングアドバンスグループからの第１のタイミングアドバンスグループ内のタイミング調整のためにデバイス７００ａによって利用され得る。各タイミングアドバンスグループは少なくとも１つのダウンリンクコンポーネントキャリアを含み得る。
【０１２４】
デバイス７００ａは、いくつかの実施形態では、マルチキャリアＵＥによってランダムアクセスを実行するために構成され得る。ランダムアクセス手順を開始するように構成されたダウンリンク制御メッセージが、受信機モジュール７０５において受信され、ランダムアクセスモジュール７１５に受け渡され得る。ダウンリンク制御メッセージに対する応答が、ランダムアクセスモジュール７１５において生成され、送信機モジュール７３０から物理ランダムアクセスチャネル（ＰＲＡＣＨ）上で送信され得る。アクセス許可が、受信機モジュール７０５においてユーザ機器のＰＣＣ上で受信され得る。ランダムアクセス許可に基づいてＳＣＣのセットが判断され得る。タイミングアドバンスグループインデックス受信モジュール７２０および／またはランダムアクセスモジュール７１５はセカンダリコンポーネントのセットを判断し得る。ランダムアクセスモジュール７１５によって可能にされるランダムアクセス手順は、ＳＣＣのセット中のキャリアを使用して完了されて、ＳＣＣのセットに適用可能なＴＡ情報が取得され得る。
【０１２５】
受信機モジュール７０５および／またはランダムアクセスモジュール７１５は、ＵＥ固有探索空間において物理ダウンリンク制御チャネル（ＰＤＣＣＨ）メッセージを検出することを通してダウンリンク制御メッセージを受信するように構成され得る。受信機モジュール７０５および／またはランダムアクセスモジュール７１５は、ＰＣＣの共通探索空間においてＰＤＣＣＨメッセージを検出することを通してランダムアクセス許可を受信するように構成され得る。
【０１２６】
いくつかの実施形態では、デバイス７００ａは、ランダムアクセス許可とともに媒体アクセス制御（ＭＡＣ）プロトコルデータユニット（ＰＤＵ）に取得するように構成され得る。タイミングアドバンスグループインデックス受信モジュール７０２を使用して、ＭＡＣ  ＰＤＵに基づいてＳＣＣのセットに対応するＴＡグループインデックスが判断され得る。いくつかの実施形態は、ＵＥのために構成されたコンポーネントキャリアに対応するＴＡグループの構成を受信するようにタイミングアドバンスグループインデックス受信モジュール７２０を構成することをさらに含み得る。ＴＡグループインデックスはＭＡＣ  ＰＤＵから取得され得る。ＴＡグループの構成は、少なくとも、ＰＣＣを含む第１のＴＡグループと、セカンダリＣＣのセットを含む第２のＴＡグループとを含み得る。いくつかの実施形態では、タイミングアドバンスグループインデックス受信モジュールは、ＰＤＣＣＨペイロードの一部としてＳＣＣのセットに対応するＴＡグループインデックスを判断するように構成され得る。
【０１２７】
いくつかの実施形態は、ＴＡグループインデックスに基づいてランダムアクセス手順を完了するために基準ダウンリンクＣＣを判断するために基準ダウンリンクコンポーネントキャリア受信モジュール７２５を利用することをさらに含み得る。
【０１２８】
いくつかの実施形態では、ランダムアクセス手順を開始するように構成され得るダウンリンク制御メッセージは、ＳＣＣのセットに対応する識別子を備える。送信機モジュール７３０は、その識別子に基づいてＰＲＡＣＨを送信するためにＳＣＣを判断することをさらに含むために、ダウンリンク制御メッセージに対する応答を送信し得る。
【０１２９】
いくつかの実施形態では、ランダムアクセスモジュール７１５を使用して第１のランダムアクセス手順と同時に第２のランダムアクセス手順が開始され得る。いくつかの実施形態は、第１のランダムアクセス手順と第２のランダムアクセス手順との間で電力を割り振るための優先順位を判断するようにランダムアクセスモジュール７１５を構成することをさらに含み得る。ランダムアクセスモジュール７１５は、第１のランダムアクセス手順が競合なしランダムアクセス手順を備え、第２のランダムアクセス手順が競合ベースランダムアクセス手順を備えるとき、第２のランダムアクセス手順よりも高い優先順位で第１のランダムアクセス手順に電力を割り振り得る。ランダムアクセスモジュール７１５は、第２のランダムアクセス手順が、ＵＥのプライマリコンポーネントキャリアを備えるキャリアのグループに対して実行されるとき、第１のランダムアクセス手順よりも高い優先順位で第２のランダムアクセス手順に電力を割り振り得る。ランダムアクセスモジュール７１５は、各ＣＣのために等電力スケーリングを実行することを含めて優先順位を判断し得る。
【０１３０】
図７Ｂは、様々な実施形態によるユーザ機器１１５ｂのブロック図７００ｂである。ユーザ機器１１５ｂは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５ｂは、モバイル動作を可能にするために、小型バッテリーなどの内部電源（図示せず）を有し得る。いくつかの実施形態では、ユーザ機器１１５ｂは、図１、図２、図４Ａ、図４Ｂ、図４Ｃ、図９を参照しながら説明するユーザ機器１１５、および／または図７Ａのデバイス７００ａであり得る。
【０１３１】
ユーザ機器１１５ｂは、アンテナ７４０と、トランシーバモジュール７５０と、メモリ７８０と、プロセッサモジュール７７０とを含み得、その各々は、（たとえば、１つまたは複数のバスを介して）互いに直接または間接的に通信していることがある。トランシーバモジュール７５０は、上記で説明したように、アンテナ７４０ならびに／あるいは１つまたは複数のワイヤードもしくはワイヤレスリンクを介して、１つまたは複数のネットワークと双方向に通信するように構成される。たとえば、トランシーバモジュール７５０は、図１または図２の基地局１０５と双方向に通信するように構成され得る。トランシーバモジュール７５０は、パケットを変調し、変調されたパケットを送信のためにアンテナ７４０に供給し、アンテナ７４０から受信されたパケットを復調するように構成されるモデムを含み得る。ユーザ機器１１５ｂは単一のアンテナを含み得るが、ユーザ機器１１５ｂは通常、複数のリンクのための複数のアンテナ７４０を含む。
【０１３２】
メモリ７８０は、ランダムアクセスメモリ（ＲＡＭ）および読取り専用メモリ（ＲＯＭ）を含み得る。メモリ７８０は、実行されるとプロセッサモジュール７７０に本明細書で説明する様々な機能（たとえば、呼処理、データベース管理、メッセージルーティングなど）を実行させるように構成される命令を含んでいるコンピュータ可読、コンピュータ実行可能ソフトウェアコード７８５を記憶し得る。代替的に、ソフトウェア７８５は、プロセッサモジュール７７０によって直接的に実行可能でないことがあるが、（たとえば、コンパイルされ実行されると）コンピュータに本明細書で説明する機能を実行させるように構成され得る。
【０１３３】
プロセッサモジュール７７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール７７０は、マイクロフォンを介してオーディオを受信し、そのオーディオを、受信したオーディオを表す（たとえば、長さ３０ｍｓの）パケットに変換し、そのオーディオパケットをトランシーバモジュール７５０に供給し、ユーザが話しているかどうかの指示を与えるように構成される音声エンコーダ（図示せず）を含み得る。代替的に、エンコーダはパケットのみをトランシーバモジュール７５０に供給し、パケット自体の供給または抑制／抑圧が、ユーザが話しているかどうかの指示を与え得る。
【０１３４】
図７Ｂのアーキテクチャによれば、ユーザ機器１１５ｂは通信管理モジュール７６０をさらに含み得る。通信管理モジュール７６０は、他のユーザ機器１１５との通信を管理し得る。例として、通信管理モジュール７６０は、バスを介してユーザ機器１１５ｂの他の構成要素の一部または全部と通信しているユーザ機器１１５ｂの構成要素であり得る。代替的に、通信管理モジュール７６０の機能は、トランシーバモジュール７５０の構成要素として、コンピュータプログラム製品として、および／またはプロセッサモジュール７７０の１つまたは複数のコントローラ要素として実装され得る。
【０１３５】
ユーザ機器１１５ｂのための構成要素は、図７Ａのデバイス７００ａに関して上記で説明した態様を実装するように構成され得、簡潔のためにここで繰り返さないことがある。たとえば、タイミングアドバンスグループインデックス受信モジュール７２０ａは、図７Ａのタイミングアドバンスグループインデックス受信モジュール７２０の一例であり得る。基準ダウンリンクコンポーネントキャリア受信モジュール７２５ａは、図７Ａの基準ダウンリンクコンポーネントキャリア受信モジュール７２５の一例であり得る。並列ランダムアクセス制御モジュール７１７、電力優先順位付けモジュール７１８、および／またはＡ−ＣＱＩトリガリングモジュール７１９は、図７Ａのランダムアクセスモジュール７１５の一例であり得るランダムアクセスモジュール７１５ａの特定の機能を個々にまたは組み合わせて提供し得る。
【０１３６】
次に図８Ａを参照すると、ブロック図が、キャリアアグリゲーションにおけるユーザ機器のための複数のタイミングアドバンスグループをサポートするデバイス８００ａを示している。いくつかの実施形態では、デバイス８００ａは、図１、図２、図４Ａ、図４Ｂ、図４Ｃ、図７Ｂ、および／または図９を参照しながら説明するユーザ機器１１５、および／または図７のデバイス７００ａであり得る。デバイス８００ａはプロセッサでもあり得る。デバイス８００ａは、受信機モジュール８０５、コンポーネントキャリア識別モジュール８１５、タイミングアドバンスグループモジュール８２０、基準ダウンリンクコンポーネントキャリアモジュール８２５、および／または送信機モジュール８３０を含み得る。これらの構成要素の各々は互いに通信していることがある。デバイス８００ａは１つまたは複数のプロセッサとして構成され得る。
【０１３７】
デバイス８００ａのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１３８】
受信機モジュール８０５は、異なるソースから異なるチャネル上で情報を受信し、デバイス８００ａの他のモジュールに配信し得る。送信機モジュール８３０は、送信機モジュール８３０がデバイス８００ａの他のモジュールから受信し得る情報を送信し得る。
【０１３９】
コンポーネントキャリア識別モジュール８１５は、キャリアアグリゲーション動作の一部として複数のコンポーネントキャリアを識別し得る。複数のコンポーネントキャリアは、１つまたは複数のダウンリンクコンポーネントキャリアと、２つ以上のアップリンクコンポーネントキャリアとを含み得る。タイミングアドバンスグループモジュール８２０は、複数のタイミングアドバンスグループを判断し得る。複数のコンポーネントキャリア中の各コンポーネントキャリアは、タイミングアドバンスグループのうちの１つ中に含まれ得る。タイミングアドバンスグループモジュール８２０は、複数のタイミングアドバンスグループから第１のタイミングアドバンスグループを識別し得る。基準ダウンリンクコンポーネントキャリアモジュール８２５は、無線リソース制御（ＲＲＣ）構成に少なくとも部分的に基づいて第１のタイミングアドバンスグループのための基準ダウンリンクコンポーネントキャリアを判断し得る。デバイス８００ａのタイミングアドバンスグループモジュール８２０、基準ダウンリンクコンポーネントキャリアモジュール８２５、および／または他の構成要素は、少なくとも第１のタイミングアドバンスグループ内のタイミング調整のために、判断された基準ダウンリンクコンポーネントを利用し得る。
【０１４０】
いくつかの実施形態では、デバイス８００ａは、受信機８０５を通してなど、ＲＲＣ構成を通してプライマリダウンリンクコンポーネントキャリアの指示を受信し得る。プライマリダウンリンクコンポーネントキャリアは、判断された基準ダウンリンクコンポーネントキャリアであり得る。
【０１４１】
デバイス８００ａのいくつかの実施形態は、デバイス８００ａのタイミングアドバンスグループモジュール８２０、基準ダウンリンクコンポーネントキャリアモジュール８２５、および／または他の構成要素を通して、複数のタイミングアドバンスグループからの第２のタイミングアドバンスグループ内のタイミング調整のためにプライマリダウンリンクコンポーネントキャリアを利用することを含む。プライマリダウンリンクコンポーネントキャリアは第２のタイミングアドバンスグループ中に含まれ得る。
【０１４２】
いくつかの実施形態では、タイミングアドバンスグループモジュール８２０は、第１のタイミングアドバンスグループ中に１つまたは複数の識別されたダウンリンクキャリアのうちの１つまたは複数のダウンリンクコンポーネントキャリアを含み得る。基準ダウンリンクコンポーネントキャリアモジュール８２５は、第１のタイミングアドバンスグループ中の１つまたは複数のダウンリンクコンポーネントキャリアのＲＲＣ構成に基づいて基準ダウンリンクコンポーネントキャリアを判断し得る。基準ダウンリンクコンポーネントキャリアモジュール８２５は、第１のタイミングアドバンスグループのための基準ダウンリンクコンポーネントキャリアが、第１のタイミングアドバンスグループ中の１つまたは複数のダウンリンクコンポーネントキャリアのうちの各々のために構成される複数のセルインデックスからの最小セルインデックスをもつダウンリンクコンポーネントキャリアであると判断し得る。
【０１４３】
基準ダウンリンクコンポーネントキャリアは、アクティブにされたダウンリンクコンポーネントキャリアのセットから基準ダウンリンクコンポーネントキャリアモジュール８２５によって判断され得る。場合によっては、コンポーネントキャリア識別モジュール８１５は、１つまたは複数のダウンリンクコンポーネントキャリアと２つ以上のアップリンクコンポーネントキャリアとが２つ以上の帯域に関連すると判断し得る。第１のタイミングアドバンスグループのための基準ダウンリンクコンポーネントキャリアは、同じであるか同様の帯域のダウンリンクコンポーネントキャリアのセットから基準ダウンリンクコンポーネントキャリアモジュール８２５またはタイミングアドバンスグループモジュール８２０によって判断され得る。一例として、基準ダウンリンクコンポーネントキャリアは、第１のタイミングアドバンスグループのためのランダムアクセス試行に関連するアップリンクコンポーネントキャリアと同じであるか同様の帯域のダウンリンクコンポーネントキャリアであると判断され得る。第１のタイミングアドバンスグループのための基準ダウンリンクコンポーネントキャリアは、ダウンリンクリピータによる同様の遅延をもつダウンリンクコンポーネントキャリアのセットから基準ダウンリンクコンポーネントキャリアモジュール８２５によって判断され得る。第１のタイミングアドバンスグループのための基準ダウンリンクコンポーネントキャリアは、同じキャリアタイプをもつダウンリンクコンポーネントキャリアのセットから基準ダウンリンクコンポーネントキャリアモジュール８２５によって判断され得、キャリアタイプは少なくともレガシーキャリアタイプまたは新しいキャリアタイプを含む。第１のタイミングアドバンスグループのための基準ダウンリンクコンポーネントキャリアは、同様のアクティビティファクタをもつダウンリンクコンポーネントキャリアのセットから基準ダウンリンクコンポーネントキャリアモジュール８２５によって判断され得る。
【０１４４】
デバイス８００ａは、コンポーネントキャリア識別モジュール８１５、タイミングアドバンスグループモジュール８２０、または基準ダウンリンクコンポーネントキャリアモジュール８２５を通して、基準ダウンリンクコンポーネントキャリアを判断する際にコンポーネントキャリアの異なる特性を考慮に入れ得る（たとえば、それがリピータを備えるかどうか、それが常時オンであるか周期的にオフにされるか、それが新しいキャリアタイプであるかレガシーキャリアタイプであるか、など）。あるコンポーネントキャリアはリピータを備え得るが、別のコンポーネントキャリアはリピータを備えない。所与のタイミングアドバンスグループのための基準ダウンリンクコンポーネントキャリアを判断する際に、リピータ（ダウンリンクリピータ、またはアップリンクリピータ、またはそれらの組合せのいずれか）による同じであるか同様の遅延特性のコンポーネントキャリアは、所与のタイミングアドバンスグループのための基準ダウンリンクコンポーネントキャリアの考えられる候補であると判断され得る。異なるコンポーネントキャリアは異なるアクティビティファクタを有し得る。コンポーネントキャリアは、周期的にオンにされ得、標準キャリアと比較してはるかに低い頻度のダウンリンク情報を搬送する。その場合、基準ダウンリンクコンポーネントキャリアとしてこのコンポーネントキャリアを使用することを回避することが好ましいことがある。あるコンポーネントキャリアはレガシーキャリアタイプであり得、別のコンポーネントキャリアは新しいキャリアタイプであり得る。同じタイプのキャリアは、所与のタイミングアドバンスグループのための基準ダウンリンクコンポーネントキャリアの考えられる候補であると判断され得る。
【０１４５】
デバイス８００ａのいくつかの実施形態は、複数のタイミングアドバンスグループのうちの２つ以上に対して並列に複数のランダムアクセス手順を実行するために構成され得る。複数のランダムアクセス手順を実行することは、第１のタイミングアドバンスグループにリンクされた第１のランダムアクセス手順を実行すること、および／または複数のタイミングアドバンスグループのうちの第２のタイミングアドバンスグループにリンクされた第２のランダムアクセス手順を実行することを含み得、第２のランダムアクセス手順の１つまたは複数の部分は第１のランダムアクセス手順の１つまたは複数の部分と重複する。
【０１４６】
デバイス８００ａのいくつかの実施形態は、システム情報ブロックブロードキャストを介してアップリンクコンポーネントキャリアにリンクされないダウンリンクコンポーネントキャリア（たとえば、プライマリコンポーネントキャリア）上で送信されるダウンリンク制御チャネルを利用することを通して、第１のタイミングアドバンスグループ内のアップリンクコンポーネントキャリア上で非競合ベースランダムアクセス手順を開始するために構成され得る。クロスキャリアスケジューリングを可能にするためにダウンリンク制御チャネル中にクロスキャリア指示フィールドが含まれ得る。
【０１４７】
図８Ｂは、様々な実施形態によるユーザ機器１１５ｃのブロック図８００ｂである。ユーザ機器１１５ｃは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５ｃは、モバイル動作を可能にするために、小型バッテリーなどの内部電源（図示せず）を有し得る。いくつかの実施形態では、ユーザ機器１１５ｃは、図１、図２、図４Ａ、図４Ｂ、図４Ｃ、図７Ｂ、図９を参照しながら説明するユーザ機器１１５、および／または図７Ａのデバイス７００ａおよび／または図８Ａのデバイス８００ａであり得る。
【０１４８】
ユーザ機器１１５ｃは、アンテナ８４０と、トランシーバモジュール８５０と、メモリ８８０と、プロセッサモジュール８７０とを含み得、その各々は、（たとえば、１つまたは複数のバスを介して）互いに直接または間接的に通信していることがある。トランシーバモジュール８５０は、上記で説明したように、アンテナ８４０ならびに／あるいは１つまたは複数のワイヤードもしくはワイヤレスリンクを介して、１つまたは複数のネットワークと双方向に通信するように構成される。たとえば、トランシーバモジュール８５０は、図１または図２の基地局１０５と双方向に通信するように構成され得る。トランシーバモジュール８５０は、パケットを変調し、変調されたパケットを送信のためにアンテナ８４０に供給し、アンテナ８４０から受信されたパケットを復調するように構成されるモデムを含み得る。ユーザ機器１１５ｃは単一のアンテナを含み得るが、ユーザ機器１１５ｃは通常、複数のリンクのための複数のアンテナ８４０を含む。
【０１４９】
メモリ８８０は、ランダムアクセスメモリ（ＲＡＭ）および読取り専用メモリ（ＲＯＭ）を含み得る。メモリ８８０は、実行されるとプロセッサモジュール８７０に本明細書で説明する様々な機能（たとえば、呼処理、データベース管理、メッセージルーティングなど）を実行させるように構成される命令を含んでいるコンピュータ可読、コンピュータ実行可能ソフトウェアコード８８５を記憶し得る。代替的に、ソフトウェア８８５は、プロセッサモジュール８７０によって直接的に実行可能でないことがあるが、（たとえば、コンパイルされ実行されると）コンピュータに本明細書で説明する機能を実行させるように構成され得る。
【０１５０】
プロセッサモジュール８７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール８７０は、マイクロフォンを介してオーディオを受信し、そのオーディオを、受信したオーディオを表す（たとえば、長さ３０ｍｓの）パケットに変換し、そのオーディオパケットをトランシーバモジュール８５０に供給し、ユーザが話しているかどうかの指示を与えるように構成される音声エンコーダ（図示せず）を含み得る。代替的に、エンコーダはパケットのみをトランシーバモジュール８５０に供給し、パケット自体の供給または抑制／抑圧が、ユーザが話しているかどうかの指示を与え得る。
【０１５１】
図８Ｂのアーキテクチャによれば、ユーザ機器１１５ｃは通信管理モジュール８６０をさらに含み得る。通信管理モジュール８６０は、他のユーザ機器１１５との通信を管理し得る。例として、通信管理モジュール８６０は、バスを介してユーザ機器１１５ｃの他の構成要素の一部または全部と通信しているユーザ機器１１５ｃの構成要素であり得る。代替的に、通信管理モジュール８６０の機能は、トランシーバモジュール８５０の構成要素として、コンピュータプログラム製品として、および／またはプロセッサモジュール８７０の１つまたは複数のコントローラ要素として実装され得る。
【０１５２】
ユーザ機器１１５ｃのための構成要素は、図８Ａのデバイス８００ａに関して上記で説明した態様を実装するように構成され得、簡潔のためにここで繰り返さないことがある。たとえば、タイミングアドバンスグループモジュール８２０ａは、図８Ａのタイミングアドバンスグループインデックスモジュール８２０の一例であり得る。基準ダウンリンクコンポーネントキャリアモジュール８２５ａは、図８Ａの基準ダウンリンクコンポーネントキャリアモジュール８２５の一例であり得る。コンポーネントキャリア識別モジュール８１５ａは、図８Ａのコンポーネントキャリア識別モジュール８１５の一例であり得る。ユーザ機器１１５ｃはまた、デバイス８００ａに関してその機能を上記で説明したタイミング調整モジュール８３５を含み得る。ユーザ機器１１５ｃはまた、デバイス８００ａに関してその機能を上記で説明したランダムアクセスモジュール８４５を含み得る。
【０１５３】
次に図９Ａを参照すると、ブロック図が、キャリアアグリゲーションにおけるユーザ機器のための複数のタイミングアドバンスグループをサポートするデバイス９００ａを示している。いくつかの実施形態では、デバイス９００ａは、図１、図２、図４Ａ、図４Ｂ、図４Ｃ、および／または図９Ｂを参照しながら説明する基地局１０５であり得る。デバイス９００ａはプロセッサでもあり得る。デバイス９００ａは、受信機モジュール９０５、探索空間モジュール９１０、並列ランダムアクセスモジュール９１５、タイミングアドバンスグループインデックス生成モジュール９２０、基準ダウンリンクコンポーネントキャリアモジュール９２５、および／または送信機モジュール９３０を含み得る。これらの構成要素の各々は互いに通信していることがある。
【０１５４】
デバイス９００ａのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１５５】
受信機モジュール９０５は、異なるソースから異なるチャネル上で情報を受信し、デバイス９００ａの他のモジュールに配信し得る。送信機モジュール９３０は、送信機モジュール９３０がデバイス９００ａの他のモジュールから受信し得る情報を送信し得る。
【０１５６】
探索空間モジュール９１０は、プライマリコンポーネントキャリアなしにタイミングアドバンスグループのためのランダムアクセス手順をサポートするために利用され得る。探索空間モジュール９１０は、様々な探索空間を生成するために利用され得る。いくつかの実施形態はＵＥ固有探索空間を利用し得る。他の実施形態は、プライマリコンポーネントキャリア上の共通探索空間を利用し得る。追加の実施形態は、セカンダリコンポーネントキャリア上の共通探索空間を利用し得る。いくつかの実施形態は非競合ベースランダムアクセス手順を利用し得るが、他の実施形態は競合ベースランダムアクセス手順を利用し得る。
【０１５７】
タイミングアドバンスグループインデックス生成モジュール９２０は、複数のタイミングアドバンスグループのための様々なクロスキャリア管理機能を提供し得る。たとえば、タイミングアドバンスグループインデックス生成モジュール９２０はタイミングアドバンスグループインデックスを生成し得る。タイミングアドバンスグループインデックスは、複数のタイミングアドバンスグループからあるタイミングアドバンスグループを識別し得る。各グループはコンポーネントキャリアの異なるセットを含み得る。タイミングアドバンスグループインデックス生成モジュール９２０は、生成されたタイミングアドバンスグループインデックスを送信機モジュール９３０に送り得、送信機モジュール９３０からタイミングアドバンスグループインデックスはランダムアクセス応答の一部として送信され得る。いくつかの実施形態は、タイミングアドバンスグループインデックスの利用を通してクロスキャリアランダムアクセス手順管理を可能にすることを含み得る。
【０１５８】
いくつかの実施形態では、タイミングアドバンスインデックス生成グループモジュール９２０は、プライマリコンポーネントキャリアを含む複数のタイミングアドバンスグループからの第１のタイミングアドバンスグループのためのタイミングアドバンスグループインデックスを生成し得、第２のタイミングアドバンスグループは少なくとも１つのセカンダリコンポーネントキャリアを含む。第１のタイミングアドバンスグループは１つまたは複数のセカンダリコンポーネントキャリアをも含み得るが、第２のタイミングアドバンスグループはプライマリコンポーネントキャリアを含まない。タイミングアドバンスグループインデックス生成モジュール９２０はまた、第１のタイミングアドバンスグループおよび第２のタイミングアドバンスグループのほかに追加のタイミングアドバンスグループをも含むタイミングアドバンスグループとともに動作し得る。タイミングアドバンスグループインデックス生成モジュール９２０によって生成されるタイミングアドバンスグループインデックスに関連するタイミングアドバンスグループの数は、限定はしないが、伝搬遅延特性、チャネル特性、ユーザ機器デバイス特性、および／またはコンポーネントキャリアの帯域幅特性を含む様々なファクタに依存し得る。
【０１５９】
いくつかの実施形態では、タイミングアドバンスグループインデックス生成モジュール９２０は、情報のシングルビットを利用するタイミングアドバンスグループインデックスを生成し得る。送信機モジュール９３０は、これらのタイミングアドバンスグループインデックスを情報のシングルビットとして送信し得る。情報のシングルビットの第１のビット構成は、タイミングアドバンスグループがプライマリコンポーネントキャリアを含むことを示し得、シングルビットの第２のビット構成は、タイミングアドバンスグループがプライマリコンポーネントキャリアなしに１つまたは複数のセカンダリコンポーネントキャリアを含むことを示し得る。いくつかの実施形態は、それらの情報を搬送するために追加のビットを利用し得るタイミングアドバンスインデックスを含み得る。タイミングアドバンスグループモジュール９２０が利用し得るビット数はタイミングアドバンスグループの数に依存し得る。
【０１６０】
タイミングアドバンスグループインデックスは、いくつかの実施形態ではＭＡＣペイロードの一部として送信機モジュール９３０によって送信され得る。いくつかの実施形態はまた、特定のタイミングアドバンスグループインデックスに関連するタイミングアドバンスグループ内のコンポーネントキャリアを識別するために無線リソース制御（ＲＲＣ）構成の一部として送信機モジュール９３０を通してコンポーネントキャリア識別子を送信することを含み得る。識別されたコンポーネントキャリアはランダムアクセス応答のために利用され得る。
【０１６１】
並列ランダムアクセスモジュール９１５は、複数の並列ランダムアクセス手順を実行するために利用され得る。たとえば、並列ランダムアクセスモジュール９１５は、コンポーネントキャリアの第１のタイミングアドバンスグループに関連する第１のランダムアクセス手順を実行するために利用され得る。並列ランダムアクセスモジュール９１５は、コンポーネントキャリアの第２のタイミングアドバンスグループに関連する第２のランダムアクセス手順を実行するために利用され得、第２のランダムアクセス手順の１つまたは複数の部分は第１のランダムアクセス手順の１つまたは複数の部分と重複する。
【０１６２】
いくつかの実施形態では、並列ランダムアクセスモジュール９１５は、第１のランダムアクセス手順の一部として第１のランダムアクセス応答を含む第１のサブフレームを構成し得る。第２のランダムアクセス応答を含む第２のサブフレームが、第２のランダムアクセス手順の一部として並列ランダムアクセスモジュール９１５によって構成され得る。第１のサブフレームと第２のサブフレームとは、送信機モジュール９３０を通して並列ランダムアクセスモジュール９１５から送信され得る。その結果、第１のランダムアクセス応答と第２のランダムアクセス応答とは同じサブフレーム中で送信されないことがある。
【０１６３】
基準ダウンリンクコンポーネントキャリアモジュール９２５は、タイミングアドバンスグループ同期情報を与えるために利用され得る。たとえば、基準ダウンリンクコンポーネントキャリアモジュール９２５は基準ダウンリンクコンポーネントキャリアを判断し得る。基準ダウンリンクコンポーネントキャリア情報は送信機９３０からユーザ機器１１５に送信され得、ユーザ機器１１５において、基準ダウンリンクコンポーネントキャリア情報は、複数のタイミングアドバンスグループからの第１のタイミングアドバンスグループ内のタイミング調整のために利用され得る。各タイミングアドバンスグループは少なくとも１つのダウンリンクコンポーネントキャリアを含み得る。
【０１６４】
いくつかの実施形態では、基準ダウンリンクコンポーネントキャリアモジュール９２５は、第２のタイミングアドバンスグループがプライマリコンポーネントキャリアを含むように基準ダウンリンクコンポーネントキャリアを判断し得る。いくつかの実施形態では、基準ダウンリンクコンポーネントキャリアモジュール９２５は、基準ダウンリンクコンポーネントキャリアを判断するためにランダムアクセス試行に関連するアップリンクコンポーネントキャリアにリンクされたダウンリンクコンポーネントキャリアを利用して基準ダウンリンクコンポーネントキャリアを判断し得る。ダウンリンクコンポーネントキャリアは、ＳＩＢ２リンケージを通してアップリンクコンポーネントキャリアにリンクされ得る。
【０１６５】
いくつかの実施形態では、基準ダウンリンクコンポーネントキャリアモジュール９２５は、ユーザ機器の無線リソース制御（ＲＲＣ）構成に基づいて基準ダウンリンクコンポーネントキャリアを判断し得る。たとえば、キャリアアグリゲーションについて前に説明したように、デバイス９００ａは、（１つまたは複数の）ＲＲＣ構成メッセージをユーザ機器１１５に送り、ユーザ機器１１５は、１つのキャリアをＰＣＣとして識別し、追加のキャリアをＳＣＣとして識別し得る。ＰＣＣとして識別されたキャリアは、１つまたは複数のタイミングアドバンスグループのための基準ダウンリンクキャリアとして働き得る。この構成は図３Ｂに示されており、ユーザ機器１１５のためのＲＲＣ構成ＰＣＣ（ＤＬ１）は、２つのタイミングアドバンスグループ３１０ａ、３１０ｂの各々中のコンポーネントキャリアのための基準キャリアとして働く。このＲＲＣベース手法は、ＳＣＣ（ＤＬ２、ＤＬ３）のアクティブ化ステータスが時間ごとに変化するときに有利であり得る。
【０１６６】
デバイス９００ａは、いくつかの実施形態では、基地局によってランダムアクセスを実行するために構成され得る。送信機モジュール９３０および／または探索空間モジュール９１０は、ランダムアクセス手順を開始するように構成されるダウンリンク制御メッセージを生成および／または送信し得る。受信機モジュール９０５は、物理ランダムアクセスチャネル（ＰＲＡＣＨ）上でダウンリンク制御メッセージに対する応答を受信し得る。送信機モジュール９３０および／または探索空間モジュール９１０は、ユーザ機器のプライマリコンポーネントキャリア（ＰＣＣ）上でアクセス許可を生成および／または送信し得、アクセス許可はセカンダリコンポーネントキャリア（ＳＣＣ）のセットに関する情報を含む。送信機モジュール９３０、タイミングアドバンスグループインデックス生成モジュール９２０、および／または基準ダウンリンクコンポーネントキャリアモジュール９２５は、ＳＣＣのセット中のキャリアを使用してランダムアクセス手順を完了するためにＳＣＣのセットに適用可能なタイミングアドバンス（ＴＡ）情報を生成および／または送信し得る。
【０１６７】
ダウンリンク制御メッセージを送信することは、ＵＥ固有探索空間において物理ダウンリンク制御チャネル（ＰＤＣＣＨ）メッセージを送信することを含み得る。ランダムアクセス許可を送信することは、ＰＣＣの共通探索空間においてＰＤＣＣＨメッセージを送信することを含み得る。
【０１６８】
いくつかの実施形態では、送信機モジュール９３０および／または探索空間モジュール９１０は、ランダムアクセス許可とともに媒体アクセス制御（ＭＡＣ）プロトコルデータユニット（ＰＤＵ）をさらに生成および／または送信し得る。送信機モジュール９３０および／またはタイミングアドバンスグループは、インデックス生成モジュール９２０は、ランダムアクセス許可とともにＳＣＣのセットに対応するタイミングアドバンス（ＴＡ）グループインデックスを生成および／または送信し得る。いくつかの実施形態では、ＵＥのために構成されるコンポーネントキャリアに対応するＴＡグループの構成が送信され得る。ＴＡグループインデックスはＭＡＣ  ＰＤＵの一部として送信され得る。ＴＡグループの構成は、少なくとも、ＰＣＣを含む第１のＴＡグループと、セカンダリＣＣのセットを含む第２のＴＡグループとを含み得る。送信機モジュール９３０および／または基準ダウンリンクコンポーネントキャリアモジュール９２５は、ＴＡグループインデックスに基づいてランダムアクセス手順を完了するために基準ダウンリンクＣＣを生成および／または送信し得る。
【０１６９】
いくつかの実施形態では、送信機モジュール９３０および／またはタイミングアドバンスグループインデックス生成モジュール９２０は、ＰＤＣＣＨペイロードの一部としてＳＣＣのセットに対応するタイミングアドバンス（ＴＡ）グループインデックスを生成および／または送信し得る。いくつかの実施形態では、ランダムアクセス手順を開始するように構成されたダウンリンク制御メッセージは、送信機モジュール９３０および／または探索空間モジュール９１０によって生成および／または送信され得るＳＣＣのセットに対応する識別子を含み得る。受信機モジュール９０５においてダウンリンク制御メッセージに対する応答を受信することは、識別子に基づいてＳＣＣ上でＰＲＡＣＨを受信することをさらに含み得る。
【０１７０】
図９Ｂに、ユーザ機器のための複数のタイミングアドバンスグループをサポートするように構成され得る通信システム９００ｂのブロック図を示す。このシステム９００ｂは、たとえば、図１に示すシステム１００および／または図２のシステム２００および／または図９Ａのデバイス９００ａの態様の一例であり得る。基地局１０５ｂは、アンテナ９４５と、トランシーバモジュール９５０と、メモリ９７０と、プロセッサモジュール９６５とを含み得、その各々は、（たとえば、１つまたは複数のバスを介して）互いに直接または間接的に通信していることがある。トランシーバモジュール９５０は、アンテナ９４５を介してユーザ機器１１５ｄと双方向に通信するように構成され得る。トランシーバモジュール９５０（および／または基地局１０５ｂの他の構成要素）はまた、１つまたは複数のネットワークと双方向に通信するように構成され得る。場合によっては、基地局１０５ｂは、ネットワーク通信モジュール９７５を通してネットワーク１２５ａおよび／またはコントローラ１２０ａと通信し得る。基地局１０５ｂは、ｅノードＢ基地局、ホームｅノードＢ基地局、ノードＢ基地局、および／またはホームノードＢ基地局の一例であり得る。
【０１７１】
メモリ９７０は、ランダムアクセスメモリ（ＲＡＭ）および読取り専用メモリ（ＲＯＭ）を含み得る。メモリ９７０はまた、実行されるとプロセッサモジュール９６５に本明細書で説明する様々な機能（たとえば、呼処理、データベース管理、メッセージルーティングなど）を実行させるように構成される命令を含んでいるコンピュータ可読、コンピュータ実行可能ソフトウェアコード９７１を記憶し得る。代替的に、ソフトウェア９７１は、プロセッサモジュール９６５によって直接的に実行可能でないことがあるが、たとえば、コンパイルされ実行されると、コンピュータに本明細書で説明する機能を実行させるように構成され得る。
【０１７２】
プロセッサモジュール９６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール９６５は、マイクロフォンを介してオーディオを受信し、そのオーディオを、受信したオーディオを表す（たとえば、長さ３０ｍｓの）パケットに変換し、そのオーディオパケットをトランシーバモジュール９５０に供給し、ユーザが話しているかどうかの指示を与えるように構成される音声エンコーダ（図示せず）を含み得る。代替的に、エンコーダはパケットのみをトランシーバモジュール９５０に供給し、パケット自体の供給または抑制／抑圧が、ユーザが話しているかどうかの指示を与え得る。
【０１７３】
トランシーバモジュール９５０は、パケットを変調し、変調されたパケットを送信のためにアンテナ９４５に供給し、アンテナ９４５から受信されたパケットを復調するように構成されるモデムを含み得る。基地局１０５ｂのいくつかの例は単一のアンテナ９４５を含み得るが、基地局１０５ｂは、好ましくは、キャリアアグリゲーションをサポートし得る複数のリンクのための複数のアンテナ９４５を含む。たとえば、ユーザ機器１１５ｄとのマクロ通信をサポートするために１つまたは複数のリンクが使用され得る。
【０１７４】
図９Ｂのアーキテクチャによれば、基地局１０５ｂは通信管理モジュール９３０をさらに含み得る。通信管理モジュール９３０は、他の基地局１０５との通信を管理し得る。例として、通信管理モジュール９３０は、バスを介して基地局１０５ｂの他の構成要素の一部または全部と通信している基地局１０５ｂの構成要素であり得る。代替的に、通信管理モジュール９３０の機能は、トランシーバモジュール９５０の構成要素として、コンピュータプログラム製品として、および／またはプロセッサモジュール９６５の１つまたは複数のコントローラ要素として実装され得る。
【０１７５】
ユーザ機器基地局１０５ｂのための構成要素は、図９Ａのデバイス９００ａに関して上記で説明した態様を実装するように構成され得、簡潔のためにここで繰り返さないことがある。たとえば、タイミングアドバンスグループインデックス生成モジュール９２０ａは、図９のタイミングアドバンスグループインデックスモジュール９２０の一例であり得る。基準ダウンリンクコンポーネントキャリアモジュール９２５ａは、図９の基準ダウンリンクコンポーネントキャリアモジュール９２５の一例であり得る。並列ランダムアクセスモジュール９１５ａは、図９の並列ランダムアクセスモジュール９１５の一例であり得る。ＵＥＳＳ探索空間モジュール９１１、ＣＳＳオンＰＣＣ探索空間モジュール９１２、および／またはＣＳＳオンＳＣＣ探索空間モジュール９１３は、図９の探索空間モジュール９１０の一例であり得る探索空間モジュール９１０ａの特定の機能を個々にまたは組み合わせて提供し得る。
【０１７６】
図１０Ａを参照すると、複数のタイミングアドバンスグループのためのクロスキャリア管理を行うための方法１０００ａのフローチャートが与えられている。方法１０００ａは、限定はしないが、図１、図２、図４Ａ、図４Ｂ、図４Ｃ、図９Ｂを参照しながら説明する基地局１０５、および／または図９Ａのデバイス９００ａを含む様々なデバイス上で実装され得る。
【０１７７】
ブロック１００５において、タイミングアドバンスグループインデックスを生成する。タイミングアドバンスグループインデックスは、複数のタイミングアドバンスグループからあるタイミングアドバンスグループを識別し得る。各グループはコンポーネントキャリアの異なるセットを含み得る。ブロック１０１０において、ランダムアクセス手順の一部としてタイミングアドバンスグループインデックスを送信する。
【０１７８】
いくつかの実施形態では、複数のタイミングアドバンスグループからの第１のタイミングアドバンスグループはプライマリコンポーネントキャリアを含み、第２のタイミングアドバンスグループは少なくとも１つのセカンダリコンポーネントキャリアを含む。第１のタイミングアドバンスグループは１つまたは複数のセカンダリコンポーネントキャリアをも含み得るが、第２のタイミングアドバンスグループはプライマリコンポーネントキャリアを含まない。いくつかの実施形態は、第１のタイミングアドバンスグループと第２のタイミングアドバンスグループとのほかに追加のタイミングアドバンスグループをも含み得る。タイミングアドバンスグループの数は、限定はしないが、伝搬遅延特性、チャネル特性、ユーザ機器デバイス特性、および／またはコンポーネントキャリアの帯域幅特性を含む様々なファクタに依存し得る。
【０１７９】
いくつかの実施形態では、タイミングアドバンスグループインデックスは情報のシングルビットとして送信される。情報のシングルビットの第１のビット構成は、タイミングアドバンスグループがプライマリコンポーネントキャリアを含むことを示し得、シングルビットの第２のビット構成は、タイミングアドバンスグループがプライマリコンポーネントキャリアなしに１つまたは複数のセカンダリコンポーネントキャリアを含むことを示し得る。いくつかの実施形態は、それらの情報を搬送するために追加のビットを利用し得るタイミングアドバンスインデックスを含み得る。ビット数はタイミングアドバンスグループの数に依存し得る。
【０１８０】
タイミングアドバンスグループインデックスは、いくつかの実施形態ではＭＡＣペイロードの一部として送信され得る。タイミングアドバンスグループインデックスはＰＤＣＣＨペイロードの一部として送信され得る。いくつかの実施形態はまた、特定のタイミングアドバンスグループインデックスに関連するタイミングアドバンスグループ内のコンポーネントキャリアを識別するためにＲＲＣ構成の一部としてコンポーネントキャリア識別子を送信することを含み得る。識別されたコンポーネントキャリアはランダムアクセス試行のために利用され得る。
【０１８１】
いくつかの実施形態は、タイミングアドバンスグループインデックスの利用を通してクロスキャリアランダムアクセス応答手順管理を可能にし得る。いくつかの実施形態は、タイミングアドバンスグループインデックスの利用を通してクロスキャリアＰＤＣＣＨ命令を可能にし得る。
【０１８２】
図１０Ｂを参照すると、複数のタイミングアドバンスグループのためのクロスキャリア管理を行うための方法１０００ｂのフローチャートが与えられている。方法１０００ｂは、限定はしないが、図１、図２、図４Ａ、図４Ｂ、図４Ｃ、図９Ｂを参照しながら説明する基地局１０５、および／または図９Ａのデバイス９００ａを含む様々なデバイス上で実装され得る。方法１０００ｂは、図１０Ａの方法１０００ａの一例であるか、または図１０Ａの方法１０００ａの態様を利用し得る。
【０１８３】
ブロック１００５ａにおいて、シングルビットを含むタイミングアドバンスグループインデックスを生成する。タイミングアドバンスグループインデックスは、複数のタイミングアドバンスグループからあるタイミングアドバンスグループを識別し得る。各グループはコンポーネントキャリアの異なるセットを含み得る。ブロック１０１０ａにおいて、ランダムアクセス応答の一部としてタイミングアドバンスグループインデックスを送信する。ブロック１０１５において、ＲＲＣの一部としてコンポーネントキャリア識別子を送信する。ブロック１０２０において、タイミングアドバンスグループインデックスとコンポーネントキャリア識別子との利用を通してクロスキャリアランダムアクセス手順管理を可能にする。
【０１８４】
図１１Ａを参照すると、複数のタイミングアドバンスグループのためのクロスキャリア管理を行うための方法１１００ａのフローチャートが与えられている。方法１１００ａは、限定はしないが、図１、図２、図４Ａ、図４Ｂ、図４Ｃ、図７Ｂ、図８Ｂ、図９Ｂを参照しながら説明するユーザ機器１１５、および／または図７Ａのデバイス７００ａおよび／または図８Ａのデバイス８００ａを含む様々なデバイス上で実装され得る。
【０１８５】
ブロック１１０５において、ランダムアクセス手順の一部としてタイミングアドバンスグループインデックスを受信する。ブロック１１１０において、データを送信するためのタイミングアドバンスグループを判断するためにタイミングアドバンスグループインデックスを利用する。いくつかの実施形態は、クロスキャリアランダムアクセス手順管理を可能にするためにタイミングアドバンスグループインデックスを利用することをさらに含み得る。いくつかの実施形態は、クロスキャリアＰＤＣＣＨ命令管理を可能にするためにタイミングアドバンスグループインデックスを利用することをさらに含み得る。いくつかの実施形態は、特定のタイミングアドバンスグループインデックスに関連するタイミングアドバンスグループ内のコンポーネントキャリアを識別するためにＲＲＣ構成の一部としてコンポーネントキャリア識別子を受信することをさらに含み得る。いくつかの実施形態では、ＲＲＣ構成は、複数のタイミングアドバンスグループ中のコンポーネントキャリアのためのタイミング基準として働くＤＬコンポーネントキャリアを識別するために使用され得る。たとえば、ユーザ機器は、図３Ｂに関して説明した複数のタイミングアドバンスグループ中のコンポーネントキャリアのためのタイミング基準としてそれのＲＲＣ構成プライマリコンポーネントキャリアを利用し得、または、ユーザ機器は、この目的のためにＲＲＣ構成に基づいて判断された別のコンポーネントキャリアを使用し得る。ＲＲＣ構成に基づいて複数のＴＡグループのためのＤＬ基準キャリアを判断することにより、セカンダリコンポーネントキャリアをアクティブ／非アクティブにするための基地局のフレキシビリティが改善され得る。代替的に、タイミング基準は、前に説明したようにＳＩＢ２リンケージに基づいて判断し得る。
【０１８６】
図１１Ｂを参照すると、複数のタイミングアドバンスグループのためのクロスキャリア管理を行うための方法１１００ｂのフローチャートが与えられている。方法１１００ｂは、限定はしないが、図１、図２、図４Ａ、図４Ｂ、図４Ｃ、図７Ｂ、図７Ｂ、図９Ｂを参照しながら説明するユーザ機器１１５、および／または図７Ａのデバイス７００ａおよび／または図８Ｂのデバイス８００ａを含む様々なデバイス上で実装され得る。方法１１００ｂは、図１１Ａの方法１１００ａの一例であるか、または図１１Ａの方法１１００ａの態様を利用し得る。
【０１８７】
ブロック１１０５ａにおいて、ランダムアクセス応答の一部としてタイミングアドバンスグループインデックスを受信する。ブロック１１１０ｂにおいて、データを送信するためのタイミングアドバンスグループを判断するためにタイミングアドバンスグループインデックスを利用する。ブロック１１１５において、特定のタイミングアドバンスグループインデックスに関連するタイミングアドバンスグループ内のコンポーネントキャリアを識別するためにＲＲＣ構成の一部としてコンポーネントキャリア識別子を受信し、識別されたコンポーネントキャリアはランダムアクセス応答のために利用される。ブロック１１２０において、クロスキャリアランダムアクセス手順管理を可能にするためにタイミングアドバンスグループインデックスとコンポーネントキャリア識別子とを利用する。
【０１８８】
図１２Ａを参照すると、複数の並列ランダムアクセス手順を実行するための方法１２００ａのフローチャートが与えられている。方法１２００ａは、限定はしないが、図１、図２、図４Ａ、図４Ｂ、図４Ｃ、図７Ｂ、図８Ｂ、図９Ｂを参照しながら説明するユーザ機器１１５、および／または図７Ａのデバイス７００ａおよび／または図８Ａのデバイス８００ａを含むシステムおよび／またはデバイス上で実装され得る。いくつかの実施形態では、方法１２００ａは、限定はしないが、図１、図２、図４Ａ、図４Ｂ、図４Ｃ、図９Ｂを参照しながら説明する基地局１０５、および／または図９Ｂのデバイス９００ａを含む様々なシステムおよび／またはデバイス上で実装され得る。
【０１８９】
ブロック１２０５において、コンポーネントキャリアの第１のタイミングアドバンスグループに関連する第１のランダムアクセス手順を実行する。ブロック１２１０において、コンポーネントキャリアの第２のタイミングアドバンスグループに関連する第２のランダムアクセス手順を実行し、第２のランダムアクセス手順の１つまたは複数の部分は第１のランダムアクセス手順の１つまたは複数の部分と重複する。
【０１９０】
方法１２００ａのいくつかの実施形態は、第１のランダムアクセス手順と第２のランダムアクセス手順とに関して電力優先順位付けを実行することを含み得る。電力優先順位付けを実行することは、第１のランダムアクセス手順と第２のランダムアクセス手順とに関して等電力スケーリングを実行することを含み得る。いくつかの実施形態では、電力優先順位付けを実行することは、コンポーネントキャリアの第２のタイミングアドバンスグループに関して第２のランダムアクセス試行を送信するより前に、コンポーネントキャリアの第１のタイミングアドバンスグループに関して第１のランダムアクセス試行を送信することを含み得、コンポーネントキャリアの第１のタイミングアドバンスグループはプライマリコンポーネントキャリアを含む。
【０１９１】
いくつかの実施形態では、第１のランダムアクセス手順は非競合ベースランダムアクセス手順を含み得、第２のランダムアクセス手順は競合ベースランダムアクセス手順を含み得る。この場合に電力優先順位付けを実行することは、コンポーネントキャリアの第２のタイミングアドバンスグループに関して第２のランダムアクセス試行を送信するより前に、コンポーネントキャリアの第１のタイミングアドバンスグループに関して第１のランダムアクセス試行を送信することを含み得る。
【０１９２】
方法１２００ａは、第１のランダムアクセス手順の一部として第１のランダムアクセス応答を含む第１のサブフレームを構成することをさらに含み得る。第２のランダムアクセス応答を含む第２のサブフレームが、第２のランダムアクセス手順の一部として構成され得る。第１のサブフレームおよび第２のサブフレームは送信され得る。その結果、第１のランダムアクセス応答と第２のランダムアクセス応答とは同じサブフレーム中で送信されないことがある。いくつかの実施形態は、非周期チャネル品質インジケータ（Ａ−ＣＱＩ）をトリガすることを含み得る。
【０１９３】
図１２Ｂを参照すると、複数の並列ランダムアクセス手順を実行する方法１２００ｂのフローチャートが与えられている。方法１２００ｂは、限定はしないが、図１、図２、図４Ａ、図４Ｂ、図４Ｃ、図７Ｂ、図８Ｂ、図９Ｂを参照しながら説明するユーザ機器１１５、および／または図７Ａのデバイス７００ａおよび／または図８Ａのデバイス８００ａを含むシステムおよび／またはデバイス上で実装され得る。いくつかの実施形態では、方法１２００ｂは、限定はしないが、図１、図２、図４Ａ、図４Ｂ、図４Ｃ、図９Ｂを参照しながら説明する基地局１０５、および／または図９Ｂのデバイス９００ａを含むシステムおよび／またはデバイス上で実装され得る。方法１２００ｂは、図１２Ａの方法１２００ａの一例であるか、または図１２Ａの方法１２００ａの態様を利用し得る。
【０１９４】
ブロック１２０５ａにおいて、コンポーネントキャリアの第１のタイミングアドバンスグループに関連する第１のランダムアクセス手順を実行する。ブロック１２１０ａにおいて、コンポーネントキャリアの第２のタイミングアドバンスグループに関連する第２のランダムアクセス手順を実行し、第２のランダムアクセス手順の１つまたは複数の部分は第１のランダムアクセス手順の１つまたは複数の部分と重複する。ブロック１２１５において、第１のランダムアクセス手順と第２のランダムアクセス手順とに関して等電力スケーリングを実行する。
【０１９５】
図１３に、タイミングアドバンスグループ同期情報を利用するための方法１３００のフローチャートを示す。方法１３００は、限定はしないが、図１、図２、図４Ａ、図４Ｂ、図４Ｃ、図７Ｂ、図８Ｂ、図９Ｂを参照しながら説明するユーザ機器１１５、および／または図７Ａのデバイス７００ａおよび／または図８Ａのデバイス８００ａを含むシステムおよび／またはデバイス上で実装され得る。いくつかの実施形態では、方法１３００は、限定はしないが、図１、図２、図４Ａ、図４Ｂ、図４Ｃ、図９Ｂを参照しながら説明する基地局１０５、および／または図９Ａのデバイス９００ａを含むシステムおよび／またはデバイス上で実装され得る。
【０１９６】
ブロック１３０５において、基準ダウンリンクコンポーネントキャリアを判断する。ブロック１３１０において、複数のタイミングアドバンスグループからの第１のタイミングアドバンスグループ内のタイミング調整のために基準ダウンリンクコンポーネントキャリアを利用する。各タイミングアドバンスグループは少なくとも１つのダウンリンクコンポーネントキャリアを含み得る。
【０１９７】
いくつかの実施形態では、第２のタイミングアドバンスグループがプライマリコンポーネントキャリアを含む。いくつかの実施形態では、基準ダウンリンクコンポーネントキャリアを判断することは、基準ダウンリンクコンポーネントキャリアを判断するためにランダムアクセス試行に関連するアップリンクコンポーネントキャリアにリンクされたダウンリンクコンポーネントキャリアを利用することを含む。ダウンリンクコンポーネントキャリアは、ＳＩＢ２リンケージを通してアップリンクコンポーネントキャリアにリンクされ得る。
【０１９８】
いくつかの実施形態では、基準ダウンリンクコンポーネントキャリアを判断することは、ＲＲＣ構成から基準ダウンリンクコンポーネントキャリアを判断することを含み得る。いくつかの態様では、複数のタイミングアドバンスグループが共通基準ダウンリンクコンポーネントキャリアを共有し得る。共通基準はＵＥ固有プライマリコンポーネントキャリアであり得る。２つ以上のダウンリンクキャリアが特定のＵＥのためのＰＣＣとして指定されたとき、タイミングアドバンスグループと各ＲＲＣ構成ＰＣＣとの間に多対１の関係があり得る。たとえば、異なるＰＣＣは、ＵＥが経験するチャネル状態および干渉状態、コンポーネントキャリアのシステム負荷問題、スケジューリング要件などに基づいて基地局１０５によって判断された異なるタイミングアドバンスグループのための基準キャリアとして働き得る。
【０１９９】
図１４を参照すると、マルチキャリアＵＥによってランダムアクセスを実行するための方法１４００のフローチャートが与えられている。方法１４００は、限定はしないが、図１、図２、図４Ａ、図４Ｂ、図４Ｃ、図７Ｂ、図８Ｂ、図９Ｂを参照しながら説明するユーザ機器１１５、および／または図７Ａのデバイス７００ａおよび／または図８Ａのデバイス８００ａを含む様々なデバイス上で実装され得る。
【０２００】
ブロック１４０５において、ＵＥは、ランダムアクセス手順を開始するように構成されたダウンリンク制御メッセージを受信する。たとえば、ダウンリンク制御メッセージは、前に説明したようにメッセージ０送信を含み得る。ブロック１４１０において、ＵＥは、ＰＲＡＣＨ上でダウンリンク制御メッセージに対する応答を送信する。ＰＲＡＣＨを送信するためのＣＣは、メッセージ０送信で搬送されるインジケータに基づいて、および／またはメッセージ０がその上で受信されたＣＣとの関連付けに基づいて判断され得る。ブロック１４１５において、ＵＥはＰＣＣ上でアクセス許可を受信する。ブロック１４２０において、ＵＥは、ランダムアクセス許可に基づいてＳＣＣのセットを判断する。ランダムアクセス許可はクロスキャリアＲＡＲを可能にし得、ＵＥは、ＲＡＲメッセージまたは対応するＰＤＣＣＨペイロード中の情報に基づいてＳＣＣのセットを判断し得る。ブロック１４２５において、ＵＥは、ＳＣＣのセットに適用可能なＴＡ情報を取得するためにＳＣＣのセット中のキャリアを使用してランダムアクセス手順を完了し得る。
【０２０１】
ダウンリンク制御メッセージを受信することは、ＵＥ固有探索空間においてＰＤＣＣＨメッセージを検出することを含み得る。ランダムアクセス許可を受信することは、ＰＣＣの共通探索空間においてＰＤＣＣＨメッセージを検出することを含み得る。
【０２０２】
いくつかの実施形態では、本方法１４００は、ランダムアクセス許可とともにＭＡＣプロトコルデータユニットを取得することをさらに含み得る。ＭＡＣ  ＰＤＵに基づいてＳＣＣのセットに対応するＴＡグループインデックスが判断され得る。いくつかの実施形態は、ＵＥのために構成されたコンポーネントキャリアに対応するＴＡグループの構成を受信することをさらに含み得る。ＴＡグループの構成は、少なくとも、ＰＣＣを含む第１のＴＡグループと、セカンダリＣＣのセット中にＳＣＣのみを含む第２のＴＡグループとを含み得る。いくつかの実施形態は、ＴＡグループインデックスに基づいてランダムアクセス手順を完了するために基準ダウンリンクＣＣを判断することをさらに含み得る。いくつかの実施形態では、方法１４００は、ＰＤＣＣＨペイロードの一部としてＳＣＣのセットに対応するＴＡグループインデックスを判断することをさらに含み得る。
【０２０３】
いくつかの実施形態では、ランダムアクセス手順を開始するように構成され得るダウンリンク制御メッセージは、ＳＣＣのセットに対応する識別子を備える。ダウンリンク制御メッセージに対する応答を送信することは、その識別子に基づいてＰＲＡＣＨを送信するためにＳＣＣを判断することをさらに含む。
【０２０４】
いくつかの実施形態では、方法１４００は、第１のランダムアクセス手順と同時に第２のランダムアクセス手順を開始することをさらに含み得る。いくつかの実施形態は、第１のランダムアクセス手順と第２のランダムアクセス手順との間で電力を割り振るための優先順位を判断することをさらに含み得る。いくつかの実施形態は、第１のランダムアクセス手順が競合なしランダムアクセス手順を備え、第２のランダムアクセス手順が競合ベースランダムアクセス手順を備えるとき、第２のランダムアクセス手順よりも高い優先順位で第１のランダムアクセス手順に電力を割り振ることをさらに含み得る。いくつかの実施形態は、第２のランダムアクセス手順が、ＵＥのプライマリコンポーネントキャリアを備えるキャリアのグループに対して実行されるとき、第１のランダムアクセス手順よりも高い優先順位で第２のランダムアクセス手順に電力を割り振ることをさらに含み得る。優先順位を判断することは、各ＣＣについて等電力スケーリングを実行することを含み得る。
【０２０５】
図１５を参照すると、基地局によってランダムアクセスを実行するための方法１５００のフローチャートが与えられている。方法１５００は、限定はしないが、図１、図２、図４Ａ、図４Ｂ、図４Ｃ、図９Ｂを参照しながら説明する基地局１０５、および／または図９Ａのデバイス９００ａを含む様々なデバイス上で実装され得る。
【０２０６】
ブロック１５０５において、ランダムアクセス手順を開始するように構成されたダウンリンク制御メッセージを送信する。ブロック１５１０において、ＰＲＡＣＨ上でダウンリンク制御メッセージに対する応答を受信する。ブロック１５１５において、ユーザ機器のＰＣＣ上でアクセス許可を送信し、アクセス許可はＳＣＣのセットに関する情報を含む。ブロック１５２０において、ＳＣＣのセット中のキャリアを使用してランダムアクセス手順を完了するためにＳＣＣのセットに適用可能なＴＡ情報を送信する。
【０２０７】
ダウンリンク制御メッセージを送信することは、ＵＥ固有探索空間においてＰＤＣＣＨメッセージを送信することを含み得る。ランダムアクセス許可を送信することは、ＰＣＣの共通探索空間においてＰＤＣＣＨメッセージを送信することを含み得る。
【０２０８】
いくつかの実施形態では、方法１５００は、ランダムアクセス許可とともに媒体アクセス制御（ＭＡＣ）プロトコルデータユニット（ＰＤＵ）を送信することをさらに含み得る。ランダムアクセス許可とともにＳＣＣのセットに対応するＴＡグループインデックスが送信され得る。ＵＥのために構成されたコンポーネントキャリアに対応するＴＡグループの構成が送信され得る。ＴＡグループインデックスはＭＡＣ  ＰＤＵの一部として送信され得る。ＴＡグループの構成は、少なくとも、ＰＣＣを含む第１のＴＡグループと、セカンダリＣＣのセットを含む第２のＴＡグループとを含み得る。ＴＡグループインデックスに基づいてランダムアクセス手順を完了するために基準ダウンリンクＣＣが送信され得る。
【０２０９】
いくつかの実施形態では、方法１５００は、ＰＤＣＣＨペイロードの一部としてＳＣＣのセットに対応するＴＡグループインデックスを送信することをさらに含み得る。いくつかの実施形態では、ランダムアクセス手順を開始するように構成されるダウンリンク制御メッセージは、ＳＣＣのセットに対応する識別子を含み得る。ダウンリンク制御メッセージに対する応答を受信することは、識別子に基づいてＳＣＣ上でＰＲＡＣＨを受信することをさらに含み得る。
【０２１０】
図１６を参照すると、様々な実施形態による、タイミングアドバンスグループ同期情報を利用するための方法１６００のフローチャートが与えられている。方法１６００は、限定はしないが、図１、図２、図４Ａ、図４Ｂ、図４Ｃ、図７Ｂ、図８Ｂ、図９Ｂを参照しながら説明するユーザ機器１１５、および／または図７Ａのデバイス７００ａおよび／または図８Ａのデバイス８００ａを含む様々なデバイス上で実装され得る。
【０２１１】
ブロック１６０５において、キャリアアグリゲーション動作の一部として複数のコンポーネントキャリアを識別する。複数のコンポーネントキャリアは、１つまたは複数のダウンリンクコンポーネントキャリアと、２つ以上のアップリンクコンポーネントキャリアとを含み得る。ブロック１６１０において、複数のタイミングアドバンスグループを判断する。複数のコンポーネントキャリア中の各コンポーネントキャリアは、タイミングアドバンスグループのうちの１つ中に含まれ得る。ブロック１６１５において、複数のタイミングアドバンスグループから第１のタイミングアドバンスグループを識別する。ブロック１６２０において、ＲＲＣ構成に少なくとも部分的に基づいて第１のタイミングアドバンスグループのための基準ダウンリンクコンポーネントキャリアを判断する。ブロック１６２５において、少なくとも第１のタイミングアドバンスグループ内のタイミング調整のために、判断された基準ダウンリンクコンポーネントキャリアを利用する。
【０２１２】
いくつかの実施形態では、本方法は、ＲＲＣ構成を通してプライマリダウンリンクコンポーネントキャリアの指示を受信することをさらに含む。プライマリダウンリンクコンポーネントキャリアは、判断された基準ダウンリンクコンポーネントキャリアであり得る。
【０２１３】
いくつかの実施形態は、複数のタイミングアドバンスグループからの第２のタイミングアドバンスグループ内のタイミング調整のためにプライマリダウンリンクコンポーネントキャリアを利用することを含む。プライマリダウンリンクコンポーネントキャリアは第２のタイミングアドバンスグループ中に含まれ得る。
【０２１４】
１つまたは複数の識別されたダウンリンクキャリアのうちの１つまたは複数のダウンリンクコンポーネントキャリアが第１のタイミングアドバンスグループ中に含まれ得る。基準ダウンリンクコンポーネントキャリアを判断することは、第１のタイミングアドバンスグループ中の１つまたは複数のダウンリンクコンポーネントキャリアのＲＲＣ構成に基づき得る。第１のタイミングアドバンスグループのための基準ダウンリンクコンポーネントキャリアは、第１のタイミングアドバンスグループ中の１つまたは複数のダウンリンクコンポーネントキャリアのうちの各々のために構成される複数のセルインデックスのうちの最小セルインデックスをもつダウンリンクコンポーネントキャリアであると判断され得る。
【０２１５】
基準ダウンリンクコンポーネントキャリアは、アクティブにされたダウンリンクコンポーネントキャリアのセットから判断され得る。１つまたは複数のダウンリンクコンポーネントキャリアと２つ以上のアップリンクコンポーネントキャリアとは２つ以上の帯域に関連し得る。第１のタイミングアドバンスグループのための基準ダウンリンクコンポーネントキャリアは、同じ帯域または同様の帯域のダウンリンクコンポーネントキャリアのセットから判断され得る。一例として、基準ダウンリンクコンポーネントキャリアは、第１のタイミングアドバンスグループのためのランダムアクセス試行に関連するアップリンクコンポーネントキャリアと同じであるか同様の帯域のダウンリンクコンポーネントキャリアであると判断され得る。
【０２１６】
いくつかの実施形態は、複数のタイミングアドバンスグループのうちの２つ以上に対して並列に複数のランダムアクセス手順を実行することを含む。複数のランダムアクセス手順を実行することは、第１のタイミングアドバンスグループにリンクされた第１のランダムアクセス手順を実行すること、および／または複数のタイミングアドバンスグループのうちの第２のタイミングアドバンスグループにリンクされた第２のランダムアクセス手順を実行することを含み得、第２のランダムアクセス手順の１つまたは複数の部分は第１のランダムアクセス手順の１つまたは複数の部分と重複する。
【０２１７】
いくつかの実施形態は、システム情報ブロックブロードキャストを介してアップリンクコンポーネントキャリアにリンクされないダウンリンクコンポーネントキャリア上で送信されるダウンリンク制御チャネルを利用することを通して、第１のタイミングアドバンスグループ内のアップリンクコンポーネントキャリア上で非競合ベースランダムアクセス手順を開始することを含む。クロスキャリアスケジューリングを可能にするためにダウンリンク制御チャネル中にクロスキャリア指示フィールドが含まれ得る。
【０２１８】
第１のタイミングアドバンスグループのための基準ダウンリンクコンポーネントキャリアは、ダウンリンクリピータによる同様の遅延をもつダウンリンクコンポーネントキャリアのセットから判断され得る。第１のタイミングアドバンスグループのための基準ダウンリンクコンポーネントキャリアは、同じキャリアタイプをもつダウンリンクコンポーネントキャリアのセットから判断され得、キャリアタイプは少なくともレガシーキャリアタイプまたは新しいキャリアタイプを含む。第１のタイミングアドバンスグループのための基準ダウンリンクコンポーネントキャリアは、同様のアクティビティファクタをもつダウンリンクコンポーネントキャリアのセットから判断され得る。
【０２１９】
方法１６００は、基準ダウンリンクコンポーネントキャリアを判断する際にコンポーネントキャリアの異なる特性を考慮に入れ得る（たとえば、それがリピータを備えるかどうか、それが常時オンであるか周期的にオフにされるか、それが新しいキャリアタイプであるかレガシーキャリアタイプであるか、など）。あるコンポーネントキャリアはリピータを備え得るが、別のコンポーネントキャリアはリピータを備えない。所与のタイミングアドバンスグループのための基準ダウンリンクコンポーネントキャリアを判断する際に、リピータ（ダウンリンクリピータ、またはアップリンクリピータ、またはそれらの組合せのいずれか）による同じであるか同様の遅延特性のコンポーネントキャリアは、所与のタイミングアドバンスグループのための基準ダウンリンクコンポーネントキャリアの考えられる候補であると判断され得る。異なるコンポーネントキャリアは異なるアクティビティファクタを有し得る。コンポーネントキャリアは、周期的にオンにされ得、標準キャリアと比較してはるかに低い頻度のダウンリンク情報を搬送する。その場合、基準ダウンリンクコンポーネントキャリアとしてこのコンポーネントキャリアを使用することを回避することが好ましいことがある。あるコンポーネントキャリアはレガシーキャリアタイプであり得、別のコンポーネントキャリアは新しいキャリアタイプであり得る。同じタイプのキャリアは、所与のタイミングアドバンスグループのための基準ダウンリンクコンポーネントキャリアの考えられる候補であると判断され得る。
【０２２０】
添付の図面に関して上記に記載した詳細な説明は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０２２１】
情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２２２】
本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２２３】
本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０２２４】
コンピュータ可読媒体はコンピュータ記憶媒体を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読記憶媒体の範囲内に含まれる。
【０２２５】
本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］  タイミングアドバンスグループ同期情報を利用するための方法であって、前記方法は、
キャリアアグリゲーション動作の一部として複数のコンポーネントキャリアを識別することと、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断することと、ここで、前記複数のコンポーネントキャリア中の各コンポーネントキャリアは、前記タイミングアドバンスグループのうちの１つ中に含まれる、
前記複数のタイミングアドバンスグループから第１のタイミングアドバンスグループを識別することと、
無線リソース制御（ＲＲＣ）構成に少なくとも部分的に基づいて前記第１のタイミングアドバンスグループのための基準ダウンリンクコンポーネントキャリアを判断することと、
少なくとも前記第１のタイミングアドバンスグループ内のタイミング調整のために前記判断された基準ダウンリンクコンポーネントキャリアを利用することと
を備える、方法。
［Ｃ２］  前記ＲＲＣ構成を通してプライマリダウンリンクコンポーネントキャリアの指示を受信することをさらに備える、
Ｃ１に記載の方法。
［Ｃ３］  前記プライマリダウンリンクコンポーネントキャリアは、前記判断された基準ダウンリンクコンポーネントキャリアである、
Ｃ２に記載の方法。
［Ｃ４］  前記複数のタイミングアドバンスグループからの第２のタイミングアドバンスグループ内のタイミング調整のために前記プライマリダウンリンクコンポーネントキャリアを利用することをさらに備え、前記プライマリダウンリンクコンポーネントキャリアは、前記第２のタイミングアドバンスグループ中に含まれる、
Ｃ２に記載の方法。
［Ｃ５］  前記１つまたは複数の識別されたダウンリンクキャリアのうちの１つまたは複数のダウンリンクコンポーネントキャリアが前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
Ｃ１に記載の方法。
［Ｃ６］  前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
Ｃ５に記載の方法。
［Ｃ７］  前記基準ダウンリンクコンポーネントキャリアは、アクティブにされたダウンリンクコンポーネントキャリアのセットから判断される、
Ｃ１に記載の方法。
［Ｃ８］  前記１つまたは複数のダウンリンクコンポーネントキャリアと前記２つ以上のアップリンクコンポーネントキャリアとは、２つ以上の帯域に関連する、
Ｃ１に記載の方法。
［Ｃ９］  前記第１のタイミングアドバンスグループのための前記基準ダウンリンクコンポーネントキャリアは、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
Ｃ８に記載の方法。
［Ｃ１０］  前記複数のタイミングアドバンスグループのうちの２つ以上に対して並列に複数のランダムアクセス手順を実行することをさらに備える、
Ｃ１に記載の方法。
［Ｃ１１］  前記複数のランダムアクセス手順を実行することは、
前記第１のタイミングアドバンスグループにリンクされた第１のランダムアクセス手順を実行することと、
前記複数のタイミングアドバンスグループのうちの第２のタイミングアドバンスグループにリンクされた第２のランダムアクセス手順を実行することと
を備え、前記第２のランダムアクセス手順の１つまたは複数の部分は、前記第１のランダムアクセス手順の１つまたは複数の部分と重複する、
Ｃ１０に記載の方法。
［Ｃ１２］  システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始することをさらに備える、
Ｃ１に記載の方法。
［Ｃ１３］  クロスキャリアスケジューリングを可能にするために前記ダウンリンク制御チャネル中にクロスキャリア指示フィールドが含まれる、
Ｃ１２に記載の方法。
［Ｃ１４］  前記第１のタイミングアドバンスグループのための前記基準ダウンリンクコンポーネントキャリアは、ダウンリンクリピータによる同様の遅延をもつダウンリンクコンポーネントキャリアのセットから判断される、
Ｃ１に記載の方法。
［Ｃ１５］  前記第１のタイミングアドバンスグループのための前記基準ダウンリンクコンポーネントキャリアが、同じキャリアタイプをもつダウンリンクコンポーネントキャリアのセットから判断され、前記キャリアタイプが少なくともレガシーキャリアタイプまたは新しいキャリアタイプを含む、
Ｃ１に記載の方法。
［Ｃ１６］  前記第１のタイミングアドバンスグループのための前記基準ダウンリンクコンポーネントキャリアは、同様のアクティビティファクタをもつダウンリンクコンポーネントキャリアのセットから判断される、
Ｃ１に記載の方法。
［Ｃ１７］  タイミングアドバンスグループ同期情報を利用するために構成されるワイヤレス通信システムであって、前記システムは、
キャリアアグリゲーション動作の一部として複数のコンポーネントキャリアを識別するための手段と、ここで、前記複数のコンポーネントキャリアは、１つまたは複数のダウンリンクコンポーネントキャリアと２つ以上のアップリンクコンポーネントキャリアとを備える、
識別するための手段と、
複数のタイミングアドバンスグループを判断するための手段と、ここで、前記複数のコンポーネントキャリア中の各コンポーネントキャリアは、前記タイミングアドバンスグループのうちの１つ中に含まれる、
前記複数のタイミングアドバンスグループから第１のタイミングアドバンスグループを識別するための手段と、
無線リソース制御（ＲＲＣ）構成に少なくとも部分的に基づいて前記第１のタイミングアドバンスグループのための基準ダウンリンクコンポーネントキャリアを判断するための手段と、
少なくとも前記第１のタイミングアドバンスグループ内のタイミング調整のために前記判断された基準ダウンリンクコンポーネントキャリアを利用するための手段と
を備える、ワイヤレス通信システム。
［Ｃ１８］  前記ＲＲＣ構成を通してプライマリダウンリンクコンポーネントキャリアの指示を受信するための手段をさらに備える、
Ｃ１７に記載のワイヤレス通信システム。
［Ｃ１９］  前記プライマリダウンリンクコンポーネントキャリアは、前記判断された基準ダウンリンクコンポーネントキャリアである、
Ｃ１８に記載のワイヤレス通信システム。
［Ｃ２０］  前記複数のタイミングアドバンスグループからの第２のタイミングアドバンスグループ内のタイミング調整のために前記プライマリダウンリンクコンポーネントキャリアを利用するための手段をさらに備え、前記プライマリダウンリンクコンポーネントキャリアは、前記第２のタイミングアドバンスグループ中に含まれる、
Ｃ１８に記載のワイヤレス通信システム。
［Ｃ２１］  前記１つまたは複数の識別されたダウンリンクキャリアのうちの１つまたは複数のダウンリンクコンポーネントキャリアは、前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
Ｃ１７に記載のワイヤレス通信システム。
［Ｃ２２］  前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
Ｃ２１に記載のワイヤレス通信システム。
［Ｃ２３］  前記基準ダウンリンクコンポーネントキャリアは、アクティブにされたダウンリンクコンポーネントキャリアのセットから判断される、
Ｃ１７に記載のワイヤレス通信システム。
［Ｃ２４］  前記１つまたは複数のダウンリンクコンポーネントキャリアと前記２つ以上のアップリンクコンポーネントキャリアとは、２つ以上の帯域に関連する、
Ｃ１７に記載のワイヤレス通信システム。
［Ｃ２５］  前記第１のタイミングアドバンスグループのための前記基準ダウンリンクコンポーネントキャリアが、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
Ｃ２４に記載のワイヤレス通信システム。
［Ｃ２６］  前記複数のタイミングアドバンスグループのうちの２つ以上に対して並列に複数のランダムアクセス手順を実行するための手段をさらに備える、
Ｃ１７に記載のワイヤレス通信システム。
［Ｃ２７］  前記複数のランダムアクセス手順を実行するための前記手段は、
前記第１のタイミングアドバンスグループにリンクされた第１のランダムアクセス手順を実行するための手段と、
前記複数のタイミングアドバンスグループのうちの第２のタイミングアドバンスグループにリンクされた第２のランダムアクセス手順を実行するための手段と
を備え、前記第２のランダムアクセス手順の１つまたは複数の部分は、前記第１のランダムアクセス手順の１つまたは複数の部分と重複する、
Ｃ２６に記載のワイヤレス通信システム。
［Ｃ２８］  システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始するための手段をさらに備える、
Ｃ１７に記載のワイヤレス通信システム。
［Ｃ２９］  クロスキャリアスケジューリングを可能にするために前記ダウンリンク制御チャネル中にクロスキャリア指示フィールドが含まれる、
Ｃ２８に記載のワイヤレス通信システム。
［Ｃ３０］  前記第１のタイミングアドバンスグループのための前記基準ダウンリンクコンポーネントキャリアは、ダウンリンクリピータによる同様の遅延をもつダウンリンクコンポーネントキャリアのセットから判断される、
Ｃ１７に記載のワイヤレス通信システム。
［Ｃ３１］  前記第１のタイミングアドバンスグループのための前記基準ダウンリンクコンポーネントキャリアは、同じキャリアタイプをもつダウンリンクコンポーネントキャリアのセットから判断され、前記キャリアタイプが少なくともレガシーキャリアタイプまたは新しいキャリアタイプを含む、
Ｃ１７に記載のワイヤレス通信システム。
［Ｃ３２］  前記第１のタイミングアドバンスグループのための前記基準ダウンリンクコンポーネントキャリアは、同様のアクティビティファクタをもつダウンリンクコンポーネントキャリアのセットから判断される、
Ｃ１７に記載のワイヤレス通信システム。
［Ｃ３３］  タイミングアドバンスグループ同期情報を利用するためのコンピュータプログラム製品であって、
キャリアアグリゲーション動作の一部として複数のコンポーネントキャリアを識別するためのコードと、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断するためのコードと、ここで、前記複数のコンポーネントキャリア中の各コンポーネントキャリアが前記タイミングアドバンスグループのうちの１つ中に含まれる、
前記複数のタイミングアドバンスグループから第１のタイミングアドバンスグループを識別するためのコードと、
無線リソース制御（ＲＲＣ）構成に少なくとも部分的に基づいて前記第１のタイミングアドバンスグループのための基準ダウンリンクコンポーネントキャリアを判断するためのコードと、
少なくとも前記第１のタイミングアドバンスグループ内のタイミング調整のために前記判断された基準ダウンリンクコンポーネントキャリアを利用するためのコードと
を備えるコンピュータ可読記憶媒体
を備えるコンピュータプログラム製品。
［Ｃ３４］  前記コンピュータ可読記憶媒体は、
前記ＲＲＣ構成を通してプライマリダウンリンクコンポーネントキャリアの指示を受信するためのコードをさらに備える、
Ｃ３３に記載のコンピュータプログラム製品。
［Ｃ３５］  前記プライマリダウンリンクコンポーネントキャリアは、前記判断された基準ダウンリンクコンポーネントキャリアである、Ｃ３４に記載のコンピュータプログラム製品。
［Ｃ３６］  前記コンピュータ可読記憶媒体は、
前記複数のタイミングアドバンスグループからの第２のタイミングアドバンスグループ内のタイミング調整のために前記プライマリダウンリンクコンポーネントキャリアを利用するためのコードをさらに備え、前記プライマリダウンリンクコンポーネントキャリアが前記第２のタイミングアドバンスグループ中に含まれる、
Ｃ３４に記載のコンピュータプログラム製品。
［Ｃ３７］  前記１つまたは複数の識別されたダウンリンクキャリアのうちの１つまたは複数のダウンリンクコンポーネントキャリアは、前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
Ｃ３３に記載のコンピュータプログラム製品。
［Ｃ３８］  前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
Ｃ３７に記載のコンピュータプログラム製品。
［Ｃ３９］  前記基準ダウンリンクコンポーネントキャリアは、アクティブにされたダウンリンクコンポーネントキャリアのセットから判断される、
Ｃ３３に記載のコンピュータプログラム製品。
［Ｃ４０］  前記１つまたは複数のダウンリンクコンポーネントキャリアと前記２つ以上のアップリンクコンポーネントキャリアとが２つ以上の帯域に関連する、
Ｃ３３に記載のコンピュータプログラム製品。
［Ｃ４１］  前記第１のタイミングアドバンスグループのための前記基準ダウンリンクコンポーネントキャリアは、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
Ｃ４０に記載のコンピュータプログラム製品。
［Ｃ４２］  前記コンピュータ可読記憶媒体は、
前記複数のタイミングアドバンスグループのうちの２つ以上に対して並列に複数のランダムアクセス手順を実行するためのコードをさらに備える、
Ｃ３３に記載のコンピュータプログラム製品。
［Ｃ４３］  前記複数のランダムアクセス手順を実行するための前記コードは、
前記第１のタイミングアドバンスグループにリンクされた第１のランダムアクセス手順を実行するためのコードと、
前記複数のタイミングアドバンスグループのうちの第２のタイミングアドバンスグループにリンクされた第２のランダムアクセス手順を実行するためのコードと
を備え、前記第２のランダムアクセス手順の１つまたは複数の部分は、前記第１のランダムアクセス手順の１つまたは複数の部分と重複する、
Ｃ４２に記載のコンピュータプログラム製品。
［Ｃ４４］  前記コンピュータ可読記憶媒体は、
システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始するためのコードをさらに備える、
Ｃ３３に記載のコンピュータプログラム製品。
［Ｃ４５］  クロスキャリアスケジューリングを可能にするために前記ダウンリンク制御チャネル中にクロスキャリア指示フィールドが含まれる、
Ｃ４３に記載のコンピュータプログラム製品。
［Ｃ４６］  前記第１のタイミングアドバンスグループのための前記基準ダウンリンクコンポーネントキャリアが、ダウンリンクリピータによる同様の遅延をもつダウンリンクコンポーネントキャリアのセットから判断される、
Ｃ３３に記載のコンピュータプログラム製品。
［Ｃ４７］  前記第１のタイミングアドバンスグループのための前記基準ダウンリンクコンポーネントキャリアは、同じキャリアタイプをもつダウンリンクコンポーネントキャリアのセットから判断され、前記キャリアタイプが少なくともレガシーキャリアタイプまたは新しいキャリアタイプを含む、
Ｃ３３に記載のコンピュータプログラム製品。
［Ｃ４８］  前記第１のタイミングアドバンスグループのための前記基準ダウンリンクコンポーネントキャリアは、同様のアクティビティファクタをもつダウンリンクコンポーネントキャリアのセットから判断される、
Ｃ３３に記載のコンピュータプログラム製品。
［Ｃ４９］  タイミングアドバンスグループ同期情報を利用するために構成されるワイヤレス通信デバイスであって、前記デバイスは、
少なくとも１つのプロセッサであって、
キャリアアグリゲーション動作の一部として複数のコンポーネントキャリアを識別することと、ここで、前記複数のコンポーネントキャリアは、１つまたは複数のダウンリンクコンポーネントキャリアと２つ以上のアップリンクコンポーネントキャリアとを備える、
複数のタイミングアドバンスグループを判断することと、ここで、前記複数のコンポーネントキャリア中の各コンポーネントキャリアは、前記タイミングアドバンスグループのうちの１つ中に含まれる、
前記複数のタイミングアドバンスグループから第１のタイミングアドバンスグループを識別することと、
無線リソース制御（ＲＲＣ）構成に少なくとも部分的に基づいて前記第１のタイミングアドバンスグループのための基準ダウンリンクコンポーネントキャリアを判断することと、
少なくとも前記第１のタイミングアドバンスグループ内のタイミング調整のために前記判断された基準ダウンリンクコンポーネントキャリアを利用することと
を行うように構成される少なくとも１つのプロセッサと、
前記少なくとも１つのプロセッサに結合された少なくとも１つのメモリと
を備える、ワイヤレス通信デバイス。
［Ｃ５０］  前記少なくとも１つのプロセッサは、
前記ＲＲＣ構成を通してプライマリダウンリンクコンポーネントキャリアの指示を受信するようにさらに構成される、
Ｃ４９に記載のワイヤレス通信デバイス。
［Ｃ５１］  前記プライマリダウンリンクコンポーネントキャリアは、前記判断された基準ダウンリンクコンポーネントキャリアである、
Ｃ５０に記載のワイヤレス通信デバイス。
［Ｃ５２］  前記少なくとも１つのプロセッサは、
前記複数のタイミングアドバンスグループからの第２のタイミングアドバンスグループ内のタイミング調整のために前記プライマリダウンリンクコンポーネントキャリアを利用することを行うようにされに構成され、前記プライマリダウンリンクコンポーネントキャリアが前記第２のタイミングアドバンスグループ中に含まれる、
Ｃ５０に記載のワイヤレス通信デバイス。
［Ｃ５３］  前記１つまたは複数の識別されたダウンリンクキャリアのうちの１つまたは複数のダウンリンクコンポーネントキャリアは、前記第１のタイミングアドバンスグループ中に含まれ、
前記基準ダウンリンクコンポーネントキャリアを判断することは、前記第１のタイミングアドバンスグループ中の前記１つまたは複数のダウンリンクコンポーネントキャリアのＲＲＣ構成に基づく、
Ｃ４９に記載のワイヤレス通信デバイス。
［Ｃ５４］  前記第１のタイミングアドバンスグループのための前記基準ダウンリンクコンポーネントキャリアは、前記第１のタイミングアドバンスグループ中の前記１つまたは複数のダウンリンクコンポーネントキャリアのうちの各々のために構成された複数のセルインデックスのうちの最小セルインデックスをもつダウンリンクコンポーネントキャリアであると判断される、
Ｃ５３に記載のワイヤレス通信デバイス。
［Ｃ５５］  前記基準ダウンリンクコンポーネントキャリアは、アクティブにされたダウンリンクコンポーネントキャリアのセットから判断される、
Ｃ４９に記載のワイヤレス通信デバイス。
［Ｃ５６］  前記１つまたは複数のダウンリンクコンポーネントキャリアと前記２つ以上のアップリンクコンポーネントキャリアとは、２つ以上の帯域に関連する、
Ｃ４９に記載のワイヤレス通信デバイス。
［Ｃ５７］  前記第１のタイミングアドバンスグループのための前記基準ダウンリンクコンポーネントキャリアは、前記第１のタイミングアドバンスグループのためのランダムアクセス試行に関連するアップリンクコンポーネントキャリアと少なくとも同じ帯域または同様の帯域のダウンリンクコンポーネントキャリアのセットから判断される、
Ｃ５６に記載のワイヤレス通信デバイス。
［Ｃ５８］  前記少なくとも１つのプロセッサは、
前記複数のタイミングアドバンスグループのうちの２つ以上に対して並列に複数のランダムアクセス手順を実行するようにさらに構成される、
Ｃ４９に記載のワイヤレス通信デバイス。
［Ｃ５９］  前記複数のランダムアクセス手順を実行するように構成される前記少なくとも１つのプロセッサは、
前記第１のタイミングアドバンスグループにリンクされた第１のランダムアクセス手順を実行することと、
前記複数のタイミングアドバンスグループのうちの第２のタイミングアドバンスグループにリンクされた第２のランダムアクセス手順を実行することと
を行うように構成され、前記第２のランダムアクセス手順の１つまたは複数の部分が前記第１のランダムアクセス手順の１つまたは複数の部分と重複する、
Ｃ５８に記載のワイヤレス通信デバイス。
［Ｃ６０］  前記少なくとも１つのプロセッサは、
システム情報ブロックブロードキャストを介して前記アップリンクコンポーネントキャリアにリンクされないダウンリンクコンポーネントキャリア上で送信されるダウンリンク制御チャネルを利用することを通して、前記第１のタイミングアドバンスグループ内のアップリンクコンポーネントキャリア上で非競合ベースランダムアクセス手順を開始するようにさらに構成される、
Ｃ４９に記載のワイヤレス通信デバイス。
［Ｃ６１］  クロスキャリアスケジューリングを可能にするために前記ダウンリンク制御チャネル中にクロスキャリア指示フィールドが含まれる、
Ｃ６０に記載のワイヤレス通信デバイス。
［Ｃ６２］  前記第１のタイミングアドバンスグループのための前記基準ダウンリンクコンポーネントキャリアは、ダウンリンクリピータによる同様の遅延をもつダウンリンクコンポーネントキャリアのセットから判断される、
Ｃ４９に記載のワイヤレス通信デバイス。
［Ｃ６３］  前記第１のタイミングアドバンスグループのための前記基準ダウンリンクコンポーネントキャリアは、同じキャリアタイプをもつダウンリンクコンポーネントキャリアのセットから判断され、前記キャリアタイプが少なくともレガシーキャリアタイプまたは新しいキャリアタイプを含む、
Ｃ４９に記載のワイヤレス通信デバイス。
［Ｃ６４］  前記第１のタイミングアドバンスグループのための前記基準ダウンリンクコンポーネントキャリアは、同様のアクティビティファクタをもつダウンリンクコンポーネントキャリアのセットから判断される、
Ｃ４９に記載のワイヤレス通信デバイス。
【図１】
0005882471.tif 000002
【図２】
0005882471.tif 000003
【図３Ａ】
0005882471.tif 000004
【図３Ｂ】
0005882471.tif 000005
【図４Ａ】
0005882471.tif 000006
【図４Ｂ】
0005882471.tif 000007
【図４Ｃ】
0005882471.tif 000008
【図５】
0005882471.tif 000009
【図６】
0005882471.tif 000010
【図７Ａ】
0005882471.tif 000011
【図７Ｂ】
0005882471.tif 000012
【図８Ａ】
0005882471.tif 000013
【図８Ｂ】
0005882471.tif 000014
【図９Ａ】
0005882471.tif 000015
【図９Ｂ】
0005882471.tif 000016
【図１０Ａ】
0005882471.tif 000017
【図１０Ｂ】
0005882471.tif 000018
【図１１Ａ】
0005882471.tif 000019
【図１１Ｂ】
0005882471.tif 000020
【図１２Ａ】
0005882471.tif 000021
【図１２Ｂ】
0005882471.tif 000022
【図１３】
0005882471.tif 000023
【図１４】
0005882471.tif 000024
【図１５】
0005882471.tif 000025
【図１６】
0005882471.tif 000026